(57)【要約】  【課題】医薬の分野において有用なＦａｓリガンドおよびその用途を開発する。  【解決手段】Ｆａｓリガンドポリペプチドを認識する抗体またはそのフラグメント、Ｆａｓリガンド遺伝子に相補的なオリゴヌクレオチド、Ｆａｓリガンドに関与する物質のスクリーニング方法。【選択図】なし【特許請求の範囲】
【請求項１】
下記いずれかに記載のポリペプチドを認識する抗体またはそのフラグメント。
（１）配列表の配列番号７、８および２６のいずれかで表されるアミノ酸配列を含有し、１以上の任意のアミノ酸の変異を有しても良く、Ｆａｓ抗原を発現する細胞に結合するか、または該細胞にアポトーシスを誘導しまたは抑制することを特徴とするポリペプチド。
（２）配列表の配列番号７、８および２６のいずれかで表されるアミノ酸配列を含有するポリペプチド。
（３）配列表の配列番号７、８および２６のいずれかで表されるアミノ酸配列をコードする塩基配列とハイブリダイズし得る、または、配列表の配列番号７、８および２６のいずれかで表されるアミノ酸配列をコードする塩基配列の相補鎖とハイブリダイズし得る；塩基配列によってコードされるアミノ酸配列を含有するポリペプチド。
（４）配列表の配列番号１９、２０および２６で表される塩基配列群から選択される少なくとも一つの塩基配列とハイブリダイズし得る、または、配列表の配列番号１９、２０および２６で表される塩基配列群から選択される少なくとも一つの塩基配列の相補鎖とハイブリダイズし得る；塩基配列によってコードされるアミノ酸配列を含有するポリペプチド。
（５）配列表の配列番号８または２６で表されるアミノ酸配列中の連続した１０以上のアミノ酸を含有するポリペプチドで、Ｆａｓ抗原に結合し、Ｆａｓ抗原を発現する細胞のアポトーシスを誘導し、抑制し、または調節する活性を有し、またはＦａｓリガンドに対する抗体を誘導するポリペプチド。
（６）配列表の配列番号８または２６で表されるアミノ酸配列の一部の配列の少なくとも２つの融合蛋白質であり、Ｆａｓ抗原に結合し、および・またはＦａｓ抗原を発現する細胞のアポトーシスを誘導し、抑制し、または調節する活性を有するポリペプチドを含有するポリペプチド。
【請求項２】
前記抗体またはそのフラグメントがモノクローナル抗体である、請求項１に記載の抗体またはそのフラグメント。
【請求項３】
前記抗体またはそのフラグメントがポリクローナル抗体である、請求項１に記載の抗体またはそのフラグメント。
【請求項４】
配列表の配列番号５２〜５５、６０から選ばれる少なくとも一つの配列に示されるアミノ酸配列からなるペプチドを認識する抗体またはそのフラグメント。
【請求項５】
前記抗体またはそのフラグメントがアポトーシスを抑制することができる請求項１〜４のいずれかに記載の抗体またはそのフラグメント。
【請求項６】
少なくとも１５塩基および・またはＦａｓリガンドの発現を調節することができ；配列表の配列番号１７〜２０、２６で表される配列、またはＦａｓリガンドの遺伝子の一部、またはＦａｓリガンドのｍＲＮＡの一部の群から選ばれる塩基配列と50％ホルムアミド、１×デンハルト溶液、0.1 ％SDS 、100 μg/mlの変性サケ精子DNA および10％デキストラン硫酸を含む５×SSCP中で28℃でハイブリダイズできる；
Ｆａｓリガンドの遺伝子の一部またはＦａｓリガンドのｍＲＮＡの一部のヌクレオチド配列に相補的なヌクレオチド配列を含有するオリゴヌクレオチドまたはその誘導体。
【請求項７】
配列表の配列番号１７〜２０、２５、２６および２７で示される配列、および・または配列表の配列番号１７〜２０、２５、２６および２７で示される配列の群から選ばれる塩基配列の一部とハイブリダイズできる塩基配列；
の群から選ばれる塩基配列の一部に相補的な塩基配列を含有する請求項６に記載のオリゴヌクレオチドまたはその誘導体。
【請求項８】
Ｆａｓリガンドの発現を調節することができる請求項６または７に記載のオリゴヌクレオチドまたはその誘導体。
【請求項９】
Ｆａｓリガンドの発現を抑制することができる請求項６〜８のいずれかに記載のオリゴヌクレオチドまたはその誘導体。
【請求項１０】
Ｆａｓ抗原を発現する細胞のアポトーシスを調節することができる請求項６〜８のいずれかに記載のオリゴヌクレオチドまたはその誘導体。
【請求項１１】
Ｆａｓ抗原を発現する細胞のアポトーシスを抑制することができる請求項６〜８のいずれかに記載のオリゴヌクレオチドまたはその誘導体。
【請求項１２】
ＦａｓリガンドまたはＦａｓリガンドのｍＲＮＡの、翻訳開始コドン付近、リボソーム結合部位、キャッピング部位、スプライス部位、およびステム・ループ形成領域；翻訳開始コドン付近、リボソーム結合部位、キャッピング部位、スプライス部位、またはステム・ループ形成領域に結合する部位；のいずれかに相補的な塩基配列を含む；請求項６〜１１のいずれかに記載のオリゴヌクレオチドまたはその誘導体。
【請求項１３】
１５〜３０塩基を含有する請求項６〜１２のいずれかに記載のオリゴヌクレオチドまたはその誘導体。
【請求項１４】
下記（１）〜（６）のいずれかに記載のポリペプチド、下記（９）〜（１２）のいずれかに記載のＤＮＡ、それらの形質転換体から選ばれる少なくとも一つを用いる、ＦａｓリガンドまたはＦａｓ抗原に関連する物質のスクリーニング方法。
（１）配列表の配列番号７、８および２６のいずれかで表されるアミノ酸配列を含有し、１以上の任意のアミノ酸の変異を有しても良く、Ｆａｓ抗原を発現する細胞に結合するか、または該細胞にアポトーシスを誘導しまたは抑制することを特徴とするポリペプチド。
（２）配列表の配列番号７、８および２６のいずれかで表されるアミノ酸配列を含有するポリペプチド。
（３）配列表の配列番号７、８および２６のいずれかで表されるアミノ酸配列をコードする塩基配列とハイブリダイズし得る、または、配列表の配列番号７、８および２６のいずれかで表されるアミノ酸配列をコードする塩基配列の相補鎖とハイブリダイズし得る；
塩基配列によってコードされるアミノ酸配列を含有するポリペプチド。
（４）配列表の配列番号１９、２０および２６で表される塩基配列群から選択される少なくとも一つの塩基配列とハイブリダイズし得る、または、配列表の配列番号１９、２０および２６で表される塩基配列群から選択される少なくとも一つの塩基配列の相補鎖とハイブリダイズし得る；
塩基配列によってコードされるアミノ酸配列を含有するポリペプチド。
（５）配列表の配列番号８または２６で表されるアミノ酸配列中の連続した１０以上のアミノ酸を含有するポリペプチドで、Ｆａｓ抗原に結合し、Ｆａｓ抗原を発現する細胞のアポトーシスを誘導し、抑制し、または調節する活性を有し、またはＦａｓリガンドに対する抗体を誘導するポリペプチド。
（６）配列表の配列番号８または２６で表されるアミノ酸配列の一部の配列の少なくとも２つの融合蛋白質であり、Ｆａｓ抗原に結合し、および・またはＦａｓ抗原を発現する細胞のアポトーシスを誘導し、抑制し、または調節する活性を有するポリペプチドを含有するポリペプチド。
（９）上記（１）〜（６）のいずれかに記載のポリペプチドをコードする塩基配列を含有するＤＮＡ。
（１０）配列表の配列番号１７、１８、１９、２０、または配列番号２６の１５番目から４０４番目の塩基配列によって表される塩基配列を含有するＤＮＡ。
（１１）配列表の配列番号２０または２６で表される塩基配列中の連続した１５以上のヌクレオチドを含有するＤＮＡ。
（１２）下記から選択されるＤＮＡ：
ａ）配列表の配列番号１７〜２０、２６で示される配列の群から選ばれる塩基配列と；または、配列表の配列番号１７〜２０、２６で示される配列の群から選ばれる塩基配列と相補的な塩基配列と；
50％ホルムアミド、１×デンハルト溶液、0.1 ％SDS 、100 μg/mlの変性サケ精子DNA および10％デキストラン硫酸を含む５×SSCP中で28℃でハイブリダイズできるＤＮＡ、および
ｂ）ＦａｓリガンドをコードするＤＮＡであって、ａ）で規定されるＤＮＡに対して遺伝子コードの結果として縮重しているＤＮＡ。
【請求項１５】
さらにＦａｓ抗原またはＦａｓ抗原を発現する細胞を用いる、請求項１４に記載のＦａｓリガンドまたはＦａｓ抗原に関連する物質のスクリーニング方法。
【請求項１６】
前記スクリーニングされる物質が、Ｆａｓリガンドに結合する物質、Ｆａｓリガンドの発現に影響を及ぼす物質、Ｆａｓ抗原の発現に影響を及ぼす物質、および標的細胞上のＦａｓリガンドの作用に影響を及ぼす物質からなる群から選択される少なくとも一つの物質である請求項１４または１５に記載のＦａｓリガンドまたはＦａｓ抗原に関連する物質のスクリーニング方法。
【請求項１７】
以下の［１］〜［３］の工程から選ばれる工程を有する、請求項１４〜１６のいずれかに記載のＦａｓリガンドまたはＦａｓ抗原に関連する物質のスクリーニング方法。
［１］ａ）下記（１）〜（６）のいずれかに記載のポリペプチド、それらを発現する形質転換体、形質転換体の培養上清から選ばれる少なくとも一つの物質を、Ｆａｓ抗原を発現する細胞と共に培養する工程、
ｂ）上記系ａ）に試験される物質または試験される物質を含む試料を加える工程、および
ｃ）Ｆａｓ抗原を発現する細胞の；生死、形態的変化、および生化学的変化から選ばれる少なくとも一つのパラメータを測定する工程。
［２］ａ）被検物質または被検物質を含む試料を；
下記（１）〜（６）のいずれかに記載のポリペプチド、それらを発現する形質転換体、形質転換体の培養上清から選ばれる少なくとも一つの物質と共に培養する工程、
ｂ）上記系ａ）にＦａｓ抗原を発現する細胞を加え、培養する工程、および
ｃ）Ｆａｓ抗原を発現する細胞の；生死、形態的変化、および生化学的変化から選ばれる少なくとも一つのパラメータを測定する工程。並びに
［３］ａ）被検物質または被検物質を含む試料を、Ｆａｓ抗原を発現する細胞と共に培養する工程、
ｂ）上記系ａ）に下記（１）〜（６）のいずれかに記載のポリペプチド、それらを発現する形質転換体、形質転換体の培養上清から選ばれる少なくとも一つの物質を加え、培養する工程、および
ｃ）Ｆａｓ抗原を発現する細胞の；生死、形態的変化、および生化学的変化から選ばれる少なくとも一つのパラメータを測定する工程、
（１）配列表の配列番号７、８および２６のいずれかで表されるアミノ酸配列を含有し、１以上の任意のアミノ酸の変異を有しても良く、Ｆａｓ抗原を発現する細胞に結合するか、または該細胞にアポトーシスを誘導しまたは抑制することを特徴とするポリペプチド。
（２）配列表の配列番号７、８および２６のいずれかで表されるアミノ酸配列を含有するポリペプチド。
（３）配列表の配列番号７、８および２６のいずれかで表されるアミノ酸配列をコードする塩基配列とハイブリダイズし得る、または、配列表の配列番号７、８および２６のいずれかで表されるアミノ酸配列をコードする塩基配列の相補鎖とハイブリダイズし得る；塩基配列によってコードされるアミノ酸配列を含有するポリペプチド。
（４）配列表の配列番号１９、２０および２６で表される塩基配列群から選択される少なくとも一つの塩基配列とハイブリダイズし得る、または、配列表の配列番号１９、２０および２６で表される塩基配列群から選択される少なくとも一つの塩基配列の相補鎖とハイブリダイズし得る；塩基配列によってコードされるアミノ酸配列を含有するポリペプチド。
（５）配列表の配列番号８または２６で表されるアミノ酸配列中の連続した１０以上のアミノ酸を含有するポリペプチドで、Ｆａｓ抗原に結合し、Ｆａｓ抗原を発現する細胞のアポトーシスを誘導し、抑制し、または調節する活性を有し、またはＦａｓリガンドに対する抗体を誘導するポリペプチド。
（６）配列表の配列番号８または２６で表されるアミノ酸配列の一部の配列の少なくとも２つの融合蛋白質であり、Ｆａｓ抗原に結合し、および・またはＦａｓ抗原を発現する細胞のアポトーシスを誘導し、抑制し、または調節する活性を有するポリペプチドを含有するポリペプチド。
【発明の詳細な説明】
【技術分野】
【０００１】
本発明は、Ｆａｓリガンドおよびその一部、およびそれをコードする新規なＤＮＡを医薬の分野に提供する。本発明は、また、当該新規ポリペプチドを検出するために使用できる抗体を試薬の分野に提供する。さらに、本発明は、当該DNAを含む組換えDNA 分子、形質転換体、当該新規ポリペプチドの精製方法、および当該新規ポリペプチドの製造方法、当該DNA に対するアンチセンスオリゴヌクレオチド、Fas リガンドに関連する物質のスクリーニング法をも提供する。
【背景技術】
【０００２】
多数の細胞で構成される生体の恒常性は、細胞の増殖と分化およびその死によって巧妙に制御されている。細胞の死は、死につつある細胞の形態から、ネクローシス（壊死）とアポトーシス（自死）に大別される。このうち、ネクローシスとは、一つ以上の細胞あるいは組織や器官の一部分のアクシデンタルな死のことである。ネクローシスを起こした細胞では、細胞膜の破壊、および細胞内容物の細胞外への放出が観察される。一方、アポトーシスとは、生体の恒常性を維持するための細胞死のことである。アポトーシスを起こした細胞では、染色体DNA の断片化、核の濃縮が観察されるが、ネクローシスの場合とは異なり、細胞膜の破壊や細胞内容物の放出は認められない。アポトーシスはプログラム細胞死（programed cell death）の１つの形態であるとも考えられており、例えば、個体発生において不必要な細胞や器官が欠落していく現象は細胞のアポトーシスによるものと考えられている。また、細胞障害性Ｔ細胞 (CTL)、ナチュラルキラー細胞（NK細胞）、TNF−αやTNF−βなどによってウイルス感染細胞や腫瘍細胞が攻撃除去され際の細胞死もアポトーシスであると考えられており、アポトーシスの機能を解明し、生理現象との関係を明らかにするための研究が、多くの研究者によって進められている。
ところで、細胞にアポトーシスを生じさせる物質としてはFas抗体が知られている。Fas抗体は、ヒト線維芽細胞でマウスを免疫して得られたモノクローナル抗体である（ヨネハラ S.(Yonehara S.)等、J. Exp. Med.、169巻、1747-1756頁、1989年）。Fas抗体によって認識され、アポトーシスのシグナルを細胞に伝達する細胞表面抗原（Fas抗原）がいかなるものであるかは長年不明であったが、最近、イトウ N.(Itoh N.)等によって、Fas抗原遺伝子がクローニングされ、Fas抗原が約45kDの細胞膜上の蛋白質であり、そのアミノ酸配列からTNFレセプターファミリーに属する事が判明した（Cell、66巻、233-243頁、1991年）。また、マウスFas抗原遺伝子もクローニングされ（ワタナベ−フクナガ(Watanabe-Fukunaga R.)等、J. Immunol., 148巻、1274-1279頁、1992年）、Fas 抗原mRNAが、マウスの胸腺、肝、肺、心臓、卵巣で発現していることが確認された。
Fas 抗原遺伝子のクローニング以後、Fas 抗原を介したアポトーシスと疾患との関係についての研究が進み、種々の報告がされるようになった。
コバヤシ N.(Kobayashi N.)等は、エイズウイルス感染によりＴ細胞膜上にFas抗原の発現が誘導されることを報告し、エイズで見られるＴ細胞のアポトーシスが、Fas抗原を介した現象である可能性を示唆している（日経サイエンス、6 巻、34-41 頁、1993年）。
オガサワラ(Ogasawara J.)等は、Fas抗体をマウスに投与することによって、劇症肝炎に似た現象が起きることを観察し、劇症肝炎などの炎症部位では、Ｆａｓ抗原を介したアポトーシスが生じている可能性を示唆した(Nature 、364巻、806-809頁、1993年)。ヒラマツ(Hiramatsu Y.)等は、慢性Ｃ型肝炎の患者で、白血球の浸潤が認められる、肝臓の炎症部位にFas 抗原の発現が高いことを報告した(Hepatology, 19巻、1354-1359頁、1994年)。
ワタナベ−フクナガ(Watanabe-Fukunaga R.)等は、自己免疫疾患のモデル動物の１つであるlprマウスではFas抗原遺伝子に変異が生じていること、このような変異の生じたFas抗原遺伝子を発現している細胞ではアポトーシスが起きないことを証明している。そして、自己免疫疾患では、Fas抗原もしくはFas抗原に作用してアポトーシスを起こさせる生体内物質に異常があり、そのため、本来アポトーシスを起こして生体内から除去されるべき自己反応性のＴ細胞が残存し、自己免疫疾患様の症状が生じるのであろうと予想している（Nature, 356巻、314-317頁、1993年）。
このように、Fas抗原が単離され、生体内でFas抗原が発現し、アポトーシスが惹起されることが確認されたことから、Fas抗原に結合して細胞にアポトーシスを起こすような物質（以下、Fasリガンドという）が生体内に存在し、Fas抗原特異的なアポトーシスが起きていることが予想された。
上述のWatanabe-Fukunaga 等は、lprマウスと同様に自己免疫疾患様症状を呈するgldマウスでは、Fas 抗原に結合する生体内分子の方に異常があるのであろうと予想した。
最近、ルービエ E.(Rouvier E.)らは、免疫系においてFas抗原特異的なアポトーシスが生じていることをより具体的に示した（J. Exp. Med., 177巻、195-200頁、1993年）。すなわち、彼らは、マウス末梢血リンパ球（PBL）、および、マウスCTLとラットＴリンパ種細胞のハイブリドーマであるPC60-d10S細胞を使用し、これらの細胞によるCa2+非依存的な細胞障害作用が、Fas 抗原を発現する細胞に対してのみ認められる事を示した。そして、彼等は、これらのリンパ球細胞、とりわけＴ細胞がFas 抗原もしくはFas抗原に関連する何らかの分子を認識しているであろうこと、およびこれらの細胞がFasリガンドを発現しているかもしれないことを指摘している。
Fas抗原を介したアポトーシスの機構を解明するには、Fas リガンドを単離することが重要である。
上記ルービエ(Rouvier E.)等により、Fas リガンドの存在の可能性が指摘されたが、その実体は何ら明らかにされていない。
前述のように、Fas 抗原と様々な疾患、生理現象との関連が示唆されていることから、Fas リガンドの存在を明らかにし、その実体を把握することは、医療をはじめ、多くの分野で渇望されている。
【発明の開示】
【発明が解決しようとする課題】
【０００３】
本発明の目的は、Fas抗原に結合する新規な蛋白質およびそれをコードする遺伝子を単離し、提供することにある。
【課題を解決するための手段】
【０００４】
Fas抗原に結合する物質が単離されれば、それを使用して、人為的に生体内で生じるアポトーシスを調節し、疾患の治療や、診断に使用する事ができる。Fas抗原に結合して細胞にアポトーシスを誘導するような物質（Fasリガンド）は、生体にとって不必要な細胞を除去するために使用することが可能である。たとえば、先述したように、エイズウイルス感染細胞ではFas抗原が発現されているので、エイズウイルス感染初期においては、Fasリガンドを使用してアポトーシスを人工的に誘導し、感染細胞を早期に除去する事により、エイズを治療する事が可能であろう。また、ある種の自己免疫疾患では、人為的にFas抗原を介したアポトーシスを生じさせる事により、自己抗原反応性のＴ細胞の除去が可能になるであろう。また、モリモト H.(Morimoto H.)等は、癌細胞にFas抗原を介したアポトーシスを誘導する事によって、アドリアマイシンやシスプラチンによる制癌効果が相乗的に増強されることを報告している（Cancer Res., 53 巻、2591-2596頁、1993年）ので、Fas リガンドは癌治療にも使用することができるであろう。
一方、エイズウイルス感染後期の免疫能の低下や、劇症肝炎における肝機能低下は、免疫担当細胞あるいは肝細胞のアポトーシスにより組織の機能が著しく低下した結果と考えられる。このような状態においては、Fasリガンドの作用を抑制し、細胞のアポトーシスを防ぐことが必要になる。したがって、このような病態には、Fasリガンドの発現を抑制する物質やFasリガンドと拮抗的に作用する物質を使用した治療が必要である。
このように、生体内で生じているアポトーシスを人為的に調節するという原理に基づいた治療方法は、Fas リガンドが同定されて初めて可能になる方法である。
Fas抗原と結合する蛋白質を、治療や研究に使用するためには、当該蛋白質を高純度で、大量に生産することが必要になる。当該蛋白質をコードする遺伝子をクローニングすれば、当該蛋白質を遺伝子工学的に生産することが可能になり、当該蛋白質を治療薬の主成分として使用したり、抗体の作製に使用することが可能になる。また、遺伝子そのものは、遺伝子治療やアンチセンス医薬の開発に使用したり、トランスジェニックマウス等、アポトーシスが関与する疾患のモデル動物の作製に使用することができる。
本発明者らは、Fas リガンドを単離すべく鋭意研究を重ねてきた。そして、上述したPC60-d10S細胞に着目した。PC60-d10SはマウスCTL とラットＴリンパ腫とのハイブリドーマで、PMA（ホルボールミリステートアセテート）とイオノマイシンで刺激するとFas抗原発現細胞に対してのみアポトーシスを誘導する細胞である。本発明者らは、鋭意研究を重ねた結果、無刺激でも、より高い細胞障害作用を示す、Fasリガンド遺伝子をクローニングするのに適した細胞集団、PC60-d10S-2を得る事に成功した。そして、この細胞集団より、ラットFasリガンド遺伝子をクローニングした。また、本発明者らは医薬品等に使用するのに適したヒト由来のFasリガンドを単離することを目的として研究を重ね、ついにヒトFasリガンドをコードする遺伝子を得ることにも成功した。さらに、マウスFasリガンドをコードする遺伝子を得る事にも成功し、これらの配列が互いに類似すること、部分的に共通の配列を有することを確認した。さらに、Fas リガンドの活性に必要と思われる部分を特定し、本発明を完成させたものである。
すなわち、本発明第１の態様は、Fasリガンドのアポトーシスを誘導する活性を有するポリペプチドを提供する。
本発明第２の態様は、Fasリガンドであるポリペプチドの一部を提供する。
本発明第３の態様は、本発明第１または第２の態様の新規ポリペプチドをコードする塩基配列を有することを特徴とする新規DNAである。
本発明第４の態様は、本発明第３の態様のDNAを含むことを特徴とする組み換えDNA分子である。
本発明第５の態様は、本発明第３の態様の新規DNAで形質転換されたことを特徴とする形質転換体である。
本発明第６の態様は、本発明第４の態様の組み換えDNA分子で形質転換されたことを特徴とする形質転換体である。
本発明第７の態様は、本発明第５または第６の態様の形質転換体を用いることを特徴とする本発明第１または第２の態様の新規ポリペプチドの製造方法である。
本発明第８の態様は、本発明第１または第２の態様の新規ポリペプチドの精製方法である。
本発明第９の態様は、本発明第１または第２の態様の新規ポリペプチドを認識することを特徴とする新規抗体である。
本発明第10の態様は、Fasリガンド遺伝子またはFasリガンドに対するmRNAの一部に相補的な塩基配列を含むことを特徴とするオリゴヌクレオチドまたはオリゴヌクレオチド誘導体である。
本発明第11の態様は、本発明第１または第２の態様の新規ポリペプチドもしくはそれを発現する形質転換体を使用することを特徴とするFas抗原もしくはFasリガンドに関連する物質のスクリーニング方法である。
【発明の効果】
【０００５】
本発明により、Fasリガンドおよびその一部である新規ポリペプチドが提供される。当該新規ポリペプチドは、 Fas抗原を介したアポトーシスが関与する疾患、たとえば自己免疫疾患や、ウイルス感染の治療薬として開発する事ができる。また、当該新規ポリペプチドは抗体を作製する際の抗原として使用できるほか、試料中の当該ポリペプチドを、抗体を使用して競合反応にて測定する際に使用することができる。
本発明によればまた、Fasリガンドもしくはその一部をコードするDNA が提供される。
当該DNA は、前記新規ポリペプチドを遺伝子工学的手法を使用して、工業的に大量生産するために使用できる。また、DNA プローブを作製するためにも使用できる。さらに、自己免疫疾患では、遺伝的にアポトーシスの機構が欠損しているケースが考えられるが、当該新規DNA は、このような疾患の遺伝子治療にも使用する事ができる。
さらに、DNA 配列が明らかになったことにより、 Fasリガンド遺伝子もしくは Fasリガンドに対するmRNAの一部に相補的な塩基配列を含むオリゴヌクレオチドまたはオリゴヌクレオチド誘導体が提供される。当該オリゴヌクレオチドは、 Fasリガンドの発現を調節するために使用できる他、診断用プローブとしても利用できる。
【発明の概要】
【０００６】
以下に詳細に本発明を説明する。
まず、本発明第１の態様について説明する。
本明細書中の説明において、「式Ｘ（もしくは配列番号Ｘ）に記載のアミノ酸配列を含有するポリペプチド」とは、そのポリペプチドのアミノ酸配列が、式Ｘもしくは配列番号Ｘに記載されたアミノ酸配列であるか、式Ｘもしくは配列番号Ｘのアミノ酸配列のＮ末端、Ｃ末端のいずれか一方、もしくはその両方に、任意の１つ以上のアミノ酸が付加してなるアミノ酸配列であることを意味する。また、「式Ｘ（もしくは配列番号Ｘ）に記載のアミノ酸配列を有するポリペプチド」とは、そのポリペプチドのアミノ酸配列が、実質的に、式Ｘもしくは配列番号Ｘに記載のアミノ酸配列であることを意味する。
また、本明細書中の説明において、「Fasリガンド」とは、少なくともその活性として、Fas抗原を発現する細胞に対してアポトーシスを誘導する活性を有する物質のことである。Fasリガンドによるアポトーシスの誘導は、Fasリガンドが細胞表面のFas抗原に結合し、Fas 抗原を介して、アポトーシスのシグナルが細胞に伝達されるためと考えられている。ここでいうFas 抗原はいかなる動物種由来のFas 抗原であってもよい。例えば、ヒトFas 抗原であれば、イトウ等によりアミノ酸配列が決定されており、マウスFas 抗原であればワタナベ−フクナガ等によりアミノ酸配列が決定されており、ラットFas 抗原であれば、キムラ等により、アミノ酸配列が決定されている（イトウ N.(Itoh N.)等、Cell, 66巻、233-243頁、1991年、ワタナベ−フクナガ R.(Watanabe-Fukunaga R.)等、J. Immunol., 148巻、1274-1279頁、1992年、キムラ K.(Kimura K.)等、Biochem. Biophys. Res. Commun., 198 巻、666-674頁、1994年）。
本発明第１の態様のFas リガンドのアポトーシス誘導活性を有する新規ポリペプチドは、式１ないし12（配列表の配列番号１ないし12）いずれかに記載のアミノ酸配列を含むことを特徴とする。
このうち、前記式１ないし４は、ヒト細胞より得られたFas リガンドのアミノ酸配列であり、前記式５ないし８はラット細胞より得られたFas リガンドのアミノ酸配列である。また、前記式９ないし12はマウス細胞より得られたFas リガンドのアミノ酸配列である。
前記式４、８、12のアミノ酸配列は、いずれも、細胞内領域、膜貫通領域、細胞外領域を含んでいることから、これらのポリペプチドは、生体内においては細胞表面ポリペプチドとして存在していると考えられる。従って、これらのアミノ酸配列を有するポリペプチドを得るためには、これらを発現している細胞や組織から精製する必要がある。ところで、このような細胞表面上に存在するポリペプチドの細胞外領域は、細胞膜から切断、遊離され、それを生産する細胞の培養上清中や、尿や血液等の体液中に存在することが多い。一般に、ポリペプチドの精製は、細胞や組織から精製する場合と、培養上清や尿から精製する場合とでは、後者の方が効率的であり収量も多い。従って、Fas リガンドにおいても、細胞外領域の方が、その生産性の面で、都合がよい。
本発明では、このようなFas リガンドの細胞外領域も本発明のFas リガンドのアポトーシス誘導活性を有するポリペプチドとして提供する。細胞外領域が細胞膜から切断される部位は、それを生産する細胞の培養条件や細胞内外のプロテアーゼの影響により、多様性が生じることもある。しかしながら、本発明において提供されるFas リガンドの細胞外領域の好ましい例は、前記式３、７、11のいずれかのアミノ酸配列を有するポリペプチドである。これらはそれぞれヒト、ラット、マウスのFas リガンドの細胞外領域のアミノ酸配列に相当する。前記式３の配列は、前記式４のアミノ酸配列のＮ末端より数えて第103番目から281番目に相当し、前記式７の配列は前記式８のアミノ酸配列のＮ末端から数えて第100番目から278番目に相当する。また、前記式11の配列は前記式12のアミノ酸配列のＮ末端から数えて第101番目から279番目に相当する。
本発明のFas リガンドのアポトーシス誘導活性を有するポリペプチドは、好ましくは、Fas リガンドの細胞外領域である。
ところで、周知のとおり、ポリペプチドを組み換えDNA技術を使用して製造する場合には、低分子量のポリペプチドの方が発現量が高く、より高い生産効率が期待できる。また、活性に必要な部分のみを有しているポリペプチドは、余分な配列を有しているポリぺプチドに比べ、生体に対する抗原性が低いことが期待される。加えて、低分子量のポリペプチドであれば、他の活性を有するポリペプチドと融合させて新たな活性を付加させたり、抗体と結合させて特定の細胞にのみ作用させる等の修飾が容易である。本発明は、このように、生産性、抗原性等の点で有用性が期待できるより低分子のポリペプチドとして、前記式１、５、９のいずれかのアミノ酸配列を有するポリペプチドを提供する。また、本発明は、前記式２、６、10のいずれかのアミノ酸配列を有するポリペプチドを提供する。
前記式１、２、５、６、９および10は、ヒト、ラットおよびマウスの細胞外領域部分のアミノ酸配列の一部を表すものである。
すなわち、前記式１、５、９のアミノ酸配列は、ぞれぞれ、前記式３、７、11のアミノ酸配列のＮ末端から42アミノ酸が欠損した配列である。また前記式２、６、10のアミノ酸配列は、それぞれ、前記式３、７、11のアミノ酸配列のＮ末端から41アミノ酸が欠損した配列である。実施例からも明らかなように、細胞外領域のアミノ酸配列である前記式３のＮ末端から42アミノ酸、41アミノ酸を欠損したアミノ酸配列（それぞれ、前記式１、式２）のアミノ酸配列を有するポリペプチドであってもアポトーシス誘導活性を有している。また、前記式３のＮ末端から40アミノ酸、38アミノ酸、34アミノ酸を欠損したアミノ酸配列を有するポリペプチドであっても、アポトーシスを誘導する活性を有している。
このことは、細胞外領域のＮ末端から43番目以降のアミノ酸配列がアポトーシス誘導活性には必要であり、このアミノ酸配列、すなわち前記式１、５、９いずれかに記載のアミノ酸配列をその一部に含有するポリペプチドは、アポトーシス誘導活性を有していること、および欠損するアミノ酸の数によってアポトーシスを誘導する活性に差があることを示唆している。従って、本発明の新規ポリペプチドは、前記式１、５、９のいずれかのアミノ酸配列を含有するものとして特徴づけられる。
本発明第１の態様のポリペプチドの中で、ヒト由来のFas リガンドの細胞外領域である前記式３のアミノ酸配列のＮ末端から１ないし42いずれかの数のアミノ酸が欠如したアミノ酸配列を有するポリペプチドは、いずれも、他の動物種から得られたFas リガンドに比べてヒトに対する抗原性が低く、形質転換体において適当なシグナルペプチドをつけて発現させれば、形質転換体の培養上清から回収でき、低分子化されているので優れた生産性が期待される。なかでも、前記式３のＮ末端から40アミノ酸を欠損したアミノ酸配列を有するポリペプチド、および前記式３のＮ末端から34アミノ酸を欠損したアミノ酸配列を有するポリペプチドは、活性の面からも好ましいポリペプチドである。
一般にポリペプチドは、種の違い、個体の違いによって、その基本的な機能が保持れたまま、アミノ酸配列に変異が生じる場合がある。ここでいうアミノ酸の変異とは、アミノ酸配列中の１つ以上のアミノ酸が、欠失したり、他のアミノ酸に置換されたりすること、および、アミノ酸配列中の任意の位置に１つ以上のアミノ酸が挿入もしくは付加されたりすることである。このような変異は、遺伝子工学的な技術を使用し、人工的に生じさせることも可能である。従って、ポリペプチドが、前記式１ないし12に記載のいずれかのアミノ酸配列に上記のような変異が生じたアミノ酸配列を含有するものであっても、それが、前記式１ないし12のアミノ酸配列を有するポリペプチドと同様の性質を有する限り、本発明のポリペプチドに含まれる。
一般に、同一の機能を有するポリペプチドに対するDNA は、動物種や個体が異なっていても互いに相同性があり、互いにハイブリダイズすることが多い。アミノ酸の多様性も、それらをコードするDNA が互いにハイブリダイズする範囲で生じることが多い。例えば実施例で示したハイブリダイゼーション法によるDNA のクローニングは、前記式３または11のアミノ酸配列をコードするDNA が、前記式７のアミノ酸配列をコードするDNA とハイブリダイズすることを示している。そして、前記式３のアミノ酸配列を有するポリペプチドは、ヒトFas 抗原に加え、少なくとも、マウスFas 抗原に結合する。前記式７のアミノ酸配列を有するポリペプチドは、ラットFas 抗原に加え、少なくともマウスFas 抗原にも結合する。前記式11のアミノ酸配列を有するポリペプチドは、マウスFas 抗原に加え少なくともヒトFas 抗原にも結合する。このように、互いにハイブリダイズするDNA によってコードされるアミノ酸配列を有するポリペプチドは、実質的に同一の機能を有すると考えられる。
従って、本発明の新規ポリペプチドは、前記式１ないし12、より好ましくは前記式１、５、９のいずれかのアミノ酸配列をコードする塩基配列に相補的な塩基配列にハイブリダイズする塩基配列によってコードされるアミノ酸配列を含有するものとしても特徴づけることができる。本発明の新規ポリペプチドは、好ましくは、この特徴に加え、少なくともヒトFas 抗原、ラットFas 抗原、マウスFas 抗原のいずれかに結合するものであり、さらに好ましくはアポトーシス誘導活性を有するものである。
つぎに、本発明第２の態様の新規ポリペプチドについて説明する。
本発明第２の態様の新規ポリペプチドは、Fas リガンドの一部およびそれらの融合体である。本発明の第２の態様のポリペプチドは、好ましくは、前記式４、８、12いずれかに記載のアミノ酸配列の一部からなるポリペプチドおよびそれらポリペプチドを２種以上融合させてなる融合体である。
前記式４、８、12いずれかに記載のアミノ酸配列の一部からなるポリペプチドとは、いかなる長さのポリペプチドであってもよい。しかながら、当該ポリペプチドが、前記式４、８、12に特徴的な配列を有するためには、当該ポリペプチドは、好ましくは、５アミノ酸以上、さらに好ましくは10アミノ酸以上のアミノ酸からなるポリペプチドである。
【０００７】
本発明第２の態様のポリペプチドは、Fas 抗原に結合する物であっても、しない物であってもよい。本発明第２の態様のポリペプチドが、Fas 抗原に結合し、かつアポトーシスを誘導しない場合には、生体内のFas リガンドに拮抗する物質として、アポトーシスを人為的に抑制するために使用することができる。また、本発明第２の態様のポリペプチドは、実施例に示すように、それが、Fas 抗原に結合するかしないかに関わらず、また、アポトーシスを誘導するかしないかに関わらず、本発明第１の態様の新規ポリペプチドに対する抗体作成するための抗原として使用することができる。
前記式４、８、12いずれかに記載のアミノ酸配列の一部からなるポリペプチドを２種以上融合させてなるポリペプチドとは、前記式４、８、12に記載のアミノ酸配列の一部からなるポリペプチドより選ばれる、任意の２つ以上のポリペプチドが任意の順番で融合したポリペプチドである。例えば、前記式４に記載のアミノ酸配列の一部からなるポリペプチド同士を融合させたもの、前記式４の一部からなるポリペプチドと前記式８の一部からなるポリペプチドを融合させたもの等が本発明に含まれる。このような融合ポリペプチドの例としては、前記式３のアミノ酸配列のＮ末端から数えて50番目のアミノ酸から179 番目までのアミノ酸までの配列に加えて、そのＮ末端に、前記式７のアミノ酸配列の１番目のアミノ酸から49番目のアミノ酸までの配列、もしくは前記式11のアミノ酸配列の１番目のアミノ酸から49番目のアミノ酸までの配列を有するポリペプチドが挙げられる。これらのポリペプチドは、それぞれ、ヒト由来Fas リガンドとラット由来Fas リガンドのキメラ型ポリペプチド、ヒト由来Fas リガンドとマウス由来Fas リガンドのキメラ型ポリペプチドであり、Fas 抗原を誘導する細胞に対してアポトーシスを誘導することが期待されるものである。
上述の融合ポリペプチドは、組み換えDNA 技術を使用して作製することができる。すなわち、それぞれのポリペプチドをコードするDNA をライゲーションさせて、目的のキメラ型Fas リガンドをコードするDNA を作製する。これを適当な発現ベクター組み込んで宿主細胞を形質転換させ、形質転換体もしくはその培養上製から目的のキメラ型Fas リガンドを回収する。
通常、同一の機能を有する蛋白質をコードするDNA の塩基配列は、動物種や個体が違っても、互いにホモロジーを有していることが多い。従って、「配列番号13ないし24（式13ないし24）いずれかの塩基配列中の任意の一つ以上の塩基に変異が生じた塩基配列」とは、前記式13ないし24より選択されるいずれかの塩基配列の少なくとも一部とホモロジーのある配列、すなわち、前記式13ないし24より選択されるいずれかの塩基配列に相補的な配列の少なくとも一部とハイブリダイズする塩基配列を有するDNA であることが好ましい。ここで「ハイブリダイズする」とは、前記式13ないし24のいずれかの塩基配列に相補的な配列の一部をプローブとして、公知の方法（例えば、サムブルック J.(Sambrook J.)等、 Molecular Cloning, a Laboratory Manual 2nd ed., 1989 年、 Cold Spring Harbor Laboratory, ニューヨーク(New York)、参照）でハイブリダイゼーションを行った場合にハイブリダイズすることをいう。
本発明の第１および第２の態様の新規ポリペプチドには、糖鎖を有するもの、有さないものいずれもが含まれる。
前記式４および８で示したアミノ酸配列には、それぞれ４ヶ所の糖鎖付加可能部位（Ｎ−グリコシレーションサイト）がある。すなわち、前記式４においては、アミノ酸番号76〜78、184 〜186 、250 〜252 、260 〜262 が、前記式８においてはアミノ酸番号116 〜118 、130 〜132 、247 〜249 、257 〜259 が糖鎖付加可能部位に相当する。また、前記式12のアミノ酸配列には５ヶ所のＮ−グリコシレーションサイトがある（アミノ酸番号117 〜119 、131 〜133 、182 〜184 、248 〜250 および258 〜260 ）。
従って、当該ポリペプチドが動物細胞によって生産されたものであったり、遺伝子工学的に酵母や動物細胞等の真核細胞を宿主として生産させたものであったりした場合には、糖鎖が付加される可能性がある。一方、大腸菌等の原核細胞を宿主として遺伝子工学的にポリペプチドを生産させた場合には、当該新規ポリペプチドは糖鎖を持たない。
【０００８】
本発明第１および第２の態様のポリペプチドは、糖鎖の有無にかかわらず有用である。例えば、当該ポリペプチドは、糖鎖の有無にかかわらず、本発明第９の態様の抗体を作成する際の抗原として使用したり、当該ポリペプチドに結合する物質のスクリーニングに使用することができる。
本発明第１および第２の態様の新規ポリペプチドはいかなる方法で生産されたものであってもよい。例えば、ペプチド合成機（例えば、ペプチドシンセサイザー430A型、パーキンエルマージャパン（株）製）を使用して化学合成したものでも、ヒトおよびヒト以外のいかなる生物の組織や細胞、体液から精製されたものであってもよい。ヒトや動物の体液としては、血液や尿があげられる。細胞としては、本発明の新規ポリペプチドを産生する細胞を適宜選択して用いることができる。例えば、脾細胞や胸腺細胞、リンパ球系細胞、および、それらの株化細胞などを、ノーザンブロットあるいはウエスタンブロット等で解析し、本発明の新規ポリペプチドの発現量の高いものを選択する。
必要があれば、細胞をPMA（ホルボールミリステートアセテート）やイオノマイシン、PHA（フィトヘムアグルチニン）、ConA（コンカナバリンＡ）、IL-2（インターロイキン-2）等の刺激剤から選ばれる、１種もしくは２種以上の適切な刺激剤で刺激して産生誘導する。そして、細胞もしくは培養上清から、当該ポリペプチドを精製する。精製は、濃縮や、各種クロマトグラフィー、塩析など一般的に行われているポリペプチドの精製方法を適宜組み合わせ、Fas 抗原への結合性、もしくは、Fas 抗原を発現している細胞への細胞障害活性等を指標として行うことができる。精製方法の好ましい例は、第８の態様で説明する。
しかしながら、当該新規ポリペプチドは、その純度の面から、遺伝子工学的に生産されたもの、すなわち、組換え型ポリペプチドであることが好ましい。当該ポリペプチドを遺伝子工学的に生産するには、後述する本発明第３の態様の新規DNA 、もしくは第４の態様の組換えDNA 分子を用いて、適当な宿主細胞を形質転換し、得られた形質転換体を培養して培養混合物を回収し、当該ポリペプチドを精製する。また、該DNA や組換えDNA 分子を利用して無細胞系の合成方法（サムブルック J.(Sambrook, J.)et al.:  Molecular Cloning 2nd ed.(1989年)）で得る方法も、遺伝子工学的に生産する方法の１つである。
遺伝子工学的に本発明の新規ポリペプチドを製造する好ましい方法については本発明第７の態様で説明している。
近年の技術により、ポリペプチドをポリエチレングリコールや、スチレン−マレイン酸コポリマー、デキストラン、ピランコポリマー、ポリリジン等の高分子に結合させたり、多糖類やポリペプチドなどの天然高分子、ホルモンなどの生理活性物質、マグネタイトなどの無機物質に結合させたりすることが可能になった（例えば、Proc. Natl. Acad. Sci. USA, 84巻, 1487-1491頁（1981年）、Biochemistry  28巻,  6619-6624頁(1989年)）。
ポリペプチドにポリエチレングリコールを結合させる方法の一例を簡単に説明する。まず、ポリペプチドをそれが活性を失わないような範囲の塩基性ｐＨを有する緩衝液に溶解する。その溶液に、メトキシポリエチレングリコールスクシンイミジルサクシネートのような活性化ポリエチレングリコールを混合し、室温で一定時間反応させる。その後、ゲルろ過等によって、活性を有するフラクションを分取する。本発明第１および第２の態様の新規ポリペプチドも公知方法の組み合わせにより、このような修飾が可能である。従って、本発明第１および第２の態様の新規ポリペプチドには、上述のような修飾を受けたものも包含される。
一般に、ポリペプチドは生体や、培養液中で、共有結合によりもしくは共有結合によらずに複数の分子が結合した多量体を形成することがある。多量体の形成は、同じ分子同士が結合して多量体を形成することもあるし、ことなる分子同士が結合して多量体を形成することもある。例えば、TNF は３量体を形成することが知られている。また、アクチビンは２量体を形成することが知られている。
本発明の第１および第２の態様のポリペプチは、単量体であってもよいし、多量体を形成していても良い。例えば、本発明のポリペプチドは、前記式１ないし12いずれかのアミノ酸配列を有するポリペプチドが互いに結合して、３量体を形成していてもよい。
【０００９】
本発明第１および第２の態様の新規ポリペプチドは、生体内で生じるアポトーシスを調節するために使用することができる。
例えば、Fas 抗原に結合し、アポトーシスを誘導する、前記式１ないし12のいずれかのアミノ酸配列を有するポリペプチドに代表される本発明の新規ポリペプチドは、薬剤耐性となった癌を治療するために使用することができる。また、これらは、HIV ウイルスが感染した細胞に対し、アポトーシスを人為的に誘導し、AIDSの感染初期の治療薬となり、新しい治療方法を医療の分野に提供する事ができる。
一方、本発明第２の態様の新規ポリペプチドのうち、Fas 抗原に結合するがアポトーシスを誘導しないポリペプチドは、肝炎等の重篤な感染症となった時に感染細胞がアポトーシスを起こすのを防ぎ、肝臓等の主要組織の細胞の急激な減少を防止することによって、組織機能の低下を予防することができる。
本発明の新規ポリペプチドを医薬品として使用する場合には、ポリペプチドを有効成分として含む通常の医薬組成物の製造方法に準じて、注射剤、錠剤、カプセル剤、座剤、噴霧剤、クリーム剤、パップ剤、点眼剤等、適当な剤型の医薬組成物を製造する。例えば、注射剤であれば当該新規ポリペプチドを含む溶液を無菌状態で調製し、必要があれば、安定化剤等の補助成分を加えてアンプルに充填し、凍結乾燥することにより、当該新規ポリペプチドを有効成分とする医薬組成物を製造することができる。このようにして得られた医薬組成物は、使用時に、注射用蒸留水等に溶解して静脈内や局所へ投与することができる。医薬組成物の有効成分としては、本発明の新規ポリペプチドの中でもヒトに対する抗原性が最も低い、前記式１ないし４のアミノ酸配列を含有するポリペプチド、特に前記式１ないし４のアミノ酸配列を有するポリペプチド、もしくは、それらの一部を有するポリペプチドを使用することが好ましい。
本発明のポリペプチドは、患者の年齢や、性別、疾患の種類、程度に応じて、その投与方法、その投与量を設定して使用することができる。すなわち、アポトーシスを調節し、病態を改善するのに適した量を、経口投与、あるいは、吸入、経皮投与、点眼、膣内投与、関節内投与、直腸投与、静脈内投与、局所投与、筋肉内投与、皮下投与、腹腔内投与等から適当な方法を選んで投与すればよい。
本発明第１および第２の態様の新規ポリペプチドは、また、抗体を得るための材料として使用することもできる。すなわち、本発明の新規ポリペプチドをウサギなどの動物に投与して、本発明のポリペプチドに対する抗体を作成する。抗体の作製法については、第９の態様で説明する。得られた抗体は、組織や細胞の染色に使用したり、当該新規ポリペプチドを精製するためアフィニティーカラムの作製に使用することができる。
【００１０】
次に本発明の第３の態様の新規DNAを説明する。
本明細書の説明において「式Ｙ（もしくは配列番号Ｙ）の塩基配列を含有するDNA 」とは、DNA が、式Ｙ（もしくは配列番号Ｙ）で表されるものであっても、式Ｙ（もしくは配列番号Ｙ）に記載された塩基配列の5'末端、3'末端のいずれか一方、もしくは両方に任意の１つ以上の塩基が付加した配列で表されるものであってもよいことを意味する。ここで、付加される塩基は、コーディングフレームにずれを生じさせない限りいかなるものであってもよく、例えば、リンカー配列、シグナルペプチドをコードする塩基配列、他の蛋白質をコードする塩基配列、もしくはDNAプローブ等を作製する際にその検出感度の増加を目的として付加される配列等が例として挙げられる。また、「式Ｙ（もしくは配列番号Ｙ）の塩基配列を有するDNA」とは、そのDNAが実質的に、式Ｙ（もしくは配列番号Ｙ）に記載の塩基配列で表されるものであることを意味する。
本発明第３の態様の新規DNAは、Fasリガンドに対するDNAおよびその一部を含有する。
すなわち、本発明第３の態様の新規DNA は、本発明第１および第２の態様の新規ポリペプチドをコードする塩基配列を含有する。本発明の新規DNAは、好ましくは、前記式１ないし12（配列表の配列番号１ないし12）のいずれかのアミノ酸配列もしくはその一部分をコードする塩基配列を含有する。
一般に、アミノ酸をコードするDNAのトリプレットは、アミノ酸の種類ごとに１〜６種類迄存在することが知られているので、前記配列番号１ないし12いずれかに記載のアミノ酸配列をコードする塩基配列は１種類には限定されない。したがって、本発明のDNAは、それが前記１ないし12のいずれかに記載のアミノ酸配列もしくはその一部をコードする限り、いかなる配列からなるDNA であってもよい。
しかしながら、好ましくは、本発明の新規DNA は、前記式13ないし24のいずれかに記載の塩基配列もしくは前記式13ないし24（配列表の配列番号13ないし24）のいずれかに記載の塩基配列の一部を含有するDNAである。前記式16、20、24に記載の塩基配列はそれぞれヒト、ラット、マウス由来のFasリガンドのアミノ酸配列である前記式４、８、12に記載のアミノ酸配列をコードするものである。前記式15、19、23に記載の塩基配列は、それぞれ、前記式４、８、12に記載されたFas リガンドの細胞外領域部分である前記式３、７、11に記載のアミノ酸配列をコードするものである。前記式13、14、17、18、21、22に記載の塩基配列はそれぞれ、上記ヒト、ラットまたはマウスFas リガンドの細胞外領域のより短い領域である前記式１、２、５、６、９、10のアミノ酸配列をコードするものである。
本発明のDNA は、それが本発明第１または第２の態様の新規ポリペプチドをコードする塩基配列を含有する限り、cDNAであっても染色体DNAであってもよい。しかしながら、ベクターへの導入の容易さ等、遺伝子工学的手法における扱い易さから、本発明の新規DNA はcDNAであることが好ましい。染色体DNAの一例としては、前記式13ないし16の塩基配列を含有する染色体DNA の塩基配列を図16〜18に示してある。
本発明のDNA は、本発明第１または第２の態様の新規ポリぺプチドを、組み換えDNA技術を使用して製造するために有用である。すなわち、本発明のDNA を、プロモーター配列等の発現に必要な配列を有する適当な発現ベクターの適当な位置に挿入し、このベクターで適当な宿主細胞を形質転換することによって、形質転換体に本発明第１または第２の態様の新規ポリペプチドを発現させることができる。例えば、実施例にも示したように、前記式16、20、24の塩基配列を含有する組換えDNA 分子で形質転換させた形質転換体の培養上清中には、アポトーシスを誘導する活性を有するポリペプチド、すなわちFas リガンドが遊離される場合がある。Fas リガンドはこのような形質転換体もしくはその培養上清から、回収することができる。
特に、前記式13、14、15、17、18、19、21、22、23のいずれかに記載の塩基配列を有するDNA は、アポトーシスを誘導する活性を有するより低分子のポリペプチドを生産するために適している。これらの塩基配列は、ヒト、ラットおよびマウスのFas リガンドの細胞外領域部分またはその一部のアミノ酸配列をコードする塩基配列を表すものである前記式１、２、３、５、６、７、９、10、11のアミノ酸配列をコードしているので、適当なシグナルペプチドをコードする塩基配列の下流に、これらのいずれかの塩基配列を有するDNA を接続して発現させると、その培養上清中に前記ポリペプチドが分泌されるからである。
既に説明したように、ポリペプチドの精製においては、細胞のライセートから精製するよりも、培養上清から精製する方が効率的である。前記式13、14、15、17、18、19、21、22、23のいずれかに記載の塩基配列を有するDNA は、上記利点に加え、低分子であるために、遺伝子工学的手法において扱いやすいという点でも利用価値が高い。
先述したように、同一の機能を有するポリペプチドであっても、種差や個体差によってアミノ酸配列や、それをコードするDNA の塩基配列に多様性が生じる事がある。
通常、同一の機能を有するポリペプチドをコードするDNA の塩基配列は、動物種や個体が違っても、互いにホモロジーを有していることが多い。従って、前記式13ないし24いずれかに記載の塩基配列中の少なくとも一部とホモロジーのある塩基配列、すなわち、前記式13ないし24のいずれかのに記載の塩基配列に相補的な配列の少なくとも一部とハイブリダイズするDNA は、本発明のDNA がコードするポリペプチドと同一の機能を有するポリペプチドをコードしていると考えられる。ここで「ハイブリダイズする」とは、前記式13ないし24のいずれかに記載の塩基配列に相補的な配列、もしくはその一部をプローブとして、公知の方法（例えば、サムブルック J.(Sambrook J.)等、 Molecular Cloning, a Laboratory Manual 2nd ed., 1989 年、 Cold Spring Harbor Laboratory, ニューヨーク(New York)、参照）でハイブリダイゼーションを行った場合にハイブリダイズすることをいう。実施例でも、前記式19の塩基配列に相補的な塩基配列の一部をプローブとして、ハイブリダイゼーションを行う方法を示してある。
このように、前記式13ないし24のいずれかに記載の塩基配列に相補的な塩基配列とハイブリダイズするDNA も本発明第３の態様のDNA に含まれる。特に、前記式13、17、21の塩基配列に相補的な塩基配列とハイブリダイズするDNA であって、Fas リガンドをコードするDNA は、本発明第３の態様の好ましい例の１つである。
本発明第３の態様のDNA は、配列表の配列番号27、25、28のいずれかに記載の塩基配列の一部分の塩基配列を有するDNAであってもよい。実施例に示すように配列表の配列番号27、25、28の塩基配列はそれぞれ、Fas リガンドをコードする塩基配列を含有するDNA として、それぞれヒト、ラット、マウス由来のcDNAライブラリーより得られたcDNAの塩基配列である。配列番号27、25、28に記載の塩基配列は、その配列中に、それぞれ、前記式16、20、24に記載の配列を含有する。
前記配列表の配列番号27、25、28のいずれかに記載の塩基配列の一部分とは、いかなる一部分でもよい。例えば、前記式16、20、24の一部分であってもよいし、5'末端側、3'末端側のノンコーディング領域の一部分であってもよい。また、その長さは特に限定されない。
当該DNA は、アポトーシスを誘導するポリペプチドをコードするDNA をクローニングするためのプローブや、P 用のプライマーとして使用することができる。
また、当該DNA を、ホースラディッシュペルオキシダーゼ（HRPO）等の酵素や放射性同位体、蛍光物質、化学発光物質等で標識し、組織や細胞における本発明第１または第２の態様の新規ポリペプチドを検出したり、その発現量を測定する診断用DNA プローブとしても使用することができる。
本発明の第３の態様の新規DNA は、いかなる方法で得られたDNA であってもよい。すなわち、前記式13ないし24（配列表の配列番号13ないし24）、もしくは配列表の配列番号25、27および28を参考にして化学合成されたものであってもよく、適当なDNA ライブラリーからクローニングされたものであってもよい。
本発明の新規DNA を化学合成するには、たとえば、次のように行えばよい。すなわち、まず、前記式13ないし24、もしくは配列表の配列番号25、27および28を参考にして、所望の塩基配列を有するDNA を約20塩基程度からなる断片に分けてDNA 化学合成機（例えば、394型、パーキンエルマージャパン（株）製）を用いて合成し、その後、必要に応じて5'末端のリン酸化を行い、各断片をアニーリングし、ライゲーションして目的とするDNAを得る。
本発明の新規DNAをDNAライブラリーから得る例としては、適当なゲノムDNA ライブラリーやcDNAライブラリーを、ハイブリダイゼーションによるスクリーニング法や、抗体を用いたイムノスクリーニング法等でスクリーニングし、目的のDNA を有するクローンを増殖させ、そこから制限酵素等を用いて切り出す方法がある。
ハイブリダイゼーション法によるスクリーニングは、前記式13ないし24、もしくは配列表の配列番号25、27および28のいずれかの塩基配列もしくはその一部を有するDNA を32Ｐ等でラベルしてプローブとし、任意のcDNAライブラリーに対して、公知の方法で（例えば、マニアティス T.(Maniatis T.)等，Molecular Cloning, a Laboratory Manual, Cold Spring harbor Laboratory,  ニューヨーク(New York), 1982年）行うことができる。
イムノスクリーニング法で用いる抗体は、後述する本発明第９の態様の抗体を使用することができる。
本発明の新規DNA はまた、ゲノムDNA ライブラリーもしくはcDNAライブラリーを鋳型とするP （Polymerase Chain Reaction）によっても得る事ができる。
Pは、前記式13ないし24、もしくは配列表の配列番号25、27および28いずれかの配列をもとに、センスプライマー、アンチセンスプライマーを作成し、任意のDNA ライブラリーに対し、公知の方法（例えば、ミカエル A. I. (Michael A. I.)等，P Protocols, a Guide to Methods and Applications, アカデミック出版(Academic Press)、1990年参照）等を行って、本発明の新規DNA を得る事もできる。
上記各種方法で使用するDNA ライブラリーは、本発明のDNA を有するDNA ライブラリーを選択して使用する。当該DNA ライブラリーは、本発明のDNA を有するライブラリーであれば、いかなるものも使用可能であり、市販のDNA ライブラリーを使用したり、本発明のDNA を有する細胞からcDNAライブラリーを作成するのに適した細胞を選び公知の方法（サムブルック J.(Sambrook J.)等、Molecular Cloning, a Laboratory Manual 2nd ed., Cold Spring Harbor Laboratory,  ニューヨーク(New York), 1989年参照）に従って、cDNAライブラリーを作製し、利用することができる。
DNA の塩基配列が提供されれば、RNA の配列や、相補的なDNA およびRNA の配列が一義的に決定されるので、本発明の開示により、本発明の第３の態様のDNA に対応するRNA や、本発明の第３の態様のDNA と相補的な配列を有するDNA およびRNA もまた提供される。
本発明の第３の態様のDNA は、１本鎖であっても、それに相補的な配列を有するDNA やRNA と結合して２重鎖、３重鎖を形成していても良い。
また、当該DNA は、ホースラディッシュペルオキシダーゼ（HRPO）等の酵素や放射性同位体、蛍光物質、化学発光物質等で標識されていてもよい。
本発明の新規DNA は、本発明第１または第２の態様の新規ポリペプチドを大量に生産するために使用することができる。当該DNA を使用して本発明の新規ポリペプチドを生産させる方法の例は、本発明第７の態様で説明する。当該DNA はまた、上述のように酵素等で標識して、組織における本発明第１および第２の態様の新規ポリペプチドの発現状況を検査するために使用することができる。すなわち、当該DNA をプローブとして使用して細胞における本発明の第１または第２の態様の新規ポリペプチドの発現量を、mRNA発現量を指標として確認することにより、本発明第１または第２の態様の新規ポリペプチドの製造に適した細胞や細胞の培養条件を決定することができるほか、本発明第１または第２の態様の新規ポリペプチドが関連する疾患の診断を行うことも可能である。
また、本発明の新規DNA を生体内の細胞に導入し、例えば、自己免疫疾患等の遺伝的にアポトーシスの機構が欠損している疾患の遺伝子治療にも使用する事ができる。
さらに、本発明のDNA が有する塩基配列をもとにアンチセンス医薬品を開発し、生体内におけるFas リガンド発現を調節することもできる。すなわち、前記式13ないし24、もしくは配列表の配列番号25、27および28に記載の塩基配列を有する本発明のDNA の一部や、その誘導体を公知の方法で合成し、それらを使用してFas リガンドの発現を調節したり、本発明のDNA に相補的な配列を含むオリゴヌクレオチドやその誘導体を使用して、Fas リガンドの発現を調節することが可能である。アンチセンス医薬品の技術については、本発明の第10の態様の説明で詳述する。
【００１１】
次に、本発明の第４の態様の組換えDNA 分子について説明する。
本発明の第４の態様の組換えDNA 分子は、上述した本発明の第３の態様の新規DNA を含むことを特徴とする組換えDNA 分子である。本発明の組み換えDNA 分子は、環状、直鎖状等いかなる形態のものであってもよい。また、本発明の組換えDNA 分子は、いかなる用途に使用されるものであってもよい。例えば、本発明の第１または第２の態様の新規ポリペプチドを産生させる際に用いるものであってもよいし、本発明の第３の態様のDNA を増幅させ大量に得るために用いるものであってもよい。
本発明の第４の態様の組換えDNA 分子は、本発明の第３の態様の新規DNA に加え、必要ならば他の塩基配列を有していてもよい。他の塩基配列とは、エンハンサーの配列、プロモーターの配列、リボゾーム結合配列、コピー数の増幅を目的として使用される塩基配列、シグナルペプチドをコードする塩基配列、他のポリペプチドをコードする塩基配列、ポリＡ付加配列、スプライシング配列、複製開始点、選択マーカーとなる遺伝子の塩基配列等のことである。これらの塩基配列の必要性は、組換えDNA 分子の使用目的によって決定されるが、本発明の組換えDNA 分子は、本発明第３の態様のDNA に加えて、少なくとも、複製開始点およびマーカー遺伝子を有していることが好ましい。マーカー遺伝子としては、アンピシリン耐性遺伝子、カナマイシン耐性遺伝子、ネオマイシン耐性遺伝子、チミジンキナーゼ遺伝子等があげられる。
当該組換えDNA 分子の好ましい例は、本発明第１または第２の態様の新規ポリペプチドを発現するように大腸菌を形質転換させうるものである。すなわち、当該組換えDNA 分子の好適な例は、本発明第３の態様のDNA に加え少なくとも、大腸菌複製開始点、マーカー遺伝子に加えて大腸菌内で機能するプロモーター配列を有していることが好ましい。また、これらに加え、少なくともシグナルペプチドをコードする配列を有していることが好ましい。大腸菌で機能するプロモーター配列の好適な例はtrp プロモーター、lac プロモーターであり、大腸菌で機能しうるシグナルペプチドの好適な例は、大腸菌アルカリフォスファターゼのシグナルペプチドである。
また、当該組換えDNA 分子は、本発明第１または第２の態様の新規ポリペプチドを発現するように酵母や昆虫細胞、動物細胞等の真核細胞を形質転換させうるものであってもよい。
すなわち、当該組換えDNA 分子は、少なくとも、本発明第３の態様のDNA 、マーカー遺伝子に加えて、ポリＡ付加配列を有していることが好ましい。これらに加えて、少なくとも、酵母で機能するアルコールオキシダーゼ（AOX）１のプロモーター、もしくは昆虫細胞で機能するポリヘドリンプロモーター、もしくは動物細胞で機能するSV40のプロモーターやSRαのプロモーター、ヒトエロンゲーションファクター１α（FE1α）のプロモーター、もしくは大腸菌での複製開始点を有するものも当該組換えDNA 分子の好適な例として挙げられる。
本発明の第４の態様の組換えDNA 分子は、本発明の第３の態様の新規DNA を任意のベクターに導入して得ることができる。必要であれば、当該新規DNA を他の塩基配列とともに任意のベクターに導入してもよい。また、当該組換えDNA 分子は、本発明第３の態様の新規DNA を任意の配列を有するDNA 断片とライゲーションさせることにより得ることができる。DNA をベクターに導入する方法は公知である（サムブルック J.(Sambrook J.)等、 Molecular Cloning, a Laboratory Manual 2nd ed., Cold Spring Harbor Laboratory，ニューヨーク(New York)，1989年、参照）。すなわち、DNA とベクターをそれぞれ適当な制限酵素で消化し、得られたそれぞれの断片をDNA リガーゼを用いてライゲーションさせればよい。ベクターは、プラスミドベクター、ファージベクター、ウイルスベクター等いかなるものでもよい。たとえば、pUC118、pBR322、pSV2-dhfr、pBluesiptII、PHIL-S1、λZapII、λgt10、pAc700、YRP17、pEF-BOS、pEFN-II等から適宜選択して使用することができる。
【００１２】
次に、本発明の第５の態様の形質転換体について説明する。
本発明の第５の態様の形質転換体は、本発明の第３の態様の新規DNAで形質転換されたことを特徴とする。すなわち、本発明第５の態様の形質転換体は、宿主となる適当な細胞や微生物に、本発明第３の態様の新規DNAを直接導入する事によって形質転換されたことを特徴とする。
本発明の第３の態様の新規DNAを宿主細胞に導入する方法としては、エレクトロポレーション法、プロトプラスト法、アルカリ金属法、リン酸カルシウム沈澱法、DEAEデキストラン法、マイクロインジェクション法、ウイルス粒子を用いる方法等の公知方法（実験医学臨時増刊、遺伝子工学ハンドブック1991年3 月20日発行、羊土社、参照）があるがいずれの方法を用いても構わない。
本発明の形質転換体は、本発明の第３の態様のDNA分子を大量に製造する目的でも使用することができる。また、本発明の第３の態様のDNAが、宿主細胞の適当なプロモーターの下流に組み込まれた場合には、当該形質転換体は、本発明第１または第２の態様の新規ポリペプチドを生産する。従って、このような形質転換体は、本発明の第１または第２の態様のポリペプチドを製造する目的等に使用できる。
【００１３】
次に、本発明の第６の態様の形質転換体について説明する。
本発明第６の態様の形質転換体は、本発明の第４の態様の組換えDNA分子を宿主となる細胞や微生物に導入する事によって、形質転換されたことを特徴とする。ただし、該組換えDNA 分子の作成に使用するベクターは、宿主細胞に適した種類のものである必要がある。同様に、組換えDNA 分子内に含まれるプロモーター、シグナルペプチドをコードする塩基配列、マーカー遺伝子等は、宿主細胞に適したものである必要がある。例えば、組換えDNA 分子の作製に使用したベクターと宿主の好ましい組み合わせの例としては、pUC118と大腸菌、pEF-BOSとCOS細胞あるいはCHO細胞、Yacと酵母、AcNPVとSf細胞等（実験医学臨時増刊、遺伝子工学ハンドブック1991年3月20日発行、羊土社、参照）が挙げられる。
本発明の第４の態様の組換えDNA分子を宿主細胞に導入する方法としては、上記第５の態様の形質転換体の作成方法と同様に、エレクトロポレーション法、プロトプラスト法、アルカリ金属法、リン酸カルシウム沈澱法、DEAEデキストラン法、マイクロインジェクション法、ウイルス粒子を用いてインフェクションさせる方法、その他の公知方法（実験医学臨時増刊、遺伝子工学ハンドブック1991年3 月20日発行、羊土社、参照）が挙げられる。
本発明第６の態様の形質転換体は、原核細胞、真核細胞のいずれであってもよい。原核細胞の代表的な例としては、大腸菌と枯草菌があげられる。真核細胞の代表的な例としてはCHO 細胞、HeLa細胞、COS 細胞、Namalwa 細胞等の哺乳動物細胞の他、Sf細胞等の昆虫細胞や酵母等があげられる。
しかしながら、本発明の形質転換体は、好ましくは、大腸菌もしくは哺乳動物細胞もしくは酵母を形質転換させたものである。動物細胞の中では、遺伝子のコピー数を増加させることが可能な、CHO 細胞のdhfr欠損株が好ましい。また、酵母については、外来蛋白質の分泌発現量が多いという点で、ピキア(Pichia)属の酵母が好ましい。
本発明第６の態様の形質転換体は、本発明第３の態様の新規DNAを大量に得る目的や、本発明第１または第２の態様の新規ポリペプチドを生産するために使用することができる。
当該形質転換体は、いかなる目的で使用されるものであってもよいが、好ましくは、当該形質転換体は、本発明の新規ポリペプチドを産生するものがよく、より好ましくは、本発明の新規ポリペプチドを培地中に分泌するものがよい。
本発明の第１または第２の態様の新規ポリペプチドを産生する形質転換体を得るためには、宿主細胞に導入する本発明の第４の態様の組換えDNA 分子中には、少なくとも、その宿主細胞で機能しうるプロモーター配列が含まれていることが必要である。そして、宿主細胞が大腸菌等の原核細胞である場合には、組換えDNA 分子にはプロモーター配列に加え、複製開始点が含まれている必要がある。また、宿主細胞が動物細胞等の真核細胞である場合には、組換えDNA 分子中には、プロモーター配列に加え、ポリＡ付加サイト、複製開始点が含まれていることが必要である。なお、いずれの場合にも使用する組換えDNA 分子には上述したマーカー遺伝子が含まれていることが好ましい。
また、当該形質転換体が本発明の第１または第２の態様の新規ポリペプチドを発現し分泌するためには、形質転換に使用する組換えDNA 分子中には、上記の産生に必要な配列に加えて、本発明の第３の態様のDNA の5'末端に、シグナルペプチドをコードする塩基配列を有していることが好ましい。
本発明の形質転換体のより好ましい例の一つは、少なくとも、複製開始点、大腸菌で機能するプロモーター、マーカー遺伝子、大腸菌アルカリフォスファターゼ等のシグナルペプチドをコードする塩基配列、及び本発明第３の態様の新規DNAを含む組換えDNA 分子で形質転換された大腸菌である。他の好ましい例は、少なくとも、マーカー遺伝子、ポリＡ付加配列、哺乳動物細胞で機能するプロモーター、および本発明第３の態様のDNA を含む組換えDNA分子で形質転換された哺乳動物細胞である。また、少なくとも、AOX1のプロモーター、マーカー遺伝子、及び本発明の第３の態様のDNA を含む組換えDNA 分子で形質転換されたピキア(Pichia)属の酵母も本発明の形質転換体の好ましい例である。
【００１４】
本発明第７の態様の製造方法は、本発明第５または第６の態様の形質転換体を使用することを特徴とする本発明第１または第２の態様の新規ポリペプチドの製造方法である。形質転換体の作製方法については既に説明した通りである。
当該製造方法では、まず、本発明第５または第６の態様の形質転換体を培養し、必要に応じて、遺伝子の増幅や発現誘導を行う。次に、培養混合物を回収し、それらを材料として、必要に応じて濃縮、可溶化、透析、各種クロマトグラフィー等の操作を行い、本発明の第１または第２の態様の新規ポリペプチドを精製する。
当該製造方法で使用する形質転換体は、いかなる宿主を形質転換したものであってもよい。しかしながら、好ましくは、CHO細胞等の哺乳動物細胞もしくは酵母、もしくは大腸菌のいずれかより選択される細胞を宿主とした形質転換体であることが好ましい。
形質転換体の培養は、一般的な方法で行うことができる。形質転換体の培養については各種の成書（たとえば、「微生物実験法」社団法人日本生化学会編、株式会社東京化学同人、1992年、参照）があるので、それらを参考にして行うことができる。また、遺伝子の増幅や発現誘導の方法および必要性は、宿主となる細胞の種類や、使用するプロモーターによって異なる。例えば、プロモーターがtrpプロモーターである時には３β−インドールアクリル酸で、MMTVプロモーターである場合にはデキサメサゾンで、AOX1プロモーターであればメタノールで誘導することが可能である。
一方、遺伝子の増幅方法の例としては、宿主としてdhfr欠損のCHO細胞、ベクターとしてdhfrを有するベクターを使用した際のメソトレキセートを使用した遺伝子の増幅方法がある。
以下に、形質転換体として大腸菌、CHO細胞、ピキア（Pichia)属酵母を使用した場合の培養および発現誘導の例を示す。
trp プロモーターを有する組換えDNA分子で形質転換された大腸菌では、Ｌ−ブロース（L-Broth）で菌体を前培養し、それをM9-CAの培地に対して１／50量となるように植え込み、37℃で培養を行う。培養開始数時間後に培地のOD550 値が１〜４（すなわち対数増殖期）に達した時点で３β−インドールアクリル酸を終濃度10μｇ／mlとなるように添加し発現誘導を行う。さらに約１〜２日の培養を行うことにより、目的ポリペプチドを含む培養混合物を得ることができる。
AOX1プロモーターを有する組換えDNA 分子で形質転換されたピキア(Pichia)属の酵母を用いる場合には、BMGY培地で約２日間前培養し、培地交換後、メタノールを加えて発現誘導する。さらに、30℃で約２日間の培養を行い、目的ポリペプチドを含む培養混合物を得ることができる。
一方、エロンゲーションファクターのプロモーターを有する発現プラスミドが導入されたCHO 細胞等の哺乳動物細胞の形質転換体では、10％ウシ胎児血清を含有するD-MEM（Dulbecco modified eagle's medium）で培養する。細胞は、約５×104細胞／mlの濃度で植え込み、37℃、５％炭酸ガス／95％空気の条件で培養を行う。通常、２〜３日後にコンフルエントな状態になるので、その時点で培地を、血清不含のD-MEM に交換する。さらに引き続き、２〜３日間の培養を行うことにより目的ポリペプチドを含む培養混合物を得ることができる。なお、目的ポリペプチドの産生量が少ない場合には前述したようにdhfr遺伝子欠損CHO 細胞を使用し、メソトレキセートにより遺伝子を増幅し、産生量を増加させることも可能である。
本発明第７の態様において、培養混合物とは、培養上清もしくは細胞のことである。すなわち、形質転換体が、当該ポリペプチドを細胞外に分泌する場合にはその培養上清を材料として、本発明の第１または第２の態様の新規ポリペプチドを回収、精製する。
一方、当該新規蛋白質が宿主細胞内に蓄積される場合には、リゾチーム、界面活性剤、凍結融解、加圧等の手段を用いて細胞を破砕した後、遠心分離して上清を回収し、濾過等により不要な細胞断片等を取り除いた後に、それを材料として本発明第１または第２の態様の新規ポリペプチドを精製する。使用する形質転換体が大腸菌であり、産生された当該新規ポリペプチドがペリプラズムに蓄積される場合は、ウィルスキー(Willsky)等の方法（J. Bacteriol., 127巻、595-609 頁、1976年）等が使用できる。
培養混合物から本発明第１または第２の態様の新規ポリペプチドを精製する方法としては、ポリペプチドの精製に通常使用されている方法の中から適切な方法を適宜選択して行うことができる。すなわち、塩析法、限外濾過法、等電点沈澱法、ゲル濾過法、電気泳動法、イオン交換クロマトグラフィー、疎水性クロマトグラフィーや抗体クロマトグラフィー等の各種アフィニティークロマトグラフィー、クロマトフォーカシング法、吸着クロマトグラフィーおよび逆相クロマトグラフィー等、通常使用され得る方法の中から適切な方法を適宜選択し、必要によりHPLCシステム等を使用して適当な順序で精製を行えば良い。精製方法の好適な例を、本発明第８の態様として提供する。
当該製造方法において、本発明第１または第２の態様の新規ポリペプチドは、他のポリペプチドとの融合ポリペプチドとして形質転換体に生産させてもよい。たとえば、大腸菌のβ−ガラクトシダーゼをコードするDNA の下流に目的のポリペプチドをコードするDNA を接続し、目的のポリペプチドをβ−ガラクトシダーゼとの融合ポリペプチドとして発現させる方法は、高い生産量が期待できることから一般に行われている方法である。
当該ポリペプチドを他のポリペプチドとの融合ポリペプチドとして発現させた場合には、精製工程のいずれかのステップにおいて、融合ポリペプチドをブロムシアン等の化学物質やプロテアーゼ等の酵素で処理して当該ポリペプチドを切り出す操作が必要になる。
また、使用する形質転換体が大腸菌であった場合に、当該ポリペプチドを不溶化蛋白であるインクルージョンボディーとして産生させた場合には、精製の際に、インクルージョンボディーを可溶化し、デネイチャーし、リフォールディングするという操作を精製の適当なステップで行えばよい（トマス E. 及びクライトン J.(Thomas E. and eighton J.), Molecular Biology, 87巻, 563-577 頁, 1974年等参照）。
具体的には、まず、菌体を破砕し、遠心分離してペレットを回収する。次に、尿素もしくはグアニジン塩酸、界面活性剤、還元型グルタチオン、酸化型グルタチオンを適量含む可溶化バッファー（たとえば、5Mグアニジン塩酸、0.005％  Tween80 、50mMトリス塩酸(pH8.0)、5mM EDTA、2mM還元型グルタチオン、0.02mM酸化型グルタチオンを含む緩衝液）をペレットに加え、２−メルカプトエタノールを加えてデネイチャーし、上記可溶化バッファーからグアニジン塩酸を取り除いた溶液に対して透析してリフォールディングする。目的のポリペプチドを融合蛋白質として発現させている場合には、これらの操作の後で、ブロムシアン等の化学物質もしくはプロテアーゼ等の酵素で不要な部分を切断し、その後、適当なクロマトグラフィーを行う。
【００１５】
次に、本発明の第８の態様の精製方法を説明する。
本発明の第８の態様は、本発明第１または第２の態様の新規ポリペプチドを含有する試料中から本発明第１または第２の態様の新規ポリペプチドを精製する方法であって、少なくとも下記より選ばれるいずれか１つ以上の工程を行う事を特徴とする。
（１）Fas 抗原を使用したアフィニティークロマトグラフィー
（２）本発明第１または第２の態様の新規ポリペプチドを認識する抗体を使用したアフィニティークロマトグラフィー
当該精製方法は、上記（１）もしくは（２）のいずれかのみを行うものであってもよく、（１）および（２）の両方を行うものであってもよい。また、他の精製方法と上記（１）もしくは（２）の少なくとも１つを組合わせて行うものであってもよい。しかしながら、好ましくは、蛋白質の精製方法として通常行われている方法の前もしくは後に、上記（１）もしくは（２）のいずれか一方、もしくは両方の工程を任意の順序で行うものである。
例えば、上記（１）もしくは（２）の工程のいずれかに加え、レクチンを吸着させた担体を使用したクロマトグラフィーを行うことにより、本発明第１または第２の態様のポリペプチドを高純度で得ることができる。
本発明第１または第２の態様の新規ポリペプチドを含有する試料とは、当該新規蛋白質を含有するものであれば、いかなるものであってもよい。例えば、細胞の培養上清であっても、細胞のライセートであってもよく、尿や血液等の体液であってもよい。
上記（１）のアフィニティークロマトグラフィーを行うためには、Fas 抗原蛋白質を適当な担体に吸着させる事が必要である。使用するFas 抗原は本発明第１または第２の態様のポリペプチドと結合するものであればいかなる動物由来の物であってもよい。しかしながら、精製しようとする目的のポリペプチドが、前記式１ないし４のいずれかのアミノ酸配列またはそれらの一部を有する場合にはヒトFas 抗原を、前記式５ないし８のいずれかのアミノ酸配列またはそれらの一部を有するものである場合にはラットFas 抗原もしくはマウスFas 抗原を、前記式９ないし12のいずれかのアミノ酸配列またはそれらの一部を有するものである場合にはマウスFas 抗原を、それぞれ使用する事が好ましい。
Fas 抗原を吸着させる担体の種類は特に限定されない。Fas抗原を担体に結合させる場合には、Fas抗原を直接担体に結合させるか、スペーサーを介して結合させる。また、Fas 抗原を他のポリペプチドとの融合ポリペプチドとして作製し、融合ポリペプチド中のFas 抗原以外の部分をそれと結合可能な担体に結合させ、間接的に、Fas 抗原を担体に結合させてもよい。例えば、Fas 抗原と免疫グロブリンの定常領域との融合ポリペプチドであれば、免疫グロブリンとプロテインＡが吸着する性質を利用して、プロテインＡが吸着したカラムに該融合ポリペプチドを吸着させ、結果としてFas 抗原吸着担体を容易に得る事が可能になる。
また、上記（２）のアフィニティークロマトグラフィーを行うためには、本発明第９の態様の新規抗体を使用することができる。すなわち当該新規抗体をアガロース等の適当な担体に直接、もしくはスペーサーを介して結合させ、これを、アフィニティークロマトグラフィー用カラムとして使用する。なお、上述したレクチンを吸着させた担体の好ましいものとしては、ConAを吸着させた担体があげられる。例えば、ConAをアガロース担体に吸着させたものなどが市販されているのでそれらを適宜選択し使用することが簡便である。
上記（１）および（２）のアフィニティークロマトグラフィー及び、レクチンを吸着させた担体を使用するアフィニティークロマトグラフィーは、ポリペプチドの精製に使用される溶液を適宜選択して溶出液とし、溶出された各画分の活性もしくは各画分中の本発明の第１または第２の態様の新規ポリペプチドの存在を確認しながら行えばよい。本発明第１または第２の態様の新規ポリペプチドの存在を確認するには、各画分のFas抗原を発現する細胞に対する細胞障害活性を測定したり、本発明の第１または第２の態様のポリペプチドを認識する抗体を使用したEIA等で確認することができる。本発明の第１または第２の態様のポリペプチドを認識する抗体については本発明第９の態様で説明する。
【００１６】
次に、本発明の第９の態様の新規抗体について説明する。
本発明の第９の態様の新規抗体は、本発明の第１または第２の態様の新規ポリペプチドに結合することを特徴とする。
本発明の第９の態様の新規抗体は、本発明の第１または第２の態様の新規ポリペプチドと結合する限り、モノクローナル抗体であっても、ポリクローナル抗体であってもよい。
抗体、すなわち、免疫グロブリンの構造はＨ鎖とＬ鎖とからなり、物理化学的性質や免疫学的性質は、５つのクラス(IgG, IgA, IgM, IgD, IgE)に分けられる。このうち、IgG 、IgA はさらにＨ鎖のタイプによって、サブクラスに分けられる。本発明の新規抗体は、これらのいずれのクラス、サブクラスに属するものであってもよい。
さらに、免疫グロブリンは例えばペプシンで分解すると、F(ab')2 とFc' に別れ、パパインで分解するとFab とFcの２つのフラグメントに分かれる。本発明の抗体は、抗原と結合するものであれば、完全な抗体分子でもその一部のフラグメントでもよい。また、本発明の抗体はキメラ抗体であってもよい。
本発明の新規抗体は、それがポリクローナル抗体であっても、モノクローナル抗体であっても、公知方法を参考にして得ることができる（例えば、免疫実験操作法、日本免疫学会編、日本免疫学会発行、参照）。以下に簡単に説明する。
当該新規抗体を得るには、まず動物に、免疫抗原として本発明の第１または第２の態様の新規ポリペプチドを必要に応じてフロイントの完全アジュバント（FCA ）や不完全アジュバント（FIA ）等の適切なアジュバントとともに接種し、必要があれば２〜４週間の間隔で追加免疫する。追加免疫後、採血を行い抗血清を得る。抗原として用いる本発明の新規ポリペプチドは、それが抗体の作製に使用しうる精製度のものであればいかなる方法で得られたものであってもよい。
免疫抗原として使用するポリペプチドが、低分子のポリペプチド、すなわち約10〜20アミノ酸からなるポリペプチドである場合には、それをキーホールリンペットヘモシアニン（KLH ）等のキャリアと結合させて抗原として使用すればよい。当該新規ポリペプチドで免疫する動物はいかなるものであっても良いが、好ましくは通常当業者で免疫学的な実験に使用されるラット、マウス、ウサギ、ヒツジ、ウマ、ニワトリ、ヤギ、ブタ、ウシ等から、目的の抗体を産生しうる動物種を選択して使用することが好ましい。
ポリクローナル抗体は、得られた抗血清を精製することによって得る事が出来る。精製は、塩析、イオン交換クロマトグラフィー、アフィニティークロマトグラフィー等の公知方法を適宜組み合わせて行えば良い。
モノクローナル抗体を得るには以下のように行う。すなわち、免疫した動物から脾細胞もしくはリンパ球等の抗体産生細胞を採取し、ポリエチレングリコール、センダイウイルス、電気パルス等を用いる公知方法によって、ミエローマ細胞株等と融合し、ハイブリドーマを作製する。その後、本発明の第１または第２の態様の新規ポリペプチドに結合する抗体を産生しているクローンを選択して培養し、その選択されたクローンの培養上清を精製することによって得れば良い。精製は、塩析、イオン交換クロマトグラフィー、アフィニティークロマトグラフィー等の公知方法を適宜組み合わせて用いれば良い。
また、遺伝子工学的な方法を用いても当該新規抗体が得られる。例えば、本発明第１または第２の態様の新規ポリペプチドで免疫した動物の脾細胞、リンパ球あるいは、本発明第１または第２の態様の新規ポリペプチドに対するモノクローナル抗体を産生するハイブリドーマからmRNAを採取し、これをもとにcDNAライブラリーを作成する。抗原と反応する抗体を産生しているクローンをスクリーニングし、得られたクローンを培養し、培養混合物から目的とする抗体を公知方法を組み合わせて精製することができる。
本発明の新規抗体は、体液中や組織中に存在する本発明の新規ポリペプチドを検出するために使用することができる。また、本発明の新規ポリペプチドを精製するために使用する抗体カラムの作製、精製時の各分画中の本発明の新規ポリペプチドを検出するために使用することができる。
本発明の新規抗体は、細胞に対するFas リガンドの作用を修飾するものであってもよい。細胞に対するFas リガンドの作用を修飾する抗体の中で、特に好ましくは、Fasリガンドが誘導するアポトーシスを抑制する効果を有するものである。当該抗体は、Fasリガンドが誘導するアポトーシスを完全に抑制するものであってもよく、また、部分的に抑制するものであっても良い。
Fas リガンドが誘導するアポトーシスを抑制する効果を有する抗体を得るには、前記ポリクローナル抗体およびモノクローナル抗体を製造する過程で得られる血清や、ハイブリドーマの培養上清を、例えば、次のようなアッセイ系にかけてスクリーニングする。すなわち、Fas リガンドもしくはFasリガンドを発現する細胞と、Fas 抗原を発現する細胞とを使用したin vitroのアッセイ系等である。スクリーニングの結果、選別された血清や培養上清から公知方法を組み合わせて目的の抗体を精製する。なお、Fas リガンドもしくはFas リガンドを発現する細胞とFas 抗原を発現する細胞を利用したスクリーニング方法の好ましい例は、本発明第11の態様で説明する。
Fas リガンドが誘導するアポトーシスを、完全に、又は、部分的に抑制することができる抗体は、生体におけるアポトーシスを調節するために使用することができる。たとえば、当該抗体はリウマチにおける関節組織の破壊、全身性エリテマトーデス（SLE）における自己組織の破壊、あるいは糖尿病、インフルエンザ、エイズ、肝炎等の組織や細胞のアポトーシスが関与する疾患の治療薬として使用することができる。
【００１７】
次に本発明第10の態様を説明する。
本発明第10の態様は、Fas リガンド遺伝子の一部もしくはFasリガンドに対するmRNAの一部に相補的な塩基配列を含むことを特徴とするオリゴヌクレオチドまたはオリゴヌクレオチド誘導体である。当該オリゴヌクレオチドおよびオリゴヌクレオチド誘導体には、その塩基配列として、前記相補的な塩基配列のみを有する物、前記相補的な塩基配列に加えて、リボザイム配列等、他の塩基や塩基配列を有する物のいずれもが含まれる。
ここで、「Fasリガンド遺伝子」とは、FasリガンドをコードするDNAを含む遺伝子のことであり、Fasリガンドをコードする領域に加え、その制御領域を含むものである。制御領域は、Fasリガンドをコードする領域の上流に存在するもの、下流に存在するものいずれをも意味する。「Fas リガンドに対するmRNA」とは、Fas リガンドをコードする塩基配列を含むmRNAである。当該mRNAには、Fas リガンドをコードする塩基配列に加え、その上流および下流のノンコーディング領域を含むものも含まれる。
Fas リガンドをコードする染色体DNA は、図16〜18に示したように、イントロン部位とエクソン部位とからなることがわかっている。イントロンとエクソンからなるDNA がmRNAに転写される際には、まず、イントロンとエクソンとがそのまま転写されてpre-mRNAとなり、その後スプライシングを受けて、イントロンに対応する部分が削除され、エクソン部分のみが転写された成熟mRNAとなる。ここでいう「Fas リガンドに対するmRNA」には、pre-mRNA、成熟mRNAのいずれもが含まれる。
また、「Fas リガンド遺伝子の一部もしくはFas リガンドに対するmRNAの一部」とは、それらがコーディング領域であるか否かに関わらず、また、イントロン部位、エクソン部位に関わらず、Fas リガンド遺伝子もしくはFas リガンドに対するmRNAに含まれるいかなる部分をも意味する。
なお、本発明の第10の態様において「Fas リガンド」はいかなる動物種由来のFas リガンドであってもよいが、好ましくは、ヒト、ラット、マウスいずれかに由来するFas リガンドである。診断薬や医薬品への応用を考えると、特に好ましくは、ヒトFas リガンドである。ヒトFas リガンド遺伝子のコーディング領域付近の塩基配列は図16〜18に示してある。また、ヒトFas リガンド、ラットFas リガンド、マウスFas リガンドをコードするDNA の塩基配列はそれぞれ配列番号31、25、28に示してある。上記各Fas リガンドに対する各成熟mRNAを含む塩基配列は、配列番号31、25、28に示された塩基配列中のＴをＵに読み変えることによって得ることができる。
「相補的な塩基配列」とは、DNA やmRNAの塩基配列に対して塩基特異的に相補的塩基対を形成するような塩基配列をいう。一般的には、Ｃ（シトシン）とＧ（グアニン）の間、Ｔ（チミン）とＡ（アデニン）の間、およびＵ（ウラシル）とＡ（アデニン）との間で相補的塩基対が形成されることが知られている。したがって、ヒトFas リガンド遺伝子に相補的な塩基配列、およびヒトFas リガンド、ラットFas リガンド、マウスFas リガンドに対する各成熟mRNAに相補的な塩基配列を含む配列は、それぞれ、図16〜18、配列番号31、25、28に示した塩基配列中のＡに対してＴ、Ｃに対してＧ、Ｇに対してＣ、Ｔに対してＡを対応させた配列、もしくはＡに対してＵ、Ｃに対してＧ、Ｇに対してＣ、Ｔに対してＡを対応させた配列である。配列表の配列番号31の塩基配列に相補的なDNA およびRNA の配列は、それぞれ配列番号29、30に５’→３’方向で示してある。なお、「相補的な塩基配列」にはＣ、Ｇ、Ａ、Ｔ、Ｕからなる塩基配列のみならず、これら塩基の誘導体を含む配列であってもよい。
本発明のオリゴヌクレオチドには、塩基、リン酸、糖からなるヌクレオチドが複数結合したもの全てが含まれる。その代表的な物はDNA とmRNAである。
本発明のオリゴヌクレオチド誘導体には、その立体構造や機能がオリゴヌクレオチドと類似するものすべてが含まれる。たとえば、オリゴヌクレオチドの3'末端もしくは5'末端に他の物質が結合した物や、オリゴヌクレオチドの塩基、糖、リン酸の少なくともいずれか１つにおいて、置換や、修飾が生じた物質、天然には存在しないような、塩基、糖、リン酸を有する物や、糖−リン酸骨格以外の骨格（バックボーン）を有するもの等である。
本発明第10の態様のオリゴヌクレオチドおよびオリゴヌクレオチド誘導体は、Fas リガンド遺伝子の一部もしくはFas リガンドに対するmRNAの一部に相補的な塩基配列を有し、これらの遺伝子やmRNAにハイブリダイズするものが好ましい。特に好ましくは、少なくともヒトFas リガンド遺伝子もしくはヒトFas リガンドに対するmRNAにハイブリダイズするものである。
Fas リガンド遺伝子もしくはFas リガンドに対するmRNAにハイブリダイズするようなオリゴヌクレオチドおよびオリゴヌクレオチド誘導体は、組織や細胞におけるFas リガンド遺伝子の存在やその発現状況を調べるための診断用オリゴヌクレオチドプローブとして使用することができる。さらに、これらのオリゴヌクレオチドおよびその誘導体は、Fas リガンド遺伝子もしくはmRNAにハイブリダイズして、Fas リガンドの発現を促進もしくは抑制することが期待されるので、Fas リガンドの発現を調節し、Fas リガンドによって誘導されるアポトーシスが関与する疾患の治療薬として使用することができる。
本発明のオリゴヌクレオチドおよびオリゴヌクレオチド誘導体は、Fas リガンド遺伝子もしくはFas リガンドに対するmRNAにハイブリダイズし、Fas リガンドの発現を調節する活性を有するものが好ましく、特に好ましくは、Fas リガンドの発現を抑制するものである。すでに述べたように、エイズや肝炎における細胞死はFas 抗原を介したアポトーシスであると考えられている。したがって、Fas リガンドの発現を抑制するオリゴヌクレオチドまたはオリゴヌクレオチド誘導体は、エイズ、肝炎をはじめ、リウマチにおける関節組織の破壊、全身性エリテマトーデス（SLE）における自己組織の破壊、糖尿病、インフルエンザ等のFas リガンドを介したアポトーシスが関与する疾患の治療薬として使用することができる。
一方、Fas リガンドの発現を促進するものは、エイズ感染初期の治療や、リウマチにおける滑膜細胞の異常増殖や自己免疫疾患における自己抗原反応性Ｔ細胞の増殖を抑制するため等、生体にとって不要な細胞を除去するために使用できる。
蛋白質をコードするDNA やmRNAに相補的な塩基配列を含むオリゴヌクレオチドを使用して、その蛋白質の発現を調節する方法は、アンチセンス法と呼ばれており、現在多くの研究者によって研究が進められている技術である。相補的な配列を有するオリゴヌクレオチドは、<１>遺伝子からpre-mRNAへの転写段階、<２>pre-mRNAから成熟mRNAへのプロセッシング段階、<３>核膜通過段階、<４>蛋白への翻訳段階のいずれかで、遺伝子情報を担うDNA もしくはmRNAに結合し、遺伝情報の伝達の正常な流れに影響を与えて蛋白質の発現を調節すると考えられている。
本発明のオリゴヌクレオチドおよびオリゴヌクレオチド誘導体は、Fas リガンド遺伝子もしくはFas リガンドに対するmRNAのいかなる部分にハイブリダイズするものであってもよい。ハイブリダイズのしやすさの点では、一般的には、ステム・ループを形成しているmRNAのループ部分にハイブリダイズするような塩基配列、すなわち、ステム・ループを形成している領域の塩基配列に相補的な塩基配列をもつオリゴヌクレオチドもしくはオリゴヌクレオチド誘導体を設計するとよいとされている（東海林洋子、臨床免疫、25巻、1200−1206頁、1993年）。
また、翻訳開始コドン付近、リボソーム結合部位、キャッピング部位、スプライス部位に結合するようなオリゴヌクレオチド、すなわち、これらの部位の配列に相補的な配列を有するオリゴヌクレオチドは、一般に高い発現抑制効果が期待できるものと考えられているので（癌と化学療法、20巻、13号、1899−1907頁）、本発明のオリゴヌクレオチドまたはオリゴヌクレオチド誘導体が、Fas リガンド遺伝子もしくはFas リガンドに対するmRNAの翻訳開始コドン付近、リボソーム結合部位、キャッピング部位、スプライス部位に結合するもの、すなわち、これらの部位に相補的な配列を含むものであれば、高い発現抑制効果が期待される。
本発明のオリゴヌクレオチドおよびオリゴヌクレオチド誘導体は、診断や医薬用途として使用することを考慮すると、Fas リガンド遺伝子もしくはmRNAと、特異的にハイブリダイズするものが好ましい。
一般的には、15塩基以上の塩基を含む塩基配列であれば、特異性のある配列であると考えられている（横山一成、蛋白質核酸酵素、38巻、754 〜765 頁、1994年）。したがって、当該オリゴヌクレオチドおよびオリゴヌクレオチド誘導体も、Fas リガンド遺伝子もしくはFas リガンドに対するmRNAに相補的な塩基配列であって15塩基以上からなる塩基配列を含むものであれば、Fas リガンド遺伝子もしくはFas リガンドに対するmRNAに特異的に結合することが期待される。
一方、オリゴヌクレオチドを細胞内に取り込ませるには、その長さはあまり長すぎても不適当である。本発明第10の態様のオリゴヌクレオチドおよびその誘導体は、いかなる長さのものであってもよいが、本発明のオリゴヌクレオチドおよびオリゴヌクレオチド誘導体を細胞内に取り込ませ、Fas リガンドの発現を調節させることを考慮すると、当該オリゴヌクレオチドおよびこれらオリゴヌクレオチドの誘導体はFas リガンド遺伝子もしくはFas リガンドに対するmRNAに相補的な15塩基以上30塩基以下、好ましくは15塩基以上25塩基以下、より好ましくは18塩基以上22塩基以下の塩基数からなる塩基配列を有するものが好ましい。
アンチセンス技術の進歩とともに、オリゴヌクレオチドの医薬品としての効果を高めることを目的として様々な誘導体が見いだされてきた。現在、目的のDNA やmRNAとの結合力、組織選択性、細胞透過性、ヌクレアーゼ耐性、細胞内安定性の高い様々なオリゴヌクレオチド誘導体が得られている。
前述のように、本発明の「オリゴヌクレオチド誘導体」には、天然には存在しないような、塩基、糖、リン酸、バックボーン構造からなるものも含めて、あらゆる種類の誘導体が含まれる。
現在一般に知られている誘導体の例としては、バックボーン構造として、その全部または一部にフォスフォジエステル（phosphodiester）結合、フォスフォロチオエート（phosphorothioate）結合、フォスフォトリエステル（phosphotriester ）結合、メチルフォスフォネート（methylphosphonate ）結合、フォスフォロアミデート（phosphoroamidate）結合、フォスフォロジチオエート(phosphorodithioate)結合、モルホリノ基を有する物等（東海林  洋子等、癌と化学療法、20巻、1899−1907頁、1993年）があげられる。また、ポリアミド−核酸（PNA ）（P.E.ニールセン（P.E.Nielsen ）等、Science 、254 巻、1497−1500頁、1991年）や、糖の２’位が、他の原子あるいは置換基に置換されたものやα−リボース等、糖部分を修飾したものも誘導体の例として挙げられる（ミカエル J. ゲート(Michael J. Gait), 290-299頁; in Antisense Research and Applications, C 出版、フロリダ、1993年）。
さらに、糖部分が他の物質に置換されたもの、一部の塩基がイノシン（Ａ、Ｔ、Ｃ、Ｇのいずれにでも結合するユニバーサル塩基と呼ばれる）に置換された物、オリゴヌクレオチドの5'末端もしくは3'末端もしくは内部にコレステロールやアクリジン、ポリ−Ｌ−リジン、ソラレン(psoralen)、長鎖アルキル等が結合したもの等も、オリゴヌクレオチド誘導体の例として知られている（マコトマツクラ(Makoto Matsukura),506-519頁およびポール S. ミラー(Paul S. Miller)等、190-202頁; in Antisense Research and Applications, C 出版、フロリダ、1993年）。
本発明のオリゴヌクレオチド誘導体は、上に例示した誘導体をはじめとしていかなる誘導体であってもよい。しかしながら、当該誘導体は、ヌクレアーゼ耐性、組織選択性、細胞透過性、結合力の少なくとも１つが高められた誘導体であることが好ましい。
特に好ましくは、当該オリゴヌクレオチド誘導体は、フォスフォロチオエート結合をバックボーン構造として有する誘導体である。
以下に、本発明のオリゴヌクレオチドおよびオリゴヌクレオチド誘導体の製造方法を説明する。
オリゴヌクレオチドやその誘導体は、公知方法で製造することができる（例えば、スタンレーT.  クルーク(Stanley T. ooke) およびベルナルドレブロー(Bernald Lebleu)編、in Antisense Research and Applications, C 出版、フロリダ、1993年）。
天然のDNAやRNAであれば、化学合成機を使用して合成したり、Fasリガンド遺伝子を鋳型としてP 法により本発明のオリゴヌクレオチドを得ることができる。また、メチルフォスフォネート型やフォスフォロチオエート型等、誘導体の中には、化学合成機（たとえばパーキンエルマージャパン（株）製、394 型）を使用して合成できるものもある。この場合には、化学合成機に添付されたマニュアルに従って操作を行い、得られた合成産物を逆相クロマトグラフィー等を用いたHPLC法により精製することによっても、目的のオリゴヌクレオチドもしくはオリゴヌクレオチド誘導体を得ることができる。
次に、本発明のオリゴヌクレオチドおよびオリゴヌクレオチド誘導体の利用方法について説明する。
本発明のオリゴヌクレオチドおよびオリゴヌクレオチド誘導体を診断用のプローブとして使用する場合には、それらを、公知の方法に従い、ラジオアイソトープや、酵素、蛍光物質、発光物質等で標識する。次に、Fas リガンドの発現を調べたい患者の細胞からDNA もしくはmRNAを公知方法で調製し、これを被検物質として、前記標識プローブを加えて反応させた後、洗浄して未反応の前記標識プローブを除去する。被検物質中に、Fas リガンド遺伝子もしくはRNA が含まれていれば、当該オリゴヌクレオチドまたはオリゴヌクレオチド誘導体はそれらと結合する。結合形成の有無は、標識した酵素、蛍光物質、発光物質、あるいは放射性同位元素等による発光、蛍光、放射能等を指標として知ることができる。
近年、Fas リガンドの発現と自己免疫疾患の関係等が報告されているので、本発明のオリゴヌクレオチドを使用した診断プローブは、たとえば、リウマチやSLE 等の自己免疫疾患等の診断に利用することができる。また、炎症時のＴ細胞による細胞障害にもFas リガンドが関係していると考えられるので、炎症の程度や治療方法を決定するための診断にも使用することができる。
本発明のオリゴヌクレオチドおよびオリゴヌクレオチド誘導体を医薬用途に使用する場合には、医薬品として使用するのに適した純度のものを、薬理学的に許容されうる使用方法で使用することが好ましい。
本発明第10の態様のオリゴヌクレオチドまたはオリゴヌクレオチド誘導体は、それらを直接適当な溶媒に溶解もしくは懸濁して使用してもよいし、リポソーム中に封入したり、適当なベクターに組み込んだ形にして使用してもよい。また、必要に応じて、本発明のオリゴヌクレオチドまたはオリゴヌクレオチド誘導体に薬理学的に許容され得る補助成分を添加し、注射剤、錠剤、カプセル剤、点眼剤、クリーム剤、座剤、噴霧剤、パップ剤等適当な剤型にして使用してもよい。薬理学的に許容され得る補助成分とは、溶媒、基剤、安定化剤、防腐剤、溶解剤、賦形剤、緩衝剤等のことである。
本発明のオリゴヌクレオチドおよびオリゴヌクレオチド誘導体は、上述のような剤型とした場合、患者の年齢や、性別、疾患の種類、程度に応じて、その投与方法、その投与量を設定して使用することができる。すなわち、アポトーシスを調節し、病態を改善するのに適した量を、経口投与、あるいは、吸入、経皮投与、点眼、膣内投与、関節内投与、直腸投与、静脈内投与、局所投与、筋肉内投与、皮下投与、腹腔内投与等から適当な方法を選んで投与すればよい。
【００１８】
以下に、本発明第11の態様のスクリーニング方法について説明する。
本発明の第11の態様のスクリーニング方法は、本発明第１または第２の態様のポリペプチドまたはそれを発現するように形質転換した形質転換体を使用することを特徴とする。
本発明のスクリーニング方法では、好ましくは、本発明第１または第２の態様のポリペプチド、もしくはそれを発現する形質転換体に加え、Fas 抗原を発現する細胞を使用することが好ましい。この方法を使用すれば、Fas リガンドに結合する物質、Fas リガンドの発現を促進もしくは抑制する物質に加え、Fas 抗原の発現を促進もしくは抑制する物質、Fas リガンドの細胞への作用を調節する物質をスクリーニングすることができる。Fas リガンドの細胞に対する作用の代表的なものはアポトーシスの誘導であるが、当該スクリーニング方法は、アポトーシスを促進したり抑制したりする物質の他にも、Fas リガンド存在下でFas 抗原発現細胞に生じる何らかの変化を促進したり抑制したりする物質のスクリーニングにも適している。
当該スクリーニング方法は、いかなる工程を含むものであってもよいが、好ましくは、下記（１）ないし（３）より選ばれるいずれかの工程を含むものである。すなわち、
（１）ａ．Fas 抗原を発現する細胞を、Fas リガンドもしくはそれを発現する形質転換体、もしくはその培養上清からなる群より選ばれるいずれかとともに培養する。
ｂ．ａに被験物質もしくは被験物質を含む試料を添加する。
ｃ．Fas 抗原を発現する細胞の生死、形態的変化もしくは生化学的変化のうち少なくともいずれか１つを測定する。
（２）ａ．被験物質もしくは被験物質を含む試料を、Fas リガンドもしくはそれを発現する形質転換体、もしくはその培養上清からなる群より選ばれるいずれかとインキュベートする。
ｂ．ａにFas 抗原を発現する細胞を加えて、培養する。
ｃ．Fas 抗原を発現する細胞の生死、形態的変化もしくは生化学的変化のうち少なくともいずれか１つを測定する。
（３）ａ．被験物質もしくは被験物質を含む試料をFas 抗原を発現する細胞とインキュベートする。
ｂ．ａに、Fas リガンド、もしくはそれを発現する形質転換体、もしくはその培養上清からなる群より選ばれるいずれかを加えて培養する。
ｃ．Fas 抗原を発現する細胞の生死、形態的変化もしくは生化学的変化のうち少なくともいずれか１つを測定する。
Fas 抗原を発現する細胞の形態的変化もしくは生化学的変化を測定する方法は、その変化を検出できる方法であれば特に限定されない。Fas 抗原を発現する細胞のアポトーシスの有無やその程度を測定するのであれば、Fas 抗原を発現する細胞にあらかじめ取り込ませた51の放出量から測定することができる。また、トリパンブルーを用いた染色や、ホルマザンの生成を指標としたアッセイ（MTT アッセイ、アルマールブルーアッセイ等）を行って、Fas 抗原を発現する細胞のうち生き残った細胞数を測定してもよい。
一般に、細胞表面上に存在する膜型蛋白質が他分子と結合する領域は、細胞外領域であると考えられる。したがって本発明のスクリーニング方法においても、前記式１ないし３、５ないし７、９ないし11のアミノ酸配列を有するポリペプチドもしくはそれらを発現する形質転換体が好適に使用できる。なかでも、前記式１ないし３のアミノ酸配列を有するポリペプチドもしくはそれらを発現する形質転換体を使用することが好ましい。当該スクリーニング方法で使用するFas リガンドは、本発明第７の態様の説明に示した方法で得ることができる。また、Fas リガンドを発現する形質転換体は本発明第５または第６の態様で説明した方法で得ることができる。
本発明第11の態様のスクリーニング方法を使用すれば、Fas リガンドに結合する物質やFas リガンドの発現を調節する物質をスクリーニングすることができる。ここでいう物質には、化合物、ペプチド、蛋白質、抗体、核酸などすべての物質が含まれる。また、これらのスクリーニング方法を使用して、Fas リガンドが関与する疾患の診断を行うことも可能である。
例えば、自己免疫疾患の患者より血球細胞や組織由来の細胞を分離し、Fas リガンドもしくはFas リガンドを発現する形質転換体と反応させ、患者から分離した細胞に生じるアポトーシスの程度を観察することにより、その患者のFas 抗原の機能もしくは発現に異常があるかないかを診断することができる。そして、その診断結果を参考に、原因に応じた治療を選択することができる。
なお、Fas 抗原を発現する細胞はいかなる細胞であってもよい。たとえば、エイズウイルス感染細胞のようにウイルスや薬物によってFas 抗原の発現が誘導された細胞でもよいし、Fas 抗原を発現する株化細胞やハイブリドーマ、形質転換体であってもよい。好ましくは、ヒトFas 抗原を発現する細胞であり、特に、ヒトFas 抗原を発現する形質転換体、たとえば、WC8 細胞（イトウ N. (Itoh N.) 等、J. Immunol., 151巻、621-627 頁、1993年）を使用するのが好ましい。
【発明を実施するための最良の形態】
【００１９】
以下に、実施例をもって本発明を一層具体的に説明するが、これらは一例として示すものであり、本発明はこれらにより何等限定されるものではない。
また、以下の記載において用いる略号は、当該分野における慣用略号に基づくものである。
［実施例］
なお、以下に示す実施例中の諸操作は、主にサムブルック等編〔モレキュラークローニング，アラボラトリーマニュアル第２版〕コールドスプリングハーバーラボラトリー，1989年；今本文男等編〔組換え遺伝子の細胞への導入と発現〕蛋白質核酸酵素臨時増刊28(14)1983年；岡田善雄監修〔細胞工学的技術総集編〕実験医学臨時増刊７(13)1989年等を参考として実施した。
【００２０】
（実施例１）キメラ蛋白質の調製
（１）発現プラスミドpFas-FcII の調製
実施例２で使用する、マウスFas(mFas) 抗原の細胞外領域とヒトIgG1(hIgG1) のFc領域とを結合させたキメラ蛋白質（以下mFas-Fc と称する）の発現プラスミドを以下の方法で作製した。
まず、配列表の配列番号33〜34に示すマウスFas抗原染色体遺伝子のイントロン４のセンス配列(GATTTTCAACCACTCAGTCG)を含むオリゴヌクレオチドプライマーと、イントロン５のアンチセンス配列(ATGCGGCCGCTGGATCCTTTGTATGAAATTGAGTAAT)を含むオリゴヌクレオチドプライマーを化学合成した。後者のオリゴヌクレオチドプライマーにはBamHIサイトを付加してある。
これらのオリゴヌクレオチドプライマーを用いて、マウスFas抗原染色体遺伝子を含むプラスミド（pMF3ES，1992年度、分子生物学会）を鋳型にしてPを行った。その結果、エクソン５の5'末端および3'末端にフランキングリージョンを有する、383bp のDNA 断片が増幅された。
得られた増幅産物をPstIとBamHI で消化し、エクソン５の3'末端とイントロン５の一部を含む128bp のDNA フラグメントを得た。得られたDNA フラグメントでプラスミドpMF1（ワタナベ−フクナガ(Watanabe-Fukunaga R.)等、J.Immunol. 148巻、1274-1279 頁、1992年）のPstI-BamHI DNAフラグメント部分を置き換え、プラスミドpMFXを作製した。
一方、ヒトIgG1重鎖定常領域に対するエクソンを有するプラスミドpMH4（ニシムラ Y. (Nishimura Y.)等、Cancer Res.,  47巻、999-1005頁、1987年）をHae IIで消化し、得られた1.7kbpのDNA フラグメントをpBluesipt KS(+)のXbaIサイトにサブクローニングした。
これをHincIIおよびApaIで消化し、ヒンジ、CH2 およびCH3 ドメインをコードするエクソンを含む1.4kbpのDNA フラグメントを得た。このフラグメントを前述のプラスミドpMFXのXbaIサイトに挿入し、プラスミドpFAS-Fc を作製した。プラスミドpFAS-Fc をKpnIで切断後、平滑化しNotIで消化し、得られた2.3kbpのDNA フラグメントを、哺乳動物発現ベクターpEF-BOS （ミズシマ S.(Mizushima S.)およびナガタ S.(Nagata S.)、Nucleic Acids Res., 18巻、5332頁、1990年）にライゲートして、目的とする発現プラスミドpFAS-FcII を得た。
（２）発現プラスミドphTNFRβ-Fc の作製
実施例２で使用する、TNF レセプターβとヒトIgG1のFc領域キメラ蛋白質（以下、 hTNFRβ-Fc と称する）の発現プラスミドphTNFRβ-Fc を以下のように構築した。
まず、プラスミドp55TNFr-HG1 （レオスツシャー H.(Leostscher H.)等、J. Biol. Chem., 266 巻、18324-18329 頁、1991年）をKpnIとHindIII で消化し、650bp のDNA フラグメントを調製した。プラスミドp55TNFr -HG1は、人工的スプライスドナー配列（artificial splice donor sequence）に続くヒトTNFレセプター(p55) の細胞外領域をコードするcDNA配列を含むプラスミドである。
一方、プラスミドpFAS-FcII をHincIIおよびHindIII で消化した。マウス Fas抗原の細胞外領域をコードする配列を含む約700bp のDNA フラグメントを、前述の650bp のKpnI-HindIIIフラグメントと入れ換え、目的とするプラスミドphTNFRβ-Fc を得た。
（３）発現プラスミドpBF -Fc1の調製
実施例10で使用する、ヒトFas抗原の細胞外領域とヒトIgG1のFc領域キメラ蛋白質（以下、hFas-Fc と称する）の発現プラスミドpBF-Fc1 を以下のように構築した。
まず、ヒト Fas抗原をコードするDNA （イトウ N.(Itoh N.)等、Cell, 66巻、233-243 頁、1991年）を含むプラスミドpBLF58-1をXhoIとBamHIで消化し、700bp の断片を得た。次にキメラ蛋白質mFas-Fc の発現ベクター構築に用いたpFas-Fc をXhoI、BamHI で消化し、先述の700bp の断片を挿入した（pBHF-C1)。
一方、pBLF58-1を鋳型とし、配列表の配列番号35に示すセンスプライマー１(ATGCCCAAGTGACTGACATCAACT)と配列表の配列番号36に示すアンチセンスプライマー１(GCGCGGATCCAGGAAGTGGGAAAGGATTACCTTCCTCTTTGCACTTGGTG)を使用してP を行い、ヒト Fas抗原の細胞外領域に、マウス Fas抗原染色体遺伝子のイントロン５の配列、BamHI サイトを付加した断片を調製した。
このP産物をMscIとBamHI で消化し、得られた360bp のDNA 断片をMscIとBamHIで消化したpBHF-C1に挿入した。ついで、形成されたプラスミドをKpnIで切断後、平滑化し、NotIで消化し、ヒトFas 抗原の細胞外領域、ヒトIgGlのFc領域をコードするDNA 断片を得た。この断片を、BstXI で切断後平滑化し、かつNotIで切断した pEF-BOSに挿入し、ヒト Fas-Fc 発現ベクター pBF-Fc1を得た。
（４）キメラ蛋白質の生産と精製
プラスミドpFas-FcII およびphTNFRβ-Fc でそれぞれ COS-7細胞、BTS-1 細胞（セディビー J. M.(Sedivy J. M.), Biol. Technology, 6 巻、1192-1196 頁、1993年）を形質転換させた。また、プラスミド pBF-Fc1でCOS-7 細胞を形質転換させた。
COS-7細胞の形質転換は、フクナガ R. (Fukunaga R.)らが報告したDEAE- デキストラン法で行った（フクナガ R.(Fukunaga R.)等、Cell, 61巻、341-350 頁、1990年）。形質転換の後、このCOS-7細胞を、10％のFCS を含む培地中で24時間インキュベートし、さらに、血清不含の培地中で48時間および72時間インキュベートした。インキュベート後の培養上清液を集め、遠心分離操作を行った後、0.45μｍのフィルターを通して細胞の破砕物を除き、プロテインＡ- セファロース4Bカラム（ファルマシア社）クロマトグラフィーにより、キメラ蛋白質mFas-Fc、hTNFRβ-Fc、hFas-Fc をそれぞれ精製した。
一方、BTS-1の形質転換は、エレクトロポレーション（ポッター H.(Potter H.)等、Proc. Natl. Acad. Sci. USA, 81巻、7161-7165 頁、1984年）によって行った。すなわち、プラスミドpFas-FcIIをApaLIで、プラスミドphTNFRβ-FcをSacIで消化した後、各々のプラスミドDNA 50μgをそれぞれ、XhoIで切断したpSTneoB ５μgとともに、１×107個の細胞を形質転換した。10％FCSと300 μg/mlのG-418 とを含むダルベッコ変法イーグルMEM(Dulbecco's Modified Eagle Medium，以下D-MEMと略す）で10日間選択を行った後、G-418 耐性クローンを分離し、39.5℃で増殖させた。
目的とするキメラ蛋白質を生産するクローンを同定するため、クローンの一部を33℃で３日間培養し、培地中に分泌されたキメラ蛋白質を、酵素免疫法（ELISA)で検定した。検定に使用したELISA では、捕獲抗体として抗ヒト IgG-Fc抗体（カッペル 55071）を、検出抗体として西洋ワサビペルオキシダーゼ標識抗ヒトIgG-Fc 抗体（ジャクソン研究所、109-035098）を用いた。
mFas-Fc およびhTNFRβ−Fcを効率的に生産する形質転換体を一つずつ、39.5℃で増殖させた後、15cmプレートに50％コンフルエントとなるように植え込んだ。33℃で１週間培養したのち、培養上清からmFas−Fcと hTNFRβ−FcをプロテインＡ−セファロース4Bカラム（ファルマシア社）クロマトグラフィーにより、精製した。
精製後のmFas-FcをSDS-ポリアクリルアミドゲル電気泳動(SDS-PAGE)で分析したところ、還元下で分子量55kDの位置にバンドが認められ、非還元下においては、分子量110kD の位置にバンドが認められた。これは、得られたキメラ蛋白mFas-Fc が、S-S 結合によるホモダイマーとして存在していることを示している。
【００２１】
（実施例２）フローサイトメトリーによる解析およびd10S-2細胞株の選択
（１）キメラ蛋白質のビオチン化およびFITC標識
スルホサクシニミジル  ６−（ビオチンアミド）ヘキサノエート(NHS−LC−ビオチン、ピアス社、21335)を用い、その操作手順書に従って、mFas-Fc および hTNFRβ-Fc をビオチン化した。
また、１mgのhTNFRβ-Fc と20μg のFITCとを、１mlの50mM炭酸ナトリウム緩衝液(pH9.5)中で混合し、室温で４時間反応させた後、未結合のFITCをセファデックスG-25Mを用いたカラムクロマトグラフィーで除去し、FITC標識hTNFRβ-Fcを得た。
（２）フローサイトメトリー
PC60-d10S 細胞（以下、d10Sと略す。ルービエ E.(Rouvier E.)等、J. Exp. Med., 177 巻、195-200 頁、1993年）を染色用溶液（２％FCS と0.02％NaN3とを含むリン酸緩衝生理食塩水( 以下、PBS と略す）)を用いて洗浄した。約１×106細胞を、５μg/mlのラット抗マウスFcγRII ブロッキング抗体（ファーミジェン社）を含む染色用溶液50μｌに懸濁した。これを96ウェルプレートの各ウェルに添加し、氷上で10分間インキュベーションした。50μｌの20μg/mlビオチン化mFas-Fcを各ウェルに加え、氷上でさらに30分間インキュベーションした。染色用溶液で洗浄の後、フィコエリスリン標識ストレプトアビジン（25倍希釈、ベクトン-ディッキンソン社）を加え、さらに染色用溶液を加えて 100μｌとし、氷上で30分間反応させた。
細胞を染色用溶液で洗浄した後、FACScan（ベクトン−ディッキンソン社）を用いたフローサイトメリーによって解析を行った。この結果を図1aに示す。対照は白抜部分として、またPMAとイオノマイシンで４時間処理する前に染色したものを影付された部分として、さらに、PMAとイオノマイシンで４時間処理した後に染色したものを着色部分で表した。その結果、蛍光強度のわずかなシフトが認められ、当該細胞がビオチン化mFas-Fcで染色された事が確認された。
一方、d10S細胞を、ビオチン化 hTNFRβ-Fcで同様に染色し、フローサイトメトリーで分析したところ、染色は認められなかった。これらの結果、実施例１で調製したmFas-Fc は、d10S細胞上の Fasリガンドに特異的に結合することが確認された。
（３）d10S-2細胞株の選択
（２）で、高い蛍光活性が認められたd10S細胞、１〜３×107個に、前述の方法でビオチン化mFas-Fc およびFITC標識 hTNFRβ-Fc を反応させ、次いで、フィコエリスリン標識ストレプトアビジンで染色し、FACStar（ベクトン−ディッキンソン社）でソーティングした。フィコエリスリン蛍光を高いレベル（上位0.3 〜0.5 ％）で発する細胞を集め、10％FCS と50nMの２−メルカプトエタノールを含むD-MEM で増殖させた。
得られた細胞に対し、上記操作を更に繰り返した結果、選択された細胞群をd10S-2と名づけた。d10S-2について、d10Sと同様にフローサイトメトリーを行った結果を図1bに示す。このd10S-2は、刺激剤存在下、非存在下両方において、高い Fasリガンド発現量を示す細胞が極めて濃縮された細胞群である。
【００２２】
（実施例３）cDNAライブラリーの構築
実施例２で得られたd10S-2細胞を10％FCS を含むD-MEM 中で２×105 細胞/ml まで増殖させ、20ng/ml のPMA と１μg/mlのイオノマイシンで37℃、３時間刺激した。グアニジンイソチオシアネート／アシッドフェノール法（コムシンスキー P.(Chomczynski P.) およびサシー N.(Sacchi N.), Anal. Biochem., 162 巻、156-159 頁、1987年）によって総RNA を分離した後、オリゴ(dT)−セルロースカラムクロマトグラフィーを２回繰り返しpoly(A)RNAを選択的に分離した。ランダムヘキサマーあるいはオリゴ(dT)プライマーを用い、イトウ N.(Itoh N.)等、（Cell, 66巻、233-243 頁、1991年）の方法で２本鎖cDNAを合成した。
得られた２本鎖cDNAにBstXI アダプターを付加し、１％アガロースゲルを用いた電気泳動で分子量分画を行った。1.5kbp以上の大きさのcDNAを回収し、BstXIで切断したpCEV4 ベクター（イトウ N. (Itoh N.) 等、Cell, 66巻，233-243 頁、1991年）にライゲートした。
ライゲートプロダクトを使用し、エレクトロポレーション（ドワー W.(Dower W.) 等、Nucleic Acids Res., 16巻、6127-6145 頁、1988年）により大腸菌DH10B 細胞（ギブコ BRL(Gibco BRL) 社）を形質転換した。オリゴ(dT)でプライムさせたcDNAライブラリーから得た約1.0 ×106 個の独立したクローンと、ランダムヘキサマーでプライムさせたcDNAライブラリーから得た約1.3 ×106個のクローンとを混合し、プラスミドDNA を調製して、COS-7 細胞の形質転換に使用した。
【００２３】
（実施例４）パンニング操作によるcDNAクローンの濃縮
実施例３で得られたプラスミドDNA でエレクトロポレーション法により、COS -7細胞を形質転換した。すなわち、５×106 個のCOS-7細胞をK-PBS- (30.8m NaCl, 120.7mM KCl, 8.1mM Na2HPO4および1.46mM KH2PO4 を含む緩衝液）で洗浄し、0.4ml の５mM MgCl2を添加したK-PBS (K-PBS+ )に細胞を懸濁した。
次に、0.4ml の K-PBS+ に40μg のプラスミドDNA を溶解し、それを細胞懸濁液に加え、氷上で10分間インキュベーションした。細胞に960 μＦのキャパシタンスで230Vの電圧をかけエレクトロポレーションし、氷上で10〜15分間インキュベーションした後、細胞懸濁液を５mlの血清無添加の冷D-MEM で希釈し、さらに室温で30分間インキュベーションした。その後、この細胞を２つの10cmプレートに植え込み、10％FCS を含むD-MEM 中で37℃で60時間培養した。
以上の方法で、総数1.2 ×108 個のCOS-7細胞を形質転換し、10cmプレートで培養した。１プレートあたり５mlの0.5mM EDTAおよび0.02％NaN3を含むPBS（PBS/EDTA/NaN3 ）を加え、37℃で30分間インキュベーションし、プレートよりこれらの細胞を剥した。剥した細胞を、３mg／mlのBSA および2.5 μg ／mlの抗マウスFcγIIレセプター抗体とを含む PBS／EDTA／NaN3に５〜７×106 個／mlの細胞濃度で再度懸濁した。氷上で10分間インキュベーションした後、mFas-Fc を終濃度が４μg ／mlになるように加え、氷上で60分間インキュベーションした。この細胞を氷冷したPBS で洗浄し、50mMヘペス緩衝液（pH8.3)および0.2mMビス（スルホサクシニミドイル）スベレート（BS3 、ピアス社）とを含むPBS 中に５〜７×106 個／mlの細胞濃度になるよう浮遊した。
氷上で30分間インキュベーションしたのち、1Mトリス−塩酸（以下、Tris-HClと略す、pH8.0)を終濃度が50mMとなるよう添加し、さらに氷上で10分間インキュベーションした。PBS で洗浄したのち、細胞を３mg/ml のBSA を添加したPBS /EDTA /NaN3 30mlに懸濁し、ナイロンメッシュ（ポアサイズ100 μｍ）で濾過を行い凝集物を取り除いた。
この細胞懸濁液を、抗ヒト IgG-Fc 抗体（カッペル 55071）を固定化した30個の10cmパンニング用プレートに分配した。室温で２時間インキュベーションしたのち、PBS で穏やかに洗浄することにより非付着細胞を取り除き、イトウN.(Itoh N.)等の方法で染色体外DNA を付着細胞から抽出した（Cell, 66巻、233-243 頁、1990年）。以上の１回目のパンニング操作で得られたDNA を用い、エレクトロポレーションにより大腸菌を形質転換させ、4.1 ×106 個のコロニーを得た。これらよりプラスミドDNA を調製し、9.6 ×107個のCOS-7細胞（60プレート）を形質転換した。
これをパンニング用プレート30枚に分配して２回目のパンニングを行い、１回目と同様に付着細胞からDNA を調製した。回収したプラスミドDNA を用い大腸菌を形質転換し、8.0 ×106個のクローンを得た。これらよりプラスミドDNA を調製し、4.0 ×107 個の COS-7細胞（10プレート）を形質転換した。
これをパンニング用プレート30枚に分配して３回目のパンニングを行った。１回目、２回目と同様に付着細胞からプラスミドDNA を回収し、大腸菌を形質転換させ、3.8 ×106 個のクローンを得た。これらより調製したプラスミドDNAで1.0 ×107個のCOS-7細胞（25プレート）を形質転換し、10枚のパンニング用プレートに分配して、４回目のパンニング操作を行った。
以上の４回目のパンニング操作を終了した後、COS-7 細胞から染色体外DNA を調製し、大腸菌を形質転換させた。各菌体クローンより、プラスミドDNA を調製して解析したところ、48クローン中16クローンが、1.0kbp以上のインサートを有していた。これらのプラスミドDNA をそれぞれCOS-7 細胞に導入した後、COS-7 細胞をビオチン化mFas-Fc で染色し、実施例２の方法でフローサイトメトリーを行った。その結果、５つのクローンが染色された。この５クローンのうちの１つで、1.6kbpのインサートをもつクローン、pTN24-15で形質転換させたCOS-7 細胞(COS/pTN24-15)の結果を図1cに示した。このpTN24-15で形質転換させたCOS-7 細胞はビオチン化 hTNFRβ-Fc では、染色されなかった。また、外来遺伝子を含まないpCEV4 で形質転換させたCOS-7 細胞はビオチン化mFas-Fc で染色されなかった。
【００２４】
（実施例５）DNA 配列の決定およびその解析
実施例４で得られた５クローンについて制限酵素マッピングをしたところ、それらが互いにオーバーラップしていることがわかった。そこで、この５クローンのうちの１つ、pTN24-15をさらに詳しく解析した。DNA 配列の決定はDNA シーケンサー（370A型、パーキンエルマージャパン（株））とTaq ダイデオキシサイクルシーケンシングキット（Taq Dye Deoxy cycle sequencing kit，パーキンエルマージャパン（株））を使用して行った。
クローンpTN24-15の塩基配列と、それから推定したアミノ酸配列を図２、３と、配列表の配列番号25に示した。このcDNAは、1623塩基から成り、１つのオープンリーディングフレームを有していた。
また、この配列中には、配列表の配列番号37に示すコザック M.(Kozak M., J. Cell Biol., 115巻、887-903 頁、1991年）によって提唱された配列(CCA/GCCATGG) は認められなかったが、翻訳開始部位は塩基番号74〜76に位置するATG と考えられた。このオープンリーディングフレームは、908 〜910 の終止コドンTAA で終わっている。そして、このcDNAは、278 アミノ酸をコードすることがわかった。アミノ酸配列から推定されるペプチド部分の分子量は31,138であり、等電点は9.53である。
このcDNAがコードする278 アミノ酸のうちＮ末端側の77アミノ酸は、極めてプロリンに富んだ配列であった。Ｎ末端付近に典型的なシグナル配列は確認できなかったが、ヒドロパシー分析（Hydropathy Analysis ）により、 Fasリガンドは、プロリンリッチな領域に続いて、おそらくトランスメンブランアンカーとして機能すると考えられる22個の疎水性アミノ酸を有することがわかった。シグナル配列が欠如しており、内部に疎水性ドメインを有する構造から、 FasリガンドはII型のトランスメンブレン蛋白質であることが示唆された。
細胞外領域として推定される領域はＣ末端側に存在し、179 アミノ酸から成り、４つのＮ−グリコシレーションサイト（Asn-X-Ser /Thr）を含むことが確認された。これらのグリコシレーションサイトは、図２、図３中に＊で示した。
cDNAライブラリー作成に使用したd10S-2細胞は、ラットとマウスのハイブリドーマである。FasリガンドcDNAの由来を決定するために、FasリガンドcDNAの3'末端ノンコーディング領域からプライマーを設計、合成し、ラットとマウスの脾臓細胞から得た染色体DNA を鋳型としてPを行った。すなわち、配列表の配列番号25の塩基番号1006〜1025、1305〜1324をセンスプライマー２および３（配列表の配列番号38および39）とし、配列表の配列番号25の1327〜1346および1543〜1562をアンチセンスプライマー２および３（配列表の配列番号40および41）として用いた。その結果、ラット染色体DNA でのみ、サイズ341bp と258bpのバンドが得られた。これらの結果は、クローンpTN24-15より得られたcDNAがd10Sハイブリドーマ細胞のラット遺伝子に由来することを示している。
なお、ハナハンの方法(Hanahan D. 著、Techniques for Transformation ofE. coli, In DNA Cloning, vol.1, グローバー D. M.(Glover D. M.)編、109-136 頁、IRL 出版(IRL Press), 1985 年) に準じて、上記pTN24-15で大腸菌を形質転換させ、得られた形質転換体DH10B （pTN24-15）を工業技術院生命工学工業技術研究所に寄託した（FERM P-13953）。さらに、平成６年１０月２７日付で原寄託から国際寄託に移管した（FERM BP-4848）。
【００２５】
（実施例６）ノーザンハイブリダイゼーション
mRNA分離キット（ファルマシア）を用い、d10S、d10S-2、ラット各組織（脳、肺、心臓、肝臓、小腸、腎臓、卵巣、精巣、骨格筋）および細胞（脾細胞、胸腺細胞）からpoly(A)RNAを調製した。50％ホルムアミド中で65℃で５分間加熱しRNA を変性させ、6.6 ％のホルムアルデヒドを含む 1.5％アガロースゲルで電気泳動を行い、ニトロセルロースあるいはナイロン膜（シュライヒャー  アンド  シュエル(Schleicher and Schuell)社）に転写させた。
プローブとして、実施例４で得られたpTN24-15の43〜967 のDNA 配列（配列表の配列番号42）を含む925bp の２本鎖DNA フラグメントをP により調製し、ランダムプライマーラベリングキット（ベーリンガー  マンハイム社）によって32Ｐ標識した。ヒトEF１αのcDNA（ウエツキ T.(Uetsuki T.) 等、 J. Biol. Chem., 264巻、5791-5798 頁、1989年）の1.8kbpの長さを有するBamHI フラグメントの32Ｐ標識物を、コントロールプローブとして使用した。ハイブリダイゼーション操作は、ハイストリンジェンシー（high stringency ）の条件下でサムブルック J.(Sambrook J.)らの方法（Molecular Cloning: A Laboratory Manual, 2nd ed., Cold Spring Harbor Laboratory, ニューヨーク(New York), 1989年）を用いた。
図４には、d10S、d10S-2、d10S−16各細胞をPMA とイオノマイシンで刺激した場合と刺激しない場合の、ノーザンハイブリダイゼーションの結果を示した。図４から明らかなように、d10Sから得たpoly(A)RNAは、約2.0kbpの弱いハイブリダイゼーションバンドを示した。このバンドのシグナルの強さは、 PMAやイオノマイシンでd10S細胞を刺激すると増加する。d10S-2細胞は、PMAとイオノマイシンで刺激したd10Sよりも約４倍強いシグナルを示し、d10S-2細胞では FasリガンドmRNAの発現量がPMA とイオノマイシンで刺激したd10S細胞よりも、約４倍高いことが示唆された。
また、実施例２の操作を16回繰り返して得たd10S−16細胞では、mRNA発現量はd10S細胞よりも約100 倍多かった。d10S−16の細胞障害活性は、d10S細胞より100 倍高く、FasリガンドmRNA発現量の増加は、細胞障害活性、mFas−Fcで染色される強さと正の相関関係にある事が分かった。
図５には、ラットの脾臓および胸腺より調製した脾細胞、胸腺細胞の調製直後（培養前）、刺激剤なしで37℃で８時間培養後（未処理）、各刺激剤を加えて37℃で８時間培養後のノーザンハイブリダイゼーションの結果を示した。ラットの脾細胞では、FasリガンドmRNAの弱い発現が認められた。ラット脾細胞をPMAとイオノマイシン、もしくはConAとIL-2で８時間刺激した時、FasリガンドmRNAの量は著しく増加した。ラット胸腺細胞では、培養前及び未処理の場合FasリガンドmRNAは、ほとんど発現していなかった。しかしながら、ラット胸腺細胞をPMAとイオノマイシン、もしくはConAとIL-2で刺激すると、FasリガンドmRNAの発現量は、脾細胞におけるそれと同等にまで増加した（図５）。
ラットの各組織におけるFasリガンドmRNAの発現量を調べた結果を図６に示す。図６に示したように、精巣に於いて約2.0kbpの強いシグナルを有するバンドが確認された。小腸、腎臓、肺では、普通もしくは弱いシグナルを有するバンドが確認されたが、その他の組織では FasリガンドmRNAの発現は認められなかった。
なお、すべてのmRNAがインタクト（intact）であることは、ヒトEF１αのcDNAプローブと再ハイブリダイゼーションした全ての細胞および組織において、1.8kbpのバンドが認められたことから明らかである（図４、５および６の下段）。
【００２６】
（実施例７）Fasリガンドの生化学的解析
d10S−12細胞で発現している Fasリガンド及びpTN24-15で形質転換させたCOS -7細胞で発現している Fasリガンドの生化学的性状を検討した。
d10S−12細胞は、実施例２の操作を12回繰り返して得られた細胞集団である。まず、d10S−12あるいはpTN24-15で形質転換させたCOS-7 細胞の細胞表面蛋白をＤ−ビオチニル−ε−アミノカプロン酸  Ｎ−ヒドロキシサクシニミドエステル（biotin-CNHS-ester 、ベーリンガーマンハイム社）用いるマイヤー（Meier）らの方法でビオチン化した（Anal. Biochem., 204 巻、220-226 頁、1992年）。なお、pTN24-15で形質転換させたCOS-7 細胞の対照として、外来遺伝子を含まないpCEV4ベクターで形質転換させたCOS-7細胞を用いた。細胞（7.5×106個）を１mlのライシスバッファー（１％NP−40、50mM Tris-HCl（pH 8.0）、150mM NaCl、１mM（ｐ−アミノフェニル）メチルスルホニルフロライド塩酸塩（APMSF)、１μg/mlペプスタチンおよび１mMロイペプチンを含む）中に加え氷上で30分間インキュベーションし、細胞を溶解させた。
14,000rpm で15分間遠心操作を行った後、上清を10μg/mlの hTNFRβ−Fcと氷上で60分間インキュベーションし、さらに５％液量のプロテインＡ−セファロース4Bと、４℃で60分間インキュベーションした。プロテインＡ−セファロース4Bを除去したのち、上清に10μg/mlのmFas−Fcを加え、氷上で60分間インキュベーションした。１％液量のプロテインＡ−セファロース4Bをこの混合物に加え、４℃で一夜インキュベーションした。遠心操作の後、沈降物をライシスバッファーで洗浄し、５％の２−メルカプトエタノールを含む20μｌのラエムリ(Laemmli) の試料用緩衝液（２％SDS 、10％グリセリンおよび0.002 ％ブロモフェノールブルー(BPB,Bromophenol blue)を含む62.5mM Tris-HCl(pH6.3)）に再懸濁し、95℃で２分間加熱した。次いで、0.1 ％SDS を含む10−20％グラジエントポリアクリルアミドゲルを用いてグラジエントゲル電気泳動を行い、PVDF膜へ転写し、ECL システム（アマーシャム社）で検出した。
図７に、mFas−Fcとd10S−12、COS-7/pCEV4 またはCOS-7/pTN24-15との免疫沈降の結果を示す。図７に示したように、mFas−Fcは、d10S−12細胞ライセート中の分子量約40,000の蛋白質と免疫沈降し、一方、pTN24-15で形質転換させた COS-7細胞（COS-7/pTN24-15）からのライセート中では分子量約37,000−45,000の蛋白質とともに免疫沈降した。外来遺伝子を含まないpCEV4 ベクターで形質転換させたCOS-7 細胞（COS-7/pCEV4)では、免疫沈降物は認められなかった。
pTN24-15で形質転換させたCOS-7 細胞とd10S−12細胞で免疫沈降した蛋白質の分子量は、いずれも前述したアミノ酸配列より推定される分子量よりも大きかった。これら２つの細胞間での分子量の差、およびアミノ酸配列から推定される分子量との差は、４つあるＮ−グリコシレーションサイトのいくつかにおいてグリコシレーションに違いが生じているためと考えられた。
【００２７】
（実施例８）Fasリガンドの細胞障害活性の測定
（１）エフェクター細胞による細胞障害活性の測定
d10S細胞およびpTN24-15で形質転換させた COS-7細胞の、細胞障害活性を、W4細胞（オガサワラ J.(Ogasawara J.）等、Nature、 364巻、806-809 頁、1993年）をターゲット細胞として測定した。W4細胞は、マウス Fas抗原を発現させるようにマウス WR19L細胞を形質転換させた細胞である。このWR19L細胞は、マウス Fas抗原を殆んど発現せず、TNF の細胞障害作用に感受性の細胞である。
細胞障害活性の検定は、ルービエ E.(Rouvier E.）等の方法に準じて行った（J. Exp. Med., 177 巻、195-200 頁、1993年）。
まず、d10S細胞（2.5 〜５×105 細胞/ml)を、10ng/ml の PMA（シグマ社）およびカルシウムイオノフォアであるイオノマイシン（カルビオケム社）500ng/mlが添加された10％FCS 含有D-MEM 中で、37℃で３時間インキュベーションした後、D-MEM で洗浄し、エフェクター細胞とした。また、COS-7 細胞をpTN24-15でDEAE−デキストラン法で形質転換し、エフェクター細胞とした。一方、100μｌの10％FCS を含むRPMI1640中で、20μCiの［51Cr］クロム酸ナトリウム（アマーシャム社）と共に１×106 個のWR19L細胞あるいはW4細胞を37℃で２時間インキュベートした。培養液（RPMI1640）で洗浄した後、これらの細胞を標的細胞として使用した。
d10Sをエフェクター細胞とし、WR19LまたはW4を標的細胞としたときの特異的細胞障害活性を図８に示した。また、エフェクター細胞を COS/pTN24-15 、COS/pCEV4 としたときの特異的細胞障害活性を図９に示した。
標的細胞１×104 個とエフェクター細胞とを、さまざまな比で丸底のマイクロタイタープレートの各ウェル中で混合した。このとき全液量が計200μｌになるようにした。700rpmで２分間、プレートの遠心操作を行ったのち、37℃で４時間インキュベーションした。さらに、1,200rpmで５分間、プレートの遠心操作を行い、各ウェルより上清 100μｌを分取してγカウンターを用いて放射活性を測定し、特異的細胞溶解率を算出した。
51Crの自然放出は、培地のみで標的細胞をインキュベーションすることにより決定し、一方、最大放出量は、標的細胞に0.1 ％となるようにトライトンX100を加えることにより決定した。また、特異的細胞溶解率は次の式により計算した。
実測の51Ｃｒの放出量−51Ｃｒの自然放出量
特異的細胞溶解率＝−−−−−−−−−−−−−−−−−−−−−−
51Ｃｒの最大放出量−51Ｃｒの自然放出量
図９に示したように、pTN24-15で形質転換させたCOS-7 細胞(COS/pTN24-15)は、W4細胞を溶解させたが、外来遺伝子を含まないpCEV4 ベクターで形質転換させたCOS-7 細胞(COS/pCEV4）では、W4細胞の溶解は認められなかった。pTN24-15で形質転換させたCOS-7 細胞(COS/pTN24-15)と、d10S細胞の細胞障害活性を、W4細胞に対する E/T（エフェクター細胞/ 標的細胞）比で比較すると、前者は後者に比べ少なくとも10倍高い活性を有していた。また、d10S細胞およびpTN24-15で形質転換させたCOS-7 細胞（ COS/pTN24-15 ）は、ともにWR19L 細胞に対しては細胞障害作用を示さなかった（図８、９）。
（２）細胞の培養上清の添加による細胞障害活性の検討
図10に、 COS/pTN24-15 または COS/pCEV4の培養上清を種々の濃度で添加したときの標的細胞（W4,WR19L) に対する細胞障害活性を示した。
pTN24-15で形質転換させたCOS-7 細胞(COS/pTN24-15)の培養上清の細胞障害活性をみたところ、W4細胞に対し顕著な細胞障害活性が認められたが、 WR19L細胞に対しては細胞障害活性は認められなかった（図10）。これは、COS-7 細胞上で発現されたリコンビナント Fasリガンドが切断され、可溶型になっていることを示す結果である。
（３）mFas−Fcおよび hTNFRβ−Fcによる細胞障害活性の阻害
さらに、mFas−Fc、 hTNFRβ−Fcをアッセイ系に加えて、エフェクター細胞による細胞障害活性の変化を検討した。この結果を図11に示す。
図11に示すように、 Fasリガンドを発現する COS-7細胞(COS/pTN24-15)の細胞障害活性は、d10S細胞と同様に、10μg/mlのmFas−Fcで阻害され、10μg/mlのhTNFβ−Fcでは阻害されなかった。
【００２８】
（実施例９）染色体DNA のフラグメンテーションについての検定
24ウェルプレート内の８×104 個のCOS-7 細胞を、10μg のpTN24-15で形質転換した。トランスフェクトの72時間後、２×105個のWR19L細胞あるいはW4細胞（オガサワラ J.(Ogasawara J.) 等、Nature, 364 巻、806-809 頁, 1993年）をウェルに加え、10％FCS を含むRPMI1640中37℃で、１〜３時間インキュベーションした。WR19LまたはW4細胞のうち、ウェル内壁に付着しない非付着細胞を集め、レイード P. W.(Laird P. W.) らに準じて染色体DNA を調製し（Laird P. W. 等、Nucleic Acids Res., 19巻、4293頁、1991年）、 0.5μg/mlの臭化エチジウム存在下でアガロースゲルを使用して電気泳動を行った。
上述のWR19LまたはW4細胞の染色体DNAの電気泳動の結果を図12に示した。
図12から明らかなように、pTN24-15で形質転換させた COS-7細胞(COS/pTN24-15)とコカルチャーしたW4細胞では、染色体DNA が、アポトーシスの特徴であるステップラダー様式（step-ladder fashion ）でフラグメント化していた。
DNAのラダーは、インキュベーション後1.0 時間で観察され、インキュベーション後２時間で、ほとんどのDNAが断片化してしまった。
このような DNAのフラグメント化は、外来遺伝子を含まない pCEV4で形質転換させた COS-7細胞とコカルチャーしたW4細胞では認められなかった。さらに、このような DNAの断片化はターゲット細胞に用いたW4細胞およびWR19L 細胞のうちW4細胞でのみ確認され、 WR19L細胞では確認されなかった。
【００２９】
（実施例10）アフィニティークロマトグラフィーを用いたFasリガンドの精製
（１）細胞表面蛋白質のビオチン化
以下で、トレーサー蛋白質として使用するため、マイヤー（Meier)等の方法（Anal. Biochem., 204 巻、220 頁、1992年）に従って細胞表面のビオチン化を行った。すなわち、d10S-12 細胞を50μg/mlの NHS−LC−ビオチンを含む10mMホウ酸ナトリウム緩衝生理食塩水で、１×107 細胞/ml になるように懸濁し、室温で15分間インキュベートした。最終濃度が10mMになるように塩化アンモニウムを添加し、反応を停止後、150mM のNaClを含む50mM Tris-HCl(pH8.0 、以下TBS と略す）で３回洗浄し、細胞表面蛋白質をビオチン化した。
（２）mFas−Fcアフィニティーカラムの調製
実施例１で作製したキメラ蛋白質mFas−Fcの精製標品４mgを４mlのPBS(pH7.4)に溶解した後、２mlのプロテインＡ−セファロース4Bと混合し、４℃で１時間結合させた。遊離の蛋白質を除去するため、樹脂をTBS で３回、次に 200mMのホウ酸ナトリウム溶液(pH9.0) で１回洗浄した。さらに、ジメチルピメリミデイト(DMP) を含む200mM ホウ酸溶液(pH9.0) で室温45分間インキュベートすることにより、樹脂にmFas−Fcを共有結合させた。
（３）Fasリガンドの精製
実施例２の操作を12回繰り返して得られたd10Sのサブライン、d10S−12を、50nMの２−メルカプトエタノールと20mMヘペス(pH7.4) を添加した10％FCS 含有D-MEM を培地を用いて、37℃にて、10本のローラーボトルで培養した。細胞密度が２×105 細胞/ml に到した時点で10ng/ml の PMAと500ng /ml のイオノマイシンを添加し、さらに４時間インキュベートした。
培養後の細胞浮遊液を250 ×g で20分間遠心後ペレットを回収し、PBS で３回、TBS で１回洗浄した。ペレットの状態で、−80℃で保存し、以下の細胞膜画分の調製に使用した。また、一部を（１）の細胞表面蛋白質のビオチン化に使用した。
凍結した細胞ペレットは４倍量の１mMのｐ−アミノフェニル  メタンスルフォニルフルオライドハイドロクロライド（p-aminophenyl methanesulfonyl fluoride hydrochloride, APMSF ）、１μg/mlペプスタチン、１μg/mlロイペプチンおよび0.02％ NaN3 を含む0.3 Ｍショ糖溶液中で、ウルトラ−トラックスＴ25（Ultra-Turrax T25,  ヤンク  ウント  クンケル、スタウフェン（Janke & Kunkel, Staufen)社）を用い、ブルーポジションで、氷上で２分間、破砕した。
1,000×gで20分間、４℃にて遠心し、核および破砕されていない細胞を除去した。次に上清を100,000 ×g で90分間、４℃にて遠心し、膜分画を得た。この膜分画を40mlのライシスバッファー（１％NP−40、１mM APMSF、１μg/mlペプスタチンおよび１μg/mlロイペプチンを含むTBS ）に溶解し、４℃で一晩振とうし可溶化した。可溶化した膜分画を100,000×gで60分間、４℃にて遠心し、上清を−80℃で保存した。細胞表面タンパクをビオチン化した細胞も同様に処理し、−80℃で保存した。
Fasリガンドのトレーサーとして可溶化した膜分画 100mlに、ビオチン化した細胞からの可溶化膜分画10mlを添加した。その混合物を１％NP−40を含むTBS で平衡化したmFas−Fcカラム（1.4ml)にアプライした。
カラムを１％NP−40を含むTBS 50mlおよび 0.1％NP−40を含むTBS 50mlで洗浄後、１Ｍ NaCl および0.1％NP−40を含む50mM Tris-HCl(pH8.0)で Fasリガンドを溶出した。
１mlづつフラクションを集め、各フラクションの10μｌをSDS-ポリアクリルアミド電気泳動(SDS-PAGE)に供した後、PVDF膜に転写した。ビオチン化した蛋白質は、HRPO標識ストレプトアビジンと反応させて染色し、使用説明書通りに ECLシステム（アマーシャム社）で検出した。
40kDのビオチン化 Fasリガンドを含む画分をプールし、10μｌのConA−アガロースビーズ（ＥＹ  ラボラトリーズ社）と４℃で１晩インキュベートした。0.1％NP−40を含むＴＢＳで４回洗浄後、0.1％NP−40および２Mα−メチルマンノシドを含むPBS 200μｌで Fasリガンドを溶出し、精製 Fasリガンドを得た。
（４）SDS-PAGE
（３）で得た精製 Fasリガンドを用いて0.1 ％SDS を含む10−20％グラジエントポリアクリルアミド電気泳動を行い、シルバーステイニングキット（和光純薬工業（株））で染色、あるいはPVDF膜に転写後、 ECLシステムでバンドを検出した。Fasリガンド精製の結果を図13に示す。図中、レーン１は、銀染色の結果を、レーン２は ECLシステムでの検出結果である。
図13に示したように、精製された Fasリガンドは銀染色および ECLシステムでともに非還元下、分子量約40kDの１本のバンドとして検出された。
（５）細胞障害活性
実施例８の方法に従って、精製 Fasリガンドの細胞障害活性を測定した。ただし、これまでの細胞障害活性でエフェクター細胞として用いられたd10S細胞およびpTN24-15で形質転換させた COS-7細胞の代わりに、（３）で得られた精製 Fasリガンドを使用し、標的細胞であるW4細胞および WR19L細胞に対する特異的細胞溶解率を指標として、細胞障害活性を測定した。精製された Fasリガンドの細胞障害活性の検討結果を図14に示す。
図14より明らかなように、Fas抗原を発現していない WR19L細胞に対しては細胞障害活性は認められなかったが、Fas抗原を発現しているW4細胞に対しては濃度依存的な細胞障害活性が確認された。
【００３０】
（実施例11）ラット FasリガンドDNA の一部を使用したスクリーニング
（１）ヒト染色体DNA ライブラリーのスクリーニング
ヒト（胎盤）染色体DNA ファージライブラリー（EMBL3 SP6 /T7 、クローンテック(Clontech)社）を指示菌（菌名VCS257）に感染させ、軟寒天と混合し、寒天プレートに重層した。37℃にて一晩インキュベーションし、ファージプラークを形成させた。これを一旦、４℃で約４時間冷却し、その後、ファージをニトロセルロースフィルターに転写した。
一方、実施例４で得たプラスミドpTN24-15を鋳型として、センスプライマー４(AGAACTCCGTGAGTTCACCA)およびアンチセンスプライマー４(CAATATTCCTGGCATCCATG)配列（配列表の配列番号43および44）を用いてPCR を行い、ラット FasリガンドcDNAの細胞外領域をコードするcDNA（配列表の配列番号25の塩基番号400 から967 番）を増幅させた。ランダムプライマーラベリングキット（ベーリンガーマンハイム社）を使用して実施例６の方法で増幅産物を32Ｐ標識して、プローブ１（配列表の配列番号45）を作製した。配列表の配列番号25の5'末端側、すなわち配列表の配列番号25の塩基番号43から233 をPCR により増幅させ、得られた増幅産物を上述のように32Ｐ標識して、プローブ２（配列表の配列番号46）を作製した。
ショウ（Shaw）等の方法（Nucleic Acids Res., 11巻, 555-573 頁、1983年）を一部改変して、上記の各プローブとニトロセルロースフィルターとをハイブリダイゼーションさせた。すなわち、フィルターを、65℃で一晩、0.1 ％SDS を含む３×SSC で洗浄し、次いで、50％ホルムアミド、５×デンハルト溶液、0.1 ％SDS 、250 μg/mlの変性サケ精子DNA を含む５×SSCP中で、42℃、５時間プレハイブリダイゼーションした。次に、50％ホルムアミド、１×デンハルト溶液、0.1 ％SDS 、100 μg/mlの変性サケ精子DNA 、10％(w/v）デキストラン硫酸を含む５×SSCPに上述のプローブを1.1 ×106cpm/ml となるように添加し、前記フィルターを28℃で18時間ハイブリダイゼーションさせた。0.1 ％SDS を含む２×SSCPを用い、室温で２回フィルターを洗浄し、次いで、0.1 ％SDS を含む0.3 ×SSCPを用い、37℃で３回洗浄した。オートラジオグラフィーを行ったところ、複数のポジティブクローンが検出された。
（２）ポジティブクローンの解析−１
プローブ１とのハイブリダイゼーションで得られたポジティブクローンのうち２つのクローン、λhFL4およびλhFL7から、公知方法（サムブルック J.(Sambrook J.)等、Molecular Cloning: a Laboratory Manual, 2nd ed., Cold Spring Harbor Laboratory, ニューヨーク(New York), 1989年参照）でファージDNA を調製した。クローンλhFL4およびλhFL7中には、それぞれ18kbp 、17kbp のヒト染色体DNA を含んでおり、制限酵素マップを作成した結果、互いに重複した範囲を含んでいる事が分かった。
配列表の配列番号25の塩基配列中の524 番目から967 番目に相当するDNA 断片（配列表の配列番号47）を実施例４で得られたプラスミドpTN24-15から調製し、実施例６の方法で32Ｐで標識してプローブ３とした。クローンλhFL4とλhFL7を数種の制限酵素で切断した後、上記プローブ３を使用してサザンハイブリダイゼーションを行った。その結果、クローンλhFL4とλhFL7中の2.8kbpのHindIII フラグメントが、当該プローブ３とハイブリダイズすることが確認された。
クローンλhFL4からDNA を調製し、HindIII で消化した。得られた2.8kb のフラグメントを、HindIII で切断したpBluescript KS(+) に組み込み、プラスミドpBL-hFL4H と命名した。pBL-hFL4H 中のDNA 配列をDNA シーケンサー（370A型、パーキンエルマージャパン（株））を使用して解析したところ、当該プラスミドには、ヒト Fasリガンドの細胞外領域のＣ末端側の130 アミノ酸をコードするDNA を有するDNA 配列が含まれていることが確認された。結果を、図15と配列表の配列番号26に示した。図15中、5'末端より数えて12番目まではイントロンである。エクソン部分は13番目のＧから始まっており、405 番目から407 番目の配列TAA は終止コドンである。
実施例５で解析したpTN24-15の塩基配列と比較し、図15にはヒト Fasリガンドと異なるラット Fasリガンドのアミノ酸残基および塩基のみに下線をつけて示した。ここで配列を確認した部位は、配列番号25の塩基番号514 番目から910 番目の塩基配列と高いホモロジーを有しており、塩基配列で86.7％、アミノ酸で81.5％のホモロジーを有していた。
なお、ハナハンの方法に準じてプラスミドpBL-hFL4H で大腸菌DH10B を形質転換させ、得られた形質転換体、大腸菌DH10B(pBL-hFL4H)を、工業技術院生命工学工業技術研究所に寄託した（FERM P-14014) 。さらに、平成６年１０月２７日付で、原寄託から国際寄託に移管した（FERM BP-4849）。また、λhFL4由来のBamHI フラグメントをpBluescript KS(+) のBamHI サイトに組換えて得たプラスミドpBL-hFL4B1には、ヒトFas リガンド遺伝子のエクソン３と上述した130 アミノ酸をコードするエクソン４が含まれていることが確認された。
（３）ポジティブクローンの解析−２
プローブ２とのハイブリダイゼーションで得られたポジティブクローンのうち１つのクローンλhFL5から、同様に、ファージDNA を調製した。このクローン中には18kbp のヒト染色体DNA が含まれていることが確認された。クローンλhFL5からDNA を調製し、BamHI で消化した。得られた4.4kbp  のフラグメントを、BamHI で切断したpBluescript KS(+) に組み込み、プラスミドpBL-hFL5B1と命名した。pBL-hFL5B1中のDNA 配列をDNA シーケンサーを使用して解析したところ、当該プラスミドには、ヒト Fasリガンドの細胞内領域を含む131 アミノ酸をコードするDNA を有する DNA配列が含まれていることが確認された。得られた塩基配列を、pTN24-15の塩基配列と比較し、プロモーター領域、イントロン、エクソンを決定した。また、プラスミドpBL-hFL5B1には、上述した131 アミノ酸をコードするエクソン１とともに、エクソン２も含まれていることが確認された。
（２）および（３）で得られた結果をまとめて、図16〜18および配列表の配列番号27に示した。図中--------で示した部位は、配列未確認の塩基配列である。ヒト Fasリガンドに対する染色体遺伝子は、４つのエクソンよりなる。すべてのスプライシングドナーサイトとアクセプターサイトは、GT----AGルール（パジェット(Padgette)等、Annu. Rev. Biochem., 55 巻、1119-1150 頁、1986年）に適合しており、スプライシングサイトに隣接する塩基配列は、他の遺伝子に見られるスプライシングサイトの塩基配列とよく一致している。
【００３１】
（実施例12）ヒト FasリガンドをコードするcDNAのクローニングおよび発現
（１）ヒト FasリガンドcDNAのPCR によるクローニング
ヒト末梢血よりＴ細胞を採取し、10％FCS 、50μＭのβ−メルカプトエタノール、20ng/ml のIL-2を含むRPMI1640培地（日水製薬（株））に、２×106 細胞/ml となるように懸濁し、37℃で一晩培養した。次いで、ConAを５μg/mlとなるように加え、37℃でさらに４日間培養した。死細胞をヒストパック1083（シグマ社）を用いた密度勾配遠心で除き、mRNA調製キット（ファルマシア社）を用いてpoly(A)RNAを調製した。カワサキ E. S.等の方法（Kawasaki E. S., Amplification of RNA in PCR Protocols. A Guide to Methods and Amplifications., M. A.イニス(M. A.Innis)等編，アカデミック出版(Academic Press), サンディエゴ(San Diego), 21-27頁、1990年）に従い、以下のように一本鎖cDNAの合成およびPCR を行った。
まず、センスプライマー５（GCTCTAGACTACAGGACTGAGAAGAAGT）およびアンチセンスプライマー５（GCTCTAGAACATTCTCGGTGCCTGTAAC）を作製した（配列表の配列番号48および49）。このセンスプライマーは、ATG 開始コドンの上流域と5'末端のXbaIサイト（GCTCTAGA）を含んでいる。一方、アンチセンスプライマーはTAA 終始コドンの下流領域とXbaIサイト（GCTCTAGA）を含んでいる。
先述のpoly(A)RNA  １μg に、50ngのランダムヘキサマー、200 ユニットのMMLV RNase H-リバーストランスクリプターゼ（ギブコBRL社）を添加し、逆転写反応させた。この反応液 2.0μｌを、先述のセンスプライマー、アンチセンスプライマーをそれぞれ100 pmolと 4×dNTPとTaq DNA ポリメラーゼを含むPCR バッファー100 μｌで希釈した。DNA サーマル  サイクラー（DNA thermal cycler、パーキン−エルマー（Perkin-Elmer）社）を使用して、PCR を行った。なお、PCR は；94℃、１分；55℃、２分；72℃、３分を１サイクルとする反応を20サイクル行った。
得られたPCR 産物を、制限酵素XbaIで消化した後、１％アガロースゲル（ロー  ゲル  テンペレーチャー(Low Gel Temperature),  バイオラッド(BioRad)社）で分離した。約970bp のDNA フラグメントをゲルより回収後、pBluescript IIのXbaIサイトに組み込み、プラスミドpBX-hFL1と命名した。pBX-hFL1中のDNA 配列をDNA シーケンサーを使用して確認した。当該プラスミドに含まれる970bp のDNA フラグメントの塩基配列は、実施例11で得られたヒト染色体遺伝子の配列と一致することが確認された。クローンpBX-hFL1中の塩基配列の解析結果を配列表の配列番号31および図19〜20に示す。
ヒトFasリガンドは、ラットFasリガンドと同じく、Ｎ末端にシグナル配列を持たないが、タンパク分子の中央部分に22個の疎水性アミノ酸を有し、II型膜タンパクであることがわかった。細胞内領域はMetから始まる80アミノ酸からなり、プロリンが80残基中に32含まれる。Ｃ末端細胞外領域は179 アミノ酸からなり、３箇所のＮ−グリコシレーションサイト（Asn-X-Ser/Thr）が存在する。
ハナハンの方法（既出）に準じて、プラスミドpBX-hFL1で大腸菌DH10B を形質転換し、得られた形質転換体、大腸菌DH10B (pBX-hFL1)を工業技術院生命工学工業技術研究所に寄託し（寄託番号 FERM P-14225 ）、さらに、平成６年１０月２７日付で原寄託から国際寄託に移管した（寄託番号 FERM BP-4850 ）。
（２）COS 細胞への導入
（１）で得られた970bp のXbaI DNAフラグメントを動物細胞発現ベクターpEF-BOS （ミズシマおよびナガタ(Mizushima & Nagata), Nucleic Acids Res., 18巻、5322頁、1990年) のXbaI部位に挿入し、プラスミドpEX-hFL1と命名した。10％FCS を含むD-MEM 培地に、COS-7 細胞を10cmシャーレ当り２×106 細胞となるように植え込み、５μg のプラスミドpEX-hFL1をDEAE−デキストラン法（フクナガ R.(Fukunaga R.)等、Cell, 61巻、 341-350頁、1990年）で導入し、形質転換体 COS/pEX-hFL1 を得た。
（３）形質転換体の細胞障害活性
（２）で形質転換させたCOS 細胞をエフェクター細胞とし、106 のWR19L またはWC8A細胞をターゲット細胞として、実施例８と同様に、組換え細胞の細胞障害活性を確認した。WC8A細胞は、マウスWR19L 細胞をヒト Fas抗原を発現するように形質転換した細胞である（Itoh N. 等、J.Immunol.,  151巻、 621-627頁、1993年）。すなわち、106 のWR19L またはWC8A細胞を、20μCiの［51Cr］クロム酸ナトリウム(アマーシャム(Amersham)社)を含むRPMI1640培地で、37℃で２時間培養し、51Crで標識した。
この51Crで標識した細胞（１×104 ）を、COS/pEX-hFL1 と様々な割合で混合し、37℃で４時間培養後、51Crの遊離を指標に細胞障害活性を測定した。この結果を図21に示す。
図21に示すように COS/pEX-hFL1 はWC8A細胞に対しを濃度依存的に細胞障害活性を示した。WR19L に対してはアポトーシスは誘導しなかった。さらに、COS/pEX-hFL1 の細胞障害活性を調べた結果を図22に示す。この細胞障害活性は、実施例１で作製したヒト Fas抗原の細胞外領域を含むキメラ蛋白質（hFas−Fc）あるいはマウス Fas抗原の細胞外領域を含むキメラ蛋白質（mFas−Fc）を添加することにより阻害されたが、可溶型のヒトTNF レセプター(hTNFRβ−Fc)を添加しても阻害されなかった（図22）。
以上の結果より、（１）で単離した970bp のcDNAによりコードされる蛋白質は、 Fas抗原と結合してアポトーシスを誘導する活性を有する Fasリガンドであることが確認された。
【００３２】
（実施例13）マウス Fasリガンド染色体遺伝子の単離
129 /Sv マウス染色体DNA をλFIX IIベクターに導入して作成したマウス染色体DNA ライブラリー（ストラタジーン（Stratagene) 社、ラホヤ(La Jolla), CA））を指示菌に感染させ、軟寒天と混合し、寒天プレートに重層し、1.3 ×106 個のプラークを得た。これを一旦４℃で約４時間冷却し、ファージをニトロセルロースフィルターに転写した。
実施例11で得たプラスミドpTN24-15を鋳型として、センスプライマー４(AGAACTCCGTGAGTTCACCA)およびアンチセンスプライマー４(CAATATTCCTGGCATCCATG)配列を用いてPCR を行い、細胞外ドメインをコードするcDNA（配列表の配列番号25の塩基配列の塩基番号400 から967 番）を増幅させた。ランダムプライマーラベリングキット（ベーリンガーマンハイム社）を使用して実施例６の方法で増幅産物を32Ｐ標識して、プローブ１を作製した。また、配列表の配列番号25の5'末端側、すなわち配列表の配列番号25の塩基番号43から233 をPCR により増幅させ、上述のように32Ｐ標識して、プローブ２を作製した。
プローブ１および２をそれぞれ、ニトロセルロースフィルターとハイブリダイゼーションさせた。ハイブリダイゼーションの条件は後述する実施例16と同様の穏やかな条件で行った。すなわち33℃で18時間ハイブリダイゼーションした後、フィルターを室温にて0.1 ％SDS を含む２×SSCPで２回洗浄した後、37℃の0.1 ％SDS を含む0.3 ×SSCPで洗浄した。オートラジオグラフィーを行ったところ、２つのポジティブクローンを得た（λMFL5，λMFL18 ）。ポジティブクローンのプラークを単離し、pBluescript II KS(+)（ストラタジーン(Stratagene)社）にサブクローニングした後、挿入されているマウス染色体DNA の制限酵素地図の作成、DNA シーケンサーを使用して塩基配列を決定した。
この２クローンについて制限酵素地図を作成し、サザンハイブリダイゼーション解析したところ、λMFL5，λMFL18 は、それぞれ Fasリガンド染色体遺伝子の5'、3'領域を有していた。また、ラット FasリガンドcDNAと相応する領域、プロモーター領域の塩基配列を決定したところ、決定された塩基配列は、ラット FasリガンドcDNAと高い相同性を示し、クローニングされたλFIX IIベクターに組み込んだ DNAがマウス Fasリガンド遺伝子を含むことがわかった。
図23〜24に、マウスFasリガンド遺伝子のプロモーター、エクソン、3'フランキング領域の塩基配列を示した。TATA boxから107bp 下流のATＧ開始コドンから837bp のオープンリーディングフレームがあり、279 アミノ酸（アミノ酸部分の分子量31,440）をコードしている。マウス Fasリガンドは、ラット Fasリガンドと同様Ｎ末端にシグナル配列を持たないが、タンパク分子の中央部分に22疎水性アミノ酸を有していた。これにより、マウス FasリガンドはII型膜タンパクであることが明らかになった。細胞内領域は78アミノ酸からなりプロリンが78残基中25含まれる。Ｃ末端細胞外領域は179 アミノ酸からなり、５箇所のＮ−グリコシレーションサイト（Asn-X-Ser /Thr）が存在する。
また、マウス FasリガンドcDNAは、ラット FasリガンドcDNAと塩基配列で90.6％、アミノ酸配列で91.4％の相同性を持ち、3'ノンコーディング領域で84.5％の相同性を持つことが確認された。
【００３３】
（実施例14）マウスFasリガンドをコードするcDNAのPCR によるクローニングおよび発現
（１）プラスミドpBL-MFLW4 の調製
野生型（C3H ＋/ ＋）マウスの脾臓細胞を、10％FCS 、50μＭのβ−メルカプトエタノール、1.5 μg/mlのConA、20ng/ml のIL-2を含むRPMI1640培地（日水製薬（株））に、２×106 細胞/ml となるように懸濁し、37℃で２日間培養した。10ng/ml のPMA 、500ng /ml のイオノマイシンで４時間処理した後、死細胞をヒストパック1083（シグマ社）を用いた密度勾配遠心で除き、mRNA調製キット（ファルマシア社）を用いてpoly(A)RNAを調製した。
カワサキ(Kawasaki)等の方法（Kawasaki E. S., Amplification of RNA In PCR Protocols. A Guide to Methods and Amplifications., M. A.イニス(M. A. Innis) 編、アカデミック出版(Academic Press), サンディエゴ(San Diego) 、21-27 頁、1990年）に従い、以下のように一本鎖cDNAの合成およびPCR を行った。
まず、センスプライマー６（GCTCTAGAGAGAAGGAAACCCTTTCCTG）およびアンチセンスプライマー６（GCTCTAGAATATTCCTGGTGCCCATGAT）を作製した（配列表の配列番号50および51）。このセンスプライマー６は、ATG 開始コドンの上流域と5'末端のXbaIのサイト（GCTCTAGA）を含んでいる。一方、アンチセンスプライマーはTAA 終始コドンの下流領域とXbaIサイト（GCTCTAGA）を含んでいる。
先述のpoly(A)RNA  １μg に、50ngのランダムヘキサマー、200 ユニットのMMLV RNase H-リバーストランスクリプターゼ（ギブコBRL(Gibco BRL)社）を添加し逆転写反応させた。この反応液 1.0μｌを、先述のセンスプライマー、アンチセンスプライマーをそれぞれ100pmol、4×dNTPとTaq DNA ポリメラーゼを含むPCR バッファー 100μｌで希釈した。DNA サーマル  サイクラー（DNA thermal cycler、パーキン−エルマー（Perkin-Elmer）社）を使用して、PCR 産物を制限酵素XbaIで処理した後、１％アガロースゲル（ロー  ゲル  テンペレーチャー(Low Gel Temperature),  バイオラッド社）で分離した。
約940bp のDNA フラグメントをゲルより回収後、pBluescript II KS(+)のXbaIサイトに組み込み、プラスミドpBL-MFLW4 と命名した。pBL-MFLW4 中のDNA 配列をDNA シーケンサーを使用して確認した。その結果、pBL-MFLW4 は、配列表の配列番号32の塩基配列を有しており、当該塩基配列は、実施例13で得られた染色体遺伝子の配列と一致することが確認された。
ハナハンの方法（既出）に準じて、プラスミドpBL-MFLW4 で大腸菌DH10B を形質転換し、得られた形質転換体、大腸菌DH10B (pBL-MFLW4) を工業技術院生命工学工業技術研究所に寄託した（寄託番号 FERM P-14226 ）。さらに、平成６年１０月２７日付で原寄託から国際寄託に移管した（FERM BP-4851）。
（２）COS 細胞への導入
（１）で得られた940bp のXbaIフラグメントを動物細胞発現ベクターpEF-BOS （ミズシマ及びナガタ(Mizushima & Nagata), 1990年）のXbaI部位に挿入し、プラスミドpEF-MFLW4Fと命名した。COS-7 細胞を10％FCS を含むD-MEM 培地に、10cmシャーレ当り２×106 細胞となるように植え込み、５μg のプラスミドpEF-MFLW4FをDEAE−デキストラン法（フクナガ(Fukunaga), 1990年）で導入した。
（３）形質転換体の細胞障害活性
（２）で形質転換させたCOS 細胞（ COS/pEF-MFLW4F ）をエフェクター細胞とし、106 のWR19L またはW4細胞をターゲット細胞として、実施例８と同様に、組換え細胞の細胞障害活性を確認した。W4細胞はマウスWR19L 細胞をマウス Fas抗原を発現するように形質転換した細胞である（オガサワラ J.(Ogasawara J.) 等，Nature, 364 巻，806-809 頁，1993年）。すなわち、106のWR19L 細胞またはW4細胞を、20μCiの［51Cr］クロム酸ナトリウム（アマーシャム(Amersham)社）を含むRPMI1640培地を用いて37℃で２時間培養し、51Crで標識した。
この51Crで標識した細胞（１×104 ）を、 COS/pEF-MFLW4F 細胞と様々な割合で混合し、37℃で４時間培養後、51Crの遊離を指標に細胞障害活性を測定し、結果を図25に示した。
図25に示すように COS/pEF-MFLW4F 細胞はW4細胞を濃度依存的に細胞障害活性を示したが、WR19L 細胞に対してはアポトーシスを誘導しなかった。また、図21に示したように、WC8A細胞に対しても、濃度依存的に細胞障害活性を示した。さらに、 COS/pEF-MFLW4F 細胞の細胞障害活性は、実施例１で作製したマウス Fas抗原の細胞外領域を含むキメラ蛋白質（mFas−Fc）20μg/mlを添加することにより阻害されたが、ヒトTNF レセプターの可溶型（hTNFRβ−Fc）では阻害されなかった。
以上の結果より、（１）で単離した940bp のcDNAによりコードされる蛋白質は、 Fas抗原と結合してアポトーシスを誘導する活性を有する Fasリガンドであることが確認された。
【００３４】
（実施例15）モノクローナル抗体の作製
（１）ペプチドの合成及びキャリアー結合投与抗原の調製
実施例12で決定したアミノ酸配列に基づき４種類のペプチドを合成した。配列表の配列番号52に示すペプチド<１>（ＬＶＭＭＥＧＫＭＭＳＹ）はFmoc法を用いたペプチド合成キット（国産化学（株））の使用説明書に従って合成し、樹脂から脱保護切断した後エーテルにより粗ペプチド275.7mg を得た。次に粗ペプチド10mgを５％アンモニア水溶液を用いて溶解し、セファデクスＧ10により脱塩した。
得られた溶液を逆相HPLCカラムカプセルパックＣ18（CAPCELLPAK C18 120Å、５μｍ、4.6mm ×250mm 、資生堂（株））を用いて精製した。溶出液を凍結乾燥し、精製ペプチドを得た。
また、ペプチド<２>（ＫＳＮＳＲＳＭＰＬＥＷＥＤＴＹＧＩＶＬＬ）、ペプチド<３>（ＳＫＹＰＱＤＬＶＭＭＥＧＫＭＭＳ）およびペプチド<４>（ＬＳＬＶＮＦＥＥＳＱＴＦＦ）は（株）不二家バイオサイエンス研究所に合成を依頼した（配列表の配列番号53〜55）。
得られたペプチドを以下の方法でキーホールリンペットヘモシアニン（KLH:ピアス(Pierce)社）およびカチオン化BSA （ピアス社）に結合し投与抗原とした。
KLH およびカチオン化BSA は蒸留水に溶解し10mg/ml に調製した。各々のペプチドを蒸留水または５％アンモニア水に溶解し１mg/ml に調製した。KLH ではペプチドとキャリアーのモル比が 100対１となるように、カチオン化BSA では10対１となるようにそれぞれ混合し、塩酸を用いてpH５に調整した。次に水溶性カルボジイミド（1-Ethyl-3-(3-dimethylaminopropyl)-carbodiimide hydrochlo sride、同仁化学研究所）をキャリアー１mg当たり等量添加し、室温にて４時間撹拌した。反応液をセファデックスＧ25（ファルマシア社）により精製し、最初に溶出してくる画分を投与抗原とした。
（２）投与および抗血清の調製
（１）で調製した投与抗原100 μg と等量のフロインド完全アジュバントとを混合し、BALB/cまたはddyマウス（５〜６週令、♀）の腹腔内に投与した。１週間後、同量をフロインド不完全アジュバントと混合し、腹腔内に投与した。さらに１週間間隔で２回追加投与を行い、さらに１週間後に投与抗原20μg を生理食塩水で希釈し、静脈内投与し、２日後に細胞融合を行った。２回投与後、抗血清を眼底静脈より採血し、血清を分離して得た。
（３）抗血清のペプチドとの反応性の測定
アミノプレート（住友ベークライト（株））の各ウェルに2.5 ％のグルタールアルデヒド溶液70μｌを分注し、室温で１時間静置し、内容液を廃棄した。0.076 ＭのPBS(pH6.4 ）で５μg/mlに希釈したペプチド溶液50μｌを加え、37℃で１時間処理した。プレートを氷水で冷却後、イオン交換水でプレートを５回洗浄し、0.2 ％のゼラチンを溶解したPBS 100 μｌを分注し、30分静置しブロッキングを行った。
次に抗血清をPBS で500 倍に希釈し50μｌ添加した。37℃で１時間反応後、0.005 ％ Tween 20 を含む生理食塩水（以下、洗浄液と略す）で２回洗浄し、ペルオキシダーゼ標識抗マウスイムノグロブリンズ抗体（ダコ(DAKO)社）を0.25％のゼラチンを溶解したPBS で2,000 倍に希釈して添加した。37℃で１時間反応させた後、洗浄液で５回洗浄した。オルトフェニレンジアミンを３mg/ml 、過酸化水素を0.027 ％を含むマッキルベイン緩衝液pH5.0 を50μｌを添加し室温で10分間反応させた。
反応後、２Ｎ硫酸50μｌを添加し反応を停止し、492nm の吸光度を測定した。各抗血清とも投与したペプチドと反応性を示した。
（４）モノクローナル抗体の作製
（２）で免疫したマウスを屠殺し、脾臓を取り出した。これを細断した後、ステンレス・メッシュを通し、RPMI1640培地に浮遊させ、脾細胞浮遊液を得た。この脾細胞とマウスミエローマ細胞（P3X63Ag8U1）を10：１の割合で混合して遠心（1,400rpmで８分間）した。得られた沈殿に0.5ml の42.5％のポリエチレングリコール1540と15％のジメチルスルフォキサイドを含むRPMI1640をすばやく加え、さらに１分間激しく細胞を振とうした後、10mlのRPMI1640をゆっくり加えた後、遠心（800rpmで５分間）を行った。
この沈殿をHAT 培地（ヒポキサンチン１×10-4Ｍ、アミノプテリン４×10-7Ｍ、チミジン1.6 ×10-5Ｍ、10％FCS を含むRPMI1640培地）に２×105 細胞/ml になるように懸濁し、96ウェルマイクロプレートのウェル当り0.2ml を分注した。２〜３日毎に半量の培地を交換し、その後HT培地（ヒポキサンチン１×10-4Ｍ、チミジン1.6 ×10-5Ｍ、10％FCS を含むRPMI1640培地）に交換した。
ハイブリドーマ細胞の生育が認められたところで、ELISA 法によりスクリーニングを行った。すなわち、実施例15（１）で作製したペプチドを不溶化させた96ウェルプレートを洗浄液で２回洗浄後、0.25％ゼラチンを含むPBS で10倍に希釈した培養上清100 μｌを各ウェルに添加し、室温で２時間反応させた。反応終了後、洗浄液で５回洗浄し、第２抗体として0.25％ゼラチンを含むPBS で2,000 倍に希釈したペルオキシダーゼ標識ウサギ抗マウスIgs 抗体（ダコ(DAKO)社）50μｌを添加し、室温で２時間反応させた。
反応終了後、洗浄液で５回洗浄後、３mg/ml オルトフェニレンジアミンおよび0.027 ％過酸化水素を含む0.1 Ｍマッキルベイン緩衝液pH5.0 を 100μｌ添加し、室温で10分間酵素反応を行い、100 μｌの２Ｎ硫酸で反応を停止し、492nmの吸光度を測定した。
ELISA 法で陽性であったウェルのハイブリドーマを、96ウェルマイクロプレートに１ウェルあたり２個、１個、あるいは0.5 個となるよう10％FCS を含むRPMI1640を用いて希釈した。
ウイスターラットの胸腺細胞をフィーダー細胞として加えて、プレートの各ウェルに植え込み、クローニングを行った。
顕微鏡下で観察して、確実にシングルセルコロニーであるウェルを選択し、それらの培養上清を（３）のELISA 法によりスクリーニングし、モノクローナル抗体を産生するハイブリドーマを得た。
（５）ウエスタンブロッティングによる反応性の確認
前記（２）で得られた抗血清（ペプチド＜２＞を使用して作成した抗原で免疫、lot. 19-3 ）および前記（４）で得られたモノクローナル抗体（ペプチド＜２＞を使用して作成した抗原で免疫、F864-5-1）とヒトFas リガンドとの反応性を、実施例12で COS細胞に発現させたヒト Fasリガンド、実施例14で発現させたマウス Fasリガンドおよび Fasリガンドの配列を含まないベクターをトランスフェクトした COS細胞をコントロールとしてウエスタンブロッティングで確認した。
まず、各組換えCOS 細胞約１×104 個を150mM のNaCl、１％のNP−40、0.1 ％デオキシコール酸ナトリウム（Sodium deoxycolate)、0.1 ％SDS および0.2U/ml のアプロチニン(Aprotinin)を含む50mM Tris-HCl (pH7.5）９μｌと混合し、さらに等量の２％SDS 、30％グリセロール、10％の２−メルカプトエタノールおよび0.01％BPB を含む0.25M Tris-HCl（pH6.8）と混合した。
37℃で１時間処理した後、SDS−ポリアクリルアミドゲル電気泳動（４−20％グラジエントゲル）を行い、泳動終了後PVDF膜（ミリポア社）に４℃にて200mA 、90分の条件で転写した。メンブレンをブロックエース（雪印乳業（株））で、37℃で２時間ブロッキングを行った。
次にメンブレンを洗浄液で２回、37℃で４分撹拌して洗浄し、PBS で５倍に希釈したブロックエースで500 倍に希釈した抗血清19-3、または培養上清F864-5-1と37℃で1.5 時間反応させた。反応終了後、洗浄液で２回洗浄し、ペルオキシダーゼ標識ウサギ抗マウスイムノグロブリンズ抗体（Cat.No. P260、ダコ社）をPBS で５倍に希釈したブロックエースで1,000 倍に希釈した溶液に浸し、37℃で1.5 時間反応させた。メンブレンを洗浄液で３回、蒸留水で２回洗浄し、表面の水を切りTMB 試薬（Cat.No. TM9125、シツク（SCYTK）社）で発色させた。
図27及び28に、抗血清19-3とモノクローナル抗体F864-5-1を使用したウエスタンブロッティングの結果をそれぞれ示した。図27及び28から明らかなように、ヒト Fasリガンド発現COS 細胞抽出液と反応するバンドが見られるのに対して、マウス Fasリガンドおよびコントロールではバンドは認められなかった。
（６）阻止反応によるペプチドとの反応性の確認−１
前記（４）で得られたモノクローナル抗体（ペプチド＜２＞を使用して作製した抗原で免疫、F883-1-1）と、投与抗原ペプチド（ペプチド＜２＞）との反応性を阻止反応により確認した。
アミノプレート（住友ベークライト（株））の各ウェルに2.5 ％のグルタールアルデヒド溶液70μｌを分注し、室温で１時間静置後、内容液を廃棄した。0.076 ＭのPBS(pH6.4)で５μg/mlに希釈したペプチド＜２＞溶液50μｌを加え、37℃で１時間処理した。プレートを氷水で冷却後、イオン交換水でプレートを５回洗浄し、0.2 ％のゼラチンおよび0.1 Ｍグリシンを含むPBS 100 μｌを分注し、30分間静置してブロッキングを行った。
次に、阻止ペプチドとして上記ペプチド＜２＞、＜３＞、＜４＞をPBS で10μg/mlに希釈して阻止抗原溶液とし、ネガティブコントロールとして阻止抗原を含まない溶液を調製した。これらの各溶液をそれぞれ25μｌ添加後、0.2 ％ゼラチンを溶解したPBS を用いて0.4 μg/mlに希釈したF883-1-1を25μｌ加えた。37℃で１時間反応後、洗浄液で２回洗浄した。
次に、ペルオキシダーゼ標識抗マウスイムノグロブリンズ抗体（ダコ社）を0.2 ％のゼラチンを溶解したPBS で2,000 倍に希釈して各ウェルに50μｌを添加した。37℃で１時間反応させた後、洗浄液で５回洗浄した。オルトフェニレンジアミンを３mg/ml 、過酸化水素を0.027 ％含むマッキルベイン緩衝液pH5.0 を上記各ウェルに50μｌ添加して室温で10分間反応させた。２Ｎ硫酸50μｌを添加して反応を停止し、492nm の吸光度を測定した。結果を図29に示した。
図29では、阻止抗原無添加のウェル（ネガティブコントロール）の吸光度を100 とした場合の各ウェルの吸光度を算出し、反応性として示した。
図29から明らかなように、F883-1-1抗体と抗原ペプチドとの反応性は、阻止ペプチドとしてペプチド＜２＞を使用した場合にのみ阻止されることが確認された。
（７）阻止反応によるペプチドとの反応性の確認−２
前記（４）で得られたIgM 型モノクローナル抗体（ペプチド＜３＞を使用して作製した抗原で免疫したマウスより得た脾細胞とミエローマから作成したハイブリドーマF897-1-2の産生する抗体F897-1-2）と、投与抗原ペプチド（ペプチド＜３＞）との反応性を阻止反応により確認した。
まず、中根ら（Immunofluorescence and Related Staining Techniques, W.Knapp, K.Holubar and G.Wick eds. 1978）の方法に従い、ペプチド＜３＞をペルオキシダーゼで標識した。すなわち、ペルオキシダーゼ（RZ3.11、東洋紡（株））を６mg秤量し、1.5ml の蒸留水で溶解した。次に蒸留水で溶解した0.1 Ｍメタ過ヨウ素酸ナトリウムを0.3ml 添加し室温で15分間静置し、続いて蒸留水で溶解した1.5 ％エチレングリコール0.3 mlを添加し室温で20分間静置した。この溶液を0.001 Ｍの酢酸緩衝液(pH4.4) に対して４℃で一夜透析した。
得られた活性化ペルオキシダーゼ159 μｌ（ペルオキシダーゼ500 μg 相当）に１Ｍ炭酸緩衝液(pH9.5)を９μｌ添加し、続けて蒸留水で溶解して１mg/ml に調製したペプチド＜３＞を428μｌ（ペルオキシダーゼに対して20倍モル量）添加し25℃にて２時間反応させた。次に、0.01Ｍ炭酸緩衝液(pH9.5) で溶解した４mg/ml の水素化ホウ素ナトリウムを15μｌ添加し４℃で２時間静置し、さらに蒸留水で0.2 Ｍに希釈したグリシンを25μｌ添加し室温で１時間静置した。次に0.076 ＭのPBS(pH6.4)に対して４℃で一夜透析し、得られたペルオキシダーゼ標識ペプチド＜３＞溶液に等量のグリセロールを添加し−20℃にて保存した。
次に、イムノプレート（ヌンク(NUNC)社、マキシソープ（MaxiSorpTM)）の各ウェルに0.076 ＭのPBS(pH6.4)で20μg/mlに希釈した抗マウスイムノグロブリン抗体（Z259、ダコ社）を50μｌ加え、45℃で30分処理した。プレートを氷水で冷却後、イオン交換水でプレートを５回洗浄し、0.2 ％ゼラチンを含むPBS 100 μｌを分注し、４℃で一夜静置してブロッキングを行った。ブロッキング後、PBS で100 倍に希釈した塩析抗体(F897-1-2)を50μｌ加え37℃で１時間静置した後、0.005 ％ Tween 20 を含む0.9 ％NaClの洗浄液で２回洗浄し、さらにイオン交換水で１回洗浄した。
一方、ペプチド＜３＞をPBS で３μg/ml、10μg/mlに希釈して阻止抗原溶液とし、ネガティブコントロールとして阻止抗原を含まない溶液を調製した。これらの溶液を25μｌ添加後、PBS で200 倍に希釈したペルオキシダーゼ標識ペプチド＜３＞を25μｌ加え、37℃で１時間反応させた。反応終了後洗浄液で５回洗浄し、続いてイオン交換水で２回洗浄した。オルトフェニレンジアミンを３mg/ml 、過酸化水素0.027 ％を含むマッキルベイン緩衝液(pH5.0) を上記各ウェルに50μｌ添加して室温で５分間反応させた。２Ｎ硫酸50μｌを添加して反応を停止し、492 nmの吸光度を測定した。阻止抗原無添加のウェル（ネガティブコントロール）の吸光度を100 とした場合の各ウェルの吸光度を算出し、反応性（％）とした。結果を図31に示した。
図31から明らかなように、F897-1-2抗体と抗原ペプチドとの反応性は、ペプチド＜３＞により阻止されることが確認された。
【００３５】
（実施例16）アポトーシス抑制活性の評価−１
実施例15で得られた抗体F883-1-1のアポトーシス抑制活性を、Fasリガンドを発現する形質転換体および Fas抗原を発現する形質転換体を使用した以下の方法で確認した。
まず、ヒト FasリガンドをコードするcDNAを含むプラスミドpEX-hFL1（実施例12参照）で、マウス正常骨髄細胞由来細胞株FDC-P1を形質転換した。その中の１クローン、FLh1細胞を、50Ｕ/ml のマウスIL-3（インタージェン社）および10％のFCS を含有するRPMI1640培地（ギブコ BRL社）中で、５％CO2 存在下、37℃にて４日間培養した。培養後、FLh1細胞を10％FCS を含有するRPMI1640培地に５×105 細胞/ml となるよう懸濁し、この懸濁液を96穴平底プレートの各ウェルに50μｌずつ添加した。
一方、実施例15で得られた抗体F883-1-1をPBS - を使用して各種濃度に調製した。これを上述の各ウェルに10μｌずつ添加し、５％CO2 存在下、37℃にて30分間インキュベートした。
次に、10％FCS を含有するRPMI1640培地に、ヒト Fas抗原を発現する形質転換体WC8 細胞（イトウ N.(Itoh N.)等、J.Immunol., 151 巻、621-627 頁、1993年）を6.3 ×105 細胞/ml となるよう懸濁し、これを各ウェルに40μｌずつ添加した。５％CO2 存在下、37℃で16時間インキュベートした後、トリパンブルーを各ウェルに100 μｌずつ添加して、各ウェルあたりの生細胞数をカウントした。
F883-1-1抗体のアポトーシス抑制活性を図30に示した。図30から明らかなように、FLh1によるWC8 のアポトーシスはF883-1-1抗体により用量依存的に抑制された。なお、モノクローナル抗体F883-1-1を産生するハイブリドーマF883-1-1を、平成６年８月９日付で工業技術院生命工学工業技術研究所に寄託し（寄託番号 FERM P-14464）、さらに平成６年１０月２７日付で原寄託から国際寄託に移管した（FERM BP-4852）。
【００３６】
（実施例17）アポトーシス抑制活性の評価−２
実施例15で得られた抗体F897-1-2のアポトーシス抑制活性を、以下に述べる実施例18（３）の方法で作製した形質転換体COS-1 /pEX-hFL1 の培養上清およびヒト Fas抗原を発現する形質転換体 WC8細胞を使用して、実施例８および12の方法に準じて確認した。
まず、106 個のWC8 細胞を20μCiの［51Cr］クロム酸ナトリウム（NEN社）および10％の非働化ウシ血清を含有するRPMI1640培地中で37℃で２時間培養し、51Crで標識した。
次に、96ウェルＵ底プレート（コーニング(CORNING) 社）の各ウェルに、COS-1 /pEX-hFL1 の培養上清を終濃度が３％になるように６μｌ、10％のFCS を含有するRPMI1640を74μｌずつ添加した。さらに、実施例15で得られた抗体F897-1-2を、0.1 ％のBSA を含有するPBS - で300 μg/mlになるように調整し、終濃度が30μg/mlとなるように各ウェルに20μｌずつ添加した。37℃で30分間インキュベートした後、51Crで標識した WC8細胞を１×104個/100μｌ/ ウェルとなるよう各ウェルに添加し、37℃で４時間培養した。培養後、51Crの遊離を指標に細胞障害活性を測定した。
結果を図32に示した。図32より明らかなように、COS-1 /pEX-hFL1 の培養上清中に存在する Fasリガンドによる WC8細胞のアポトーシスは、F897-1-2抗体により抑制された。
なお、モノクローナル抗体であるF897-1-2抗体を産生するハイブリドーマF897-1-2を、工業技術院生命工学工業技術研究所に、平成６年９月１日付けで寄託し（寄託番号 FERM P-14497）、さらに平成６年１０月２７日付で原寄託から国際寄託に移管した（FERM BP-4853） 。
【００３７】
（実施例18）ヒト Fasリガンドの細胞外領域の発現
（１）プラスミドｐＭ1067の作製
まず、センスプライマー７(CACCTGCAGAAGGAGCTGGCAGAA)およびアンチセンスプライマー７(AATAAGCTTGGTACCCTATTAGAGCTTATATAA) を化学合成機にて合成した（配列表の配列番号56および57）。このセンスプライマーはヒト Fasリガンド細胞外領域、すなわち前記式３のアミノ酸配列のＮ末端側に位置するアミノ酸配列をコードする塩基配列とPstIサイト（CTGCAG）を含んでいる。また、アンチセンスプライマーは、 TAA終止コドンを含む領域とHindIII サイト（AAGCTT）、KpnIサイト（GGTACC）を含んでいる。
得られたセンスプライマーおよびアンチセンスプライマーをそれぞれ100pmol 、実施例12（１）で得たプラスミドpBX-hFL1を50ng、dATP、dCTP、dGTP、dTTPをそれぞれ20nmol、2.5 ユニットのpfu ポリメラーゼおよび添付のpfu バッファー（共にストラタジーン社）10μｌを含む100 μｌの溶液を調整した。DNA サーマルサイクラー（PCR システム9600，パーキンエルマー社）を使用して；94℃で30秒；55℃で30秒；72℃で１分を１サイクルとするPCR を30サイクル行った。得られたPCR 産物をPstI、HindIII で二重消化し、pUC118のPstI、HindIII サイトに組み込み、得られたプラスミドをpM1067と命名した。
（２）プラスミドpM1070の作製
センスプライマー８(TGCGAATTCACCATGCTGGGCATCTGG)およびアンチセンスプライマー８(AACCTGCAGGTGGAAGAGCTGAGCAACAGACGTAAG)を化学合成機にて合成した（配列表の配列番号58および59）。このセンスプライマー８はヒト Fas抗原シグナルペプチドをコードする配列の5'末端領域とEcoRI サイト(GAATTC)を含んでいる。一方、アンチセンスプライマー８はヒト Fas抗原シグナルペプチドをコードする配列の3'末端領域とヒト Fasリガンド細胞外領域のＮ末端側をコードする塩基配列およびPstIサイトを含んでいる。
得られたセンスプライマー８、アンチセンスプライマー８をそれぞれ100pmol 、実施例１（３）で使用したプラスミドpBLF58-1を50ng、dATP、dCTP、dGTP、dTTPをそれぞれ20nmol、2.5 ユニットのpfu ポリメラーゼおよび添付のpfu バッファー（共にストラタジーン社）10μｌを含む 100μｌの溶液を調整し、（１）と同様にPCR を行った。
得られたPCR 産物をEcoRI 、PstIで二重消化し、（１）で得たプラスミドpM1067のEcoRI 、PstIサイト間に組み込み、pM1250を得た。さらに、これをEcoRI 、KpnIで二重消化し、アガロースゲル電気泳動に供した。約600bp の断片を回収し、キアエックス(QIAEXTM）キット（キアジエン（QIAGEN）社）を使用して、DNA を精製した。実施例14（２）で使用したpEF-BOS にDHFR遺伝子を組換えたプラスミドpM1103を準備し、そのクローニングサイトのEcoRI 、KpnIサイト間に、上述の約600bp のDNA 断片を組み込み、得られたプラスミドをpM1070と命名した。
（３）COS細胞への導入
pM1070および実施例12（１）で作製したpEX-hFL1を各々COS-1 細胞へ導入し、形質転換体COS-1/pM1070およびCOS-1/pEX-hFL1を作製した。すわなち、8.1 μg のpM1070あるいはpEX-hFL1を40μｌの 10mM Tris-HCl(pH7.4)/１mMエチレンジアミン四酢酸（以下、TEバッファーと記す）溶液に溶解した。これらに、それぞれ、0.2mg/ml  DEAE−デキストランおよび50mM Tris-HCl(pH7.4)を含有するD-MEM （日水製薬（株））11.3mlを添加し、DNA-DEAEデキストラン混合液を作製した。
150cm2のルーフラスコ内でセミコンフルエントまで単層培養したCOS-1 細胞にDNA-DEAEデキストラン混合液を滴下し、５％CO2存在下で、37℃にて培養し、形質転換体COS-1/pM1070およびCOS-1/pEX-hFL1を得た。４時間後、DNA-DEAEデキストラン混合液を除去し、10％FC（アーバンサイエンティフィック社）を含有するD-MEM に交換し、さらに48〜96時間培養した。COS-1/pM1070およびCOS-1/pEX-hFL1の培養上清を回収し、以下の（４）および（５）で使用した。
（４）細胞障害活性の確認
（３）で得た培養上清の細胞障害活性を、WC8細胞あるいはW4細胞をターゲット細胞として、実施例８および実施例12と同様に測定した。すなわち、106 個のWC8細胞あるいはW4細胞を、20μCiの［51Cr］クロム酸ナトリウム（NEN 社）を含むRPMI1640培地を用いて37℃で２時間培養し、51Crで標識した。
51Crで標識した細胞を１×104 個含む反応液中に、（３）で得た細胞培養上清を終濃度３％あるいは10％となるように添加し、37℃で４時間培養後、51Crの遊離を指標に細胞障害活性を測定した。結果を図33および34に示した。図から明らかなように、COS-1/pM1070およびCOS-1/pEX-hFL1の培養上清は、 WC8細胞あるいはW4細胞に対して濃度依存的に細胞障害活性を示した。図中、Mockは、コントロール（対照）を示す。
以上の結果より、これらの培養上清中には、Fas抗原と結合してアポトーシスを誘導する活性を有する Fasリガンドが含まれていることが確認された。
（５）形質転換体COS-1/pM1070およびCOS-1/pEX-hFL1の培養上清を使用したウエスタンブロッティング
ヒト Fasリガンドのアミノ酸配列の一部（ＰＳＰＰＰＥＫＫＥＬＲＫＶＡＨ、配列表の配列番号60）を認識するウサギ抗血清を公知方法に従って作製し、以下の方法でウエスタンブロッティングを行った。
まず、（３）で得た形質転換体COS-1/pM1070およびCOS-1/pEX-hFL1の培養上清10μｌをそれぞれ蒸留水５μｌとを混合した。これらに、４％SDS 、80％グリセロール、0.04％BPB を含む蒸留水５μｌもしくは４％SDS 、80％グリセロール、８％DTT 、0.04％BPB を含む蒸留水５μｌを加え、それぞれ37℃で１時間処理した後、SDS-PAGE（５−20％グラジエントゲル）を行った。泳動終了後、PVDF膜（アトー社）に室温にて200mA 、60分の条件で転写した。スキムミルク（雪印乳業（株））を使用して４℃、一夜反応させ、ブロッキングを行ったのち、メンブレンをPBS で１回（室温で15分インキュベート）、0.1 ％Tween 20/PBSで２回（室温で５分インキュベート）洗浄した。
上述のウサギ抗血清を0.5% BSA/0.1% Tween 20/PBSで1,000 倍に希釈し、37℃で１時間反応させた。反応終了後、0.1% Tween 20/PBS で２回洗浄した。洗浄後、さらに、0.5% BSA/0.1% Tween 20/PBSで1,000 倍に希釈したペルオキシダーゼ標識抗ウサギイムノグロブリンズ抗体（Cat.No. P448、ダコ社）溶液に浸し、室温で１時間反応させた。メンブレンを0.1 ％Tween 20/PBSで５回洗浄し、表面の水を切り、ECL システム（アマーシャム社）で検出した。
その結果、COS-1/pM1070の培養上清では、還元条件下で29kD付近に、非還元条件下で26kD付近に、それぞれバンドが認められた。
一方、COS-1/pEX-hFL1の培養上清では、還元条件下で26kD付近に、非還元条件下で24kD付近にそれぞれバンドが検出された。
非還元条件下でのウェスタンブロットの結果をそれぞれ図35および36に示した。図中、Mockは、図33および34と同じである。
【００３８】
（実施例19）アンチセンスオリゴヌクレオチドによる Fasリガンドの発現抑制
（１）アンチセンスオリゴヌクレオチドの合成
配列表の配列番号31の20番目から41番目の塩基配列(TAAAACCGTTTGCTGGGGCTGG)をもつ22塩基よりなるフォスフォロチオエート型センスオリゴヌクレオチド（以下、センスオリゴヌクレオチドＳ20と呼ぶ）およびそれに相補的な塩基配列（CCAGCCCCAGCAAACGGTTTTA）をもつフォスフォロチオエート型アンチセンスオリゴヌクレオチド（以下、アンチセンスオリゴヌクレオチドＡ41と呼ぶ）を公知方法にて合成した（配列表の配列番号61および62）。得られた合成オリゴヌクレオチドを１mMとなるようにTEバッファーに溶解した。
（２）アンチセンスオリゴヌクレオチドの細胞への導入
ヒト Fasリガンドを発現する形質転換体FLh1細胞（実施例16参照）を10％の非働化FCS を含むRPMI1640培地に懸濁し、2.0×104個/196μｌ/ウェルとなるように96ウェルプレート（ヌンク社）の各ウェルに添加した。（１）で得た１mMのアンチセンスオリゴヌクレオチドＡ41を、終濃度20μＭとなるように４μｌずつ各ウェルに添加し、５％CO2 存在下で３日間培養し、細胞にオリゴヌクレオチドを導入した。同様に、１mMのセンスオリゴヌクレオチドＳ20あるいはTEバッファーをそれぞれ４μｌずつ各ウェルに添加し、５％CO2 存在下で３日間培養し、コントロールとした。
（３）細胞障害活性の測定
（２）で３日間培養したFLh1細胞をエフェクター細胞とし、ヒト Fas抗原を発現する形質転換体 WC8に対する細胞障害活性を測定した。
細胞障害活性の測定は、実施例８および12で用いた方法に従い行った。
すなわち、106 個の WC8細胞を20μCiの［51Cr］クロム酸ナトリウム（NEN 社製）を含むRPMI1640培地を用いて37℃で２時間培養し、51Crで標識した細胞（１×104 ）を上記エフェクター細胞とE/T比３対１の割合で混合した。37℃で５時間培養後、51Crの遊離を指標に細胞障害活性を測定した。
その結果、アンチセンスオリゴヌクレオチドＡ41を導入したFLh1細胞では WC8細胞に対するアポトーシス誘導活性が抑制された（図37）。
【００３９】
（実施例20）アンチセンスオリゴヌクレオチドによる Fasリガンドの発現抑制−２
（１）アンチセンスオリゴヌクレオチドの合成
配列表の配列番号31のヒト FasリガンドをコードするDNA 配列を参考に、フォスフォロチオエート型のセンスオリゴヌクレオチド、Ｓ50、S163、S338、S484、S714、S905、およびフォスフォロチオエート型のアンチセンスオリゴヌクレオチドＡ69、A184、A355、A505、A733、A924を公知方法にて合成した（配列表の配列番号63〜74）。
このうち、センスオリゴヌクレオチドＳ50およびアンチセンスオリゴヌクレオチドＡ69は、それぞれ、配列番号31の50番目から69番目の塩基配列（ACCAGCTGCCATGCAGCAGC）およびその相補的な配列（GCTGCTGCATGGCAGCTGGT）をもつ20塩基よりなるオリゴヌクレオチドである。
センスオリゴヌクレオチドS163およびアンチセンスオリゴヌクレオチドA184は、それぞれ、配列番号31の163 番目から184 番目の塩基配列（CTGTGCCCAGAAGGCCTGGTCA）およびそれに相補的な塩基配列（TGACCAGGCCTTCTGGGCACAG）をもつ22塩基からなるオリゴヌクレオチドである。
センスオリゴヌクレオチドＳ338 およびアンチセンスオリゴヌクレオチドA355は、それぞれ、配列番号31の338 番目から355 番目の塩基配列（CTTGGTAGGATTGGGCCT）およびそれに相補的な塩基配列（AGGCCCAATCCTACCAAG）をもつ18塩基からなるオリゴヌクレオチドである。
センスオリゴヌクレオチドS484およびアンチセンスオリゴヌクレオチドA505は、配列番号31の484 番目から505 番目の塩基配列（AGCTGAGGAAAGTGGCCCATTT）およびそれに相補的な塩基配列（AAATGGGCCACTTTCCTCAGCT）をもつ22塩基からなるオリゴヌクレオチドである。
センスオリゴヌクレオチドS714およびアンチセンスオリゴヌクレオチドA733は、それぞれ配列番号31の714 番目から733 番目の塩基配列（CCCCAGGATCTGGTGATGAT）およびそれに相補的な塩基配列（ATCATCACCAGATCCTGGGG）をもつ20塩基からなるオリゴヌクレオチドである。
センスオリゴヌクレオチドＳ905 およびアンチセンスオリゴヌクレオチドA924はそれぞれ、配列番号31の905 番目から924 番目の塩基配列（AGAGAAGCACTTTGGGATTC）およびそれに相補的な塩基配列（GAATCCCAAAGTGCTTCTCT）をもつ20塩基からなるオリゴヌクレオチドである。
得られた上記の合成オリゴヌクレオチドを、それぞれ１mM濃度となるようにTEバッファーに溶解した。
（２）アンチセンスオリゴヌクレオチドの細胞への導入
まず、ヒト FasリガンドをコードするcDNAを含むプラスミドpEX-hFL1（実施例12（２）参照）でマウス線維芽細胞様細胞株L929を形質転換した。そのうちの１クローンLFLh3 細胞を10％のFCS を含むD-MEM に懸濁し、3.0×105個/2.0ml/ウェルとなるように６ウェルプレート（ヌンク社）に植え込み、５％CO2 存在下、37℃にて一夜培養した。
翌日、（１）で合成したオリゴヌクレオチドを終濃度１μＭとなるようにリポフェクトアミン（ギブコBRL社）40μg を含有するオプティ−MEMI（OPTI-MEMTMＩ、ギブコ BRL社）1,000 μｌに懸濁し、オリゴヌクレオチド−リポフェクトアミン混合液を作製した。５％CO2 存在下、37℃にて一夜培養し、培地を除去したLFLh3 細胞に上述のオリゴヌクレオチド−リポフェクトアミン混合液を添加した。５％CO2 存在下、37℃にて４時間培養後、20％非働化FCS 及び１μＭオリゴヌクレオチドを含有するD-MEM を1,000 μｌ添加し、さらに16時間培養することにより、LFLh3 細胞に（１）で合成したオリゴヌクレオチドを導入した。
（３）細胞障害活性の測定
（２）でオリゴヌクレオチドを導入したLFLh3 細胞を回収し、トリプシン溶液で３分間処理した後、細胞障害活性測定用のエフェクター細胞として用いた。
細胞障害活性の測定は、実施例８および12で用いた方法に従い行った。
すなわち、106 個のWC8 細胞を20μCiの［51Cr］クロム酸ナトリウム（NEN 社）を含むRPMI1640培地を用いて37℃で２時間培養し、51Crで標識した細胞（１×104 ）を上記エフェクター細胞とＥ／Ｔ比１対１の割合で混合した。37℃で４時間培養後、51Crの遊離を指標に細胞障害活性を測定した。
その結果、上述のアンチセンスオリゴヌクレオチド、Ａ69，A184，A355，A505，A733，A924を導入したLFLh3 細胞ではWC8 細胞に対するアポトーシス誘導活性が抑制された。これらのアンチセンスオリゴヌクレオチドの特異的細胞溶解抑制率を以下の式より計算し、図38に示した。
ＳＣＬＩ（％）＝（１−（ＳＣＬAON-LFLh／ＳＣＬSON-LFLh））×１００
ＳＣＬＩ：特異的細胞溶解抑制率
ＳＣＬAON-LFLh：アンチセンスオリゴヌクレオチドを導入したLFLh3 細胞の                  特異的細胞溶解率
ＳＣＬSON-LFLh：センスオリゴヌクレオチドを導入したLFLh3 細胞の特異的                  細胞溶解率
【００４０】
（実施例21）ヒト Fasリガンドの細胞外領域の欠失変異体の動物細胞を宿主とする発現
ヒト Fasリガンドの細胞外領域の欠失変異体であるポリペプチドND38、ND40、ND41、ND42、ND43およびCD179 を以下の方法で発現させた。なお、ND38、ND40、ND41、ND42、ND43は、前記式３（配列表の配列番号３）に記載のアミノ酸配列のＮ末端から、それぞれ38アミノ酸、40アミノ酸、41アミノ酸、42アミノ酸、43アミノ酸が欠失したアミノ酸配列を有するポリペプチドである（すなわち、ND38は配列番号３のアミノ酸番号39から179 までのアミノ酸配列を、ND40は配列番号３のアミノ酸番号41から179 までのアミノ酸配列を、ND41は配列番号３のアミノ酸番号42から179 までのアミノ酸配列を、ND42は配列番号３のアミノ酸番号43から179 までのアミノ酸配列を、ND43は配列番号３のアミノ酸番号44から179 までのアミノ酸配列を有するポリペプチドである。配列表の配列番号76〜80）。
また、ポリペプチドCD179 は前記式３（配列表の配列番号３）に記載のアミノ酸配列のＣ末端から１アミノ酸が欠失したアミノ酸配列、すなわちアミノ酸番号１から178 までのアミノ酸配列を有するポリペプチドである（配列表の配列番号81）。
（１）プラスミドpM1081の作製
ヒト Fas抗原シグナルペプチドとヒト Fasリガンド細胞外領域をコードする塩基配列であって、サイレントミューテーションにより、ヒト Fas抗原シグナルペプチドをコードする塩基配列中にSpeI、PshAI 認識配列が導入され、ヒト Fasリガンドをコードする塩基配列中にPstI認識配列が導入された塩基配列を有するプラスミドpM1081を以下の方法で作製した。
まず、アンチセンスプライマー９(CTTCTGCAGGTGGAAGAGCTGAGCGACACTAGTCAGAACCAGAGG) を合成した（配列表の配列番号82）。このアンチセンスプライマー９は、ヒト Fasリガンド細胞外領域のＮ末端側とヒト Fas抗原シグナルペプチドのＣ末端側をコードする塩基配列およびPstIサイト(CTGCAG)、SpeIサイト(ACTAGT)、PshAI サイト(GACTAGTGTC)を含んでいる。
得られたアンチセンスプライマー９と、実施例18（２）で使用したセンスプライマー８（TGCGAATTCACCATGCTGGGCATCTGG 、このセンスプライマー８はEcoRI サイト（GAATTC）およびヒト Fas抗原シグナルペプチドのＮ末端をコードする配列を含んでいる。）とを、それぞれ100pmol 、実施例１（３）で使用したプラスミドpBLF58-1を50ng、pfu DNA ポリメラーゼを2.5 Ｕ、添付のpfu バッファーを10μｌ含む100 μｌの溶液を調製した。
実施例18（１）と同様にPCR を行い、PCR 産物をEcoRI およびPstIで二重消化し、アガロースゲル電気泳動に供した。約70bpのDNA 断片を回収し、キアエックスキットを用いてDNA を精製した。実施例18（１）で作製したプラスミドpM1067のEcoRI サイトおよびPstIサイト間に、上述の約70bpのDNA 断片を挿入した。
得られたプラスミドの塩基配列を確認したところ、EcoRI サイトとSpeIサイトとの間に16塩基の欠損があった。そこで、目的とするEcoRI サイトからSpeIサイトまでの配列を構築するためにセンスプライマー９(AATTCACCATGCTGGGCATCTGGACCCTCCTACCTCTGGTTCTGA）、アンチセンスプライマー10(CTAGTCAGAACCAGAGGTAGGAGGGTCCAGATGCCCAGCATGGTG) を合成し、それぞれを１nmolずつ含む20μｌのTE溶液を調整した（配列表の配列番号83および84）。このTE溶液を95℃で５分加熱後、16℃まで徐冷することにより、これらのオリゴヌクレオチドをアニーリングし、二本鎖DNA の両端にそれぞれEcoRI 切断配列とSpeI切断配列を持つDNA 断片を得た。これを上述の16塩基欠損したプラスミドのEcoRI サイトとSpeIサイト間に挿入し、pM1081を得た。
（２）ポリペプチドND38をコードする塩基配列を有するプラスミドpM1253の作製
まず、センスプライマー11(CTGACTAGTGTCGCTAAGGAGCTGAGGAAA)を合成した。これは、ヒト Fas抗原シグナルペプチドをコードする塩基配列に加えて、配列表の配列番号３の39番目のリジンから４３番目のリジンまでのアミノ酸配列をコードする塩基配列を有し、配列中にSpeIサイト(ACTAGT)を含んでいる（配列表の配列番号85）。一方、アンチセンスプライマー11として、配列番号15のApaIサイト(GGGCCC)より下流3'側に位置する塩基配列をもとに(TAAGCCGAAAAACGTCTGAG)を化学合成した（配列表の配列番号86）。
得られたセンスプライマー11とアンチセンスプライマー11をそれぞれ100pmol 、実施例12（１）で作製したプラスミドpEX-hFL1を50ng、pfu DNA ポリメラーゼを2.5 Ｕ、添付のpfu バッファーを10μｌ含む100 μｌの溶液を調製し、実施例18（１）と同様にPCR を行った。このPCR 産物をSpeIおよびApaIで二重消化し、アガロースゲル電気泳動に供した。約400bp のDNA 断片を回収し、キアエックスキットを用いてDNA を精製した。（１）で作製したプラスミドpM1081のSpeIサイトとApaIサイトとの間に上述の約400bp のDNA 断片を挿入しプラスミドpM1253を得た。
（３）ポリペプチドND40をコードする塩基配列を有するプラスミドpM1254の作製
まず、センスプライマー12(CTGACTAGTGTCGCTCTGAGGAAAGTGGCC)を合成した。これは、ヒト Fas抗原シグナルペプチドをコードする塩基配列に加えて、配列表の配列番号３の41番目のロイシンから45番目のアラニンまでのアミノ酸配列をコードする塩基配列を有し、配列中にSpeIサイト(ACTAGT)を含んでいる（配列表の配列番号87）。
このセンスプライマー12およびアンチセンスプライマー11を用いて（２）と同様にPCR を行い、得られたPCR 産物をプラスミドpM1081に挿入して、プラスミドpM1254を得た。
（４）ポリペプチドND41をコードする塩基配列を有するプラスミドpM1255の作製
まず、センスプライマー13(CTGACTAGTGTCGCTAGGAAAGTGGCCCAT)を合成した。これは、ヒト Fas抗原シグナルペプチドをコードする塩基配列に加えて、配列表の配列番号３の42番目のアルギニンから46番目のヒスチジンまでのアミノ酸配列をコードする塩基配列を有し、配列中にSpeIサイト(ACTAGT)を含んでいる（配列表の配列番号88）。
このセンスプライマー13およびアンチセンスプライマー11を用いて（２）と同様にPCR を行い、得られたPCR 産物をプラスミドpM1081に挿入して、プラスミドpM1255を得た。
（５）ポリペプチドND42をコードする塩基配列を有するプラスミドpM1256の作製
まず、センスプライマー14(CTGACTAGTGTCGCTAAAGTGGCCCATTTA)を合成した。これは、ヒト Fas抗原シグナルペプチドをコードする塩基配列に加えて、配列表の配列番号３の43番目のリジンから47番目のロイシンまでのアミノ酸配列をコードする塩基配列を有し、配列中にSpeIサイト(ACTAGT)を含んでいる（配列表の配列番号89）。
このセンスプライマー14およびアンチセンスプライマー11を用いて（２）と同様にPCR を行い、得られたPCR 産物をプラスミドpM1081に挿入して、プラスミドpM1256を得た。
（６）ポリペプチドND43をコードする塩基配列を有するプラスミドpM1257の作製
まず、センスプライマー15(CTGACTAGTGTCGCTGTGGCCCATTTAACA)を合成した。これは、ヒト Fas抗原シグナルペプチドをコードする塩基配列に加えて、配列番号３の44番目のバリンから48番目のスレオニンまでのアミノ酸配列をコードする塩基配列を有し、配列中にSpeIサイト(ACTAGT)を含んでいる（配列表の配列番号90）。
このセンスプライマー15およびアンチセンスプライマー11を用いて（２）と同様にPCR を行い、得られたPCR 産物をプラスミドpM1081に挿入して、プラスミドpM1257を得た。
（７）ポリペプチドCD179 をコードする塩基配列を有するプラスミドpM1259の作製
アンチセンスプライマー16(CTTGGTACCCTATTACTTATATAAGCC) およびセンスプライマー16(GAGCTACTGCACTACTGGGC)を合成した。アンチセンスプライマー16は、配列表の配列番号３の175 番目のグリシンから178 番目のリジンまでのアミノ酸配列をコードする塩基配列と終止コドン(TAA、TAG)、KpnIサイト(GGTACC)を含む。センスプライマー16は、配列番号15のヒト Fasリガンド細胞外領域DNA 配列中のApaIサイト(GGGCCC)より上流5'側に位置する配列である（配列表の配列番号91および92）。
得られたセンスプライマー16とアンチセンスプライマー16それぞれ100pmol 、実施例12（１）で作製したプラスミドpEX-hFL1を50ng、pfu DNA ポリメラーゼを2.5 Ｕ、添付のpfu バッファーを10μｌ含む100 μｌの溶液を調製し、実施例18（１）と同様にPCR を行った。
このPCR 産物をApaIとKpnIとで二重消化し、アガロースゲル電気泳動に供した。約170bp のDNA 断片を回収し、キアエックスキットを用いてDNA を精製した。実施例18（２）で作製したpM1250のApaIサイトとKpnIサイトとの間に上述の約170bp のDNA 断片を挿入した。得られたプラスミドをpM1259と命名した。
（８）動物細胞用発現プラスミドpM1083，pM1084，pM1085，pM1086，pM1087，pM1089の作製
上記（２）ないし（７）で得た、プラスミドpM1253，pM1254，pM1255，pM1256，pM1257，およびpM1259をそれぞれEcoRI とKpnIで二重消化し、アガロースゲル電気泳動に供した。
約 450bp（ただし、pM1259の消化物の場合は約600bp)のDNA 断片を回収し、キアエックスキットを用いてDNA を精製した。実施例18（２）で使用した動物細胞を宿主に用いた発現用のプラスミドpM1103のEcoRI サイトとKpnIサイトとの間に、上述の約450 あるいは約600bp のDNA 断片を挿入した。
得られたプラスミドをそれぞれpM1083(ND38)，pM1084(ND40)，pM1085(ND41)，pM1086(ND42)，pM1087(ND43)，およびpM1089(CD179) と命名した。
（９）COS 細胞への導入
実施例18（２）で作製したpM1070並びに（８）で作製したpM1083，pM1084，pM1085，pM1086，pM1087，およびpM1089を実施例18（３）と同様にCOS-1 細胞へ導入し、形質転換体COS-1/pM1070, COS-1/pM1083，COS-1/pM1084，COS-1/pM1085, COS-1/pM1086，COS-1/pM1087，およびCOS-1/pM1089を作製した。
すなわち、0.5 μg のpM1070、pM1083，pM1084，pM1085，pM1086，pM1087，およびpM1089を、各々別個に 2.5μｌの10mM Tris-HCl(pH7.4)/1mM EDTA 溶液に溶解した。これらに、それぞれ、0.2mg/mlのDEAE−デキストランおよび50mM Tris-HCl(pH８）を含有するD-MEM （日水製薬（株））0.7ml を添加し、DNA-DEAEデキストラン混合液を作製した。６ウェルプレート（9.4cm2/ ウェル、ヌンク社）でセミコンフルエントまで単層培養したCOS-1 細胞に上述のDNA-DEAEデキストラン混合液を滴下し、５％CO2 存在下、37℃にて培養し、形質転換体COS-1/pM1070，COS-1/pM1083，COS-1/pM1084，COS-1/pM1085，COS-1/pM1086，COS-1/pM1087，およびCOS-1/pM1089を得た。
DNA-DEAEデキストラン混合液を滴下してから４時間後に、DNA −DEAEデキストラン混合液を除去し、10％FCS （アーバンサイエンティフィック社）を含有するD-MEM に交換し、さらに96時間培養した。COS-1/pM1070, COS-1/pM1083，COS-1/pM1084，COS-1/pM1085，COS-1/pM1086，COS-1/pM1087，およびCOS-1/pM1089の培養上清を回収し、以下の実験に供した。
（10）プラスミド導入COS 細胞の培養上清の細胞障害活性の確認
（９）で得た各プラスミド導入COS 細胞の培養上清の細胞障害活性を、WC8 細胞を標的細胞として、実施例８および実施例12と同様に測定した。すなわち、106個のWC8 細胞を、20μCiの［51Cr］クロム酸ナトリウム（NEN 社）を含むRPMI1640培地を用いて37℃で２時間培養し、51Crで標識した。
51Crで標識した細胞を１×104 個含む反応液中に、（９）で得た細胞培養上清を終濃度１％、３％、10％、30％となるように添加し、37℃で４時間培養後、51Crの遊離を指標に細胞障害活性を測定した。
結果を図39に示した。図39から明らかなように、COS-1/pM1070と同様に、COS-1/pM1083，COS-1/pM1084およびCOS-1/pM1085，およびCOS-1/pM1086の培養上清は、WC8 細胞に対して濃度依存的に細胞障害活性を示した。したがって、これらの培養上清中に含まれるヒト Fasリガンドの欠失変異体は、ヒト Fas抗原と結合してアポトーシスを誘導する活性を有すると考えられた。一方、COS-1/pM1087およびCOS-1/pM1089の培養上清では、COS-1/pM1070の培養上清に比べ、WC8 細胞に対する顕著な細胞障害活性が認められなかった。したがって、これらの培養上清中に含まれるヒト Fasリガンドの欠失変異体は、アポトーシスを誘導する活性を持たないかもしくは極めて弱い活性しか有していないと考えられた。
このようなアポトーシスを誘導活性の失活の原因は、FasリガンドのＮ末端あるいはＣ末端のアミノ酸を欠失したことで、 Fasリガンドの立体構造が維持できなくなったためと考えられた。逆に、アポトーシス誘導活性を失うほどＮ末端もしくはＣ末端のアミノ酸が欠失したアミノ酸配列を有するポリペプチドのＮ末端もしくはＣ末端に、立体構造を維持できるようなアミノ酸配列を付加した場合には、それが本来の欠失したアミノ酸配列と異なる場合であっても、アポトーシス誘導活性が再び現れると推測される。また同様に、このような欠失変異体に立体構造を維持できるように、アミノ酸置換を施すことによっても、アポトーシス誘導活性を付与することが可能であることが推測される。
【００４１】
（実施例22）ヒトFasリガンドの細胞外領域およびそのＮ末端欠失変異体の大腸菌を宿主とする発現
（１）プラスミドpM468 の作製
プラスミドpM468 は、プラスミドpBR322の誘導体であり、大腸菌内にて複製する機能、アンピシリン耐性遺伝子、トリプトファンプロモーター、アルカリフォスファターゼ（phoA）のシグナルペプチドおよびヒト膵分泌性トリプシンインヒビターをコードするDNA を有するプラスミドとして構築されたプラスミドであり、pM469 （モリシタ H.(Morishita H.) 等、Thrombosis Research, 73 巻、 193−204 頁、1994年）のカナマイシン耐性遺伝子をアンピシリン耐性遺伝子に置換して得た。
（２）プラスミドpM1059の作製
（１）で得られたプラスミドpM468 をHindIII 、BamHI で二重消化し、0.8 ％アガロースゲル（シーケムGTG(SeakeM GTG) 、宝酒造社）で分離し、目的とするDNA 断片を含むゲルを切り出した。キアエックスキットを用いて、約3.3 ｋbpのDNA 断片を精製した。
また、BstEII、KpnI、BamHI サイトを有するように設計したアンチセンスプライマー17(CGCGGATCCGGTACCTTTTTTGGTAACCGGGGTAAACAG) とトリプロファンプロモーターのHindIII サイト上流5'側に位置するセンスプライマー17(CGCAAGTTCACGTAAAAAGC)を化学合成した( 配列表の配列番号93および94) 。アンチセンスプライマー17はBamHI サイト(GGATCC)、KpnIサイト(GGTACC)、BstEIIサイト(GGTTACC) 、およびアルカリフォスファターゼのシグナルペプチドのＣ末端側を含んでいる。これらのプライマーを用いてプラスミドpM468 を鋳型にしてPCR を行なった。
すなわち、上述のPCR 用の鋳型DNA を含む溶液 100μｌ中に上記のプライマーを添加し、ジーンアンプキット（Gene AmpTM DNA Amplification Reagent Kit with AmpliTaqTM、宝酒造社）を用いて、94℃で１分間、55℃で２分間、72℃で３分間を１サイクルとして、30サイクルのPCR を行なった。
得られたPCR 産物をHindIII とBamHI で二重消化し４％アガロースゲル電気泳動で分離して約120bp のDNA 断片を回収し、DNA を精製した。このDNA 断片を上述したプラスミドpM468 由来の約3.3kbpのDNA 断片とT4 DNAリガーゼ（宝酒造社）を用いてライゲーションし、大腸菌JM109 を形質転換することにより、プラスミドpM1059を得た。
（３）ヒト Fasリガンドの細胞外領域の大腸菌を宿主とする発現プラスミドpM1068の作製
センスプライマー18(TTGAAGCTTAAAAAAGGGTATAAAATAAAATGCAGCTCTTCCACCT)、アンチセンスプライマー18(AAGGTCGACTATTAGAGCTTATATAAGCC) を化学合成機にて合成した（配列表の配列番号95および96）。センスプライマー18は、大腸菌トリプトファンプロモーター／オペレーターの一部をコードする塩基配列、開始コドン（ATG)、配列表の配列番号３のヒト Fasリガンド細胞外領域のうちのＮ末端部分をコードする塩基配列、HindIII サイト(AAGCTT)を含む。アンチセンスプライマー18は配列表の配列番号３のヒト Fasリガンド細胞外領域のＣ末端部分をコードする塩基配列、終止コドン(TAA, TAG)およびSalIサイト(GTCGAC)を含む。
得られたプライマーをそれぞれ100pmol 、実施例12（１）で得たプラスミドpBX-hFL1を50ng、dATP、dCTP、dGTP、dTTPをそれぞれ20nmol、2.5 ユニットのpfu DNA ポリメラーゼと添付のpfu バッファー10μｌとを含む100 μｌの溶液を調製し、実施例18（１）と同様にPCR を行った。得られたPCR 産物をHindIII とSalIで二重消化し、アガロースゲル電気泳動に供した。
約600bp のDNA 断片を回収し、キアエックスキットを用いてDNA を精製した。（１）で得たプラスミドpM468 のHindIII サイト、SalIサイト間に上述の約600 bpのDNA 断片を挿入し、pM1068を得た。
（４）ヒト Fasリガンドの細胞外領域の大腸菌を宿主とする分泌発現プラスミドpM1069の作製
センスプライマー19(GGGGGTTACCAAAGCCCAGCTCTTCCACCT)を合成した（配列表の配列番号97）。このセンスプライマーはアルカリフォスファターゼシグナルペプチドの一部をコードする塩基配列、配列表の配列番号３のヒト Fasリガンド細胞外領域のＮ末端部分をコードする塩基配列、BstEIIサイト(GGTTACC) を含む。
得られたセンスプライマー19と（３）で用いたアンチセンスプライマー18(AAGGTCGACTATTAGAGCTTATATAAGCC) をそれぞれ100pmol 、実施例12（１）で得たプラスミドpBX-hFL1を50ng、dATP、dCTP、dGTP、dTTPをそれぞれ20nmol、2.5 ユニットのpfu DNA ポリメラーゼと添付のpfu バッファー10μｌとを含む100 μｌの溶液を調製し、実施例18（１）と同様にPCR を行った。
得られたPCR 産物をBstEIIとSalIで二重消化し、アガロースゲル電気泳動に供した。約600 bpのDNA 断片を回収し、キアエックスキットを用いてDNA を精製した。（２）で得たプラスミドpM1059のBstEIIサイトとSalIサイトとの間に挿入し、pM1069を得た。
（５）ヒト Fasリガンドの細胞外領域のＮ末端38アミノ酸残基を欠損するペプチドの大腸菌を宿主とする分泌発現プラスミドpM1073の作製
センスプライマー20(CCCGGTTACCAAAGCCAAGGAGCTG) 、アンチセンスプライマー20(TAAGCCGAAAAACGTCTGAG)を化学合成した（配列表の配列番号98および99）。センスプライマー20はアルカリフォスファターゼシグナルペプチドの一部をコードする塩基配列、配列表の配列番号３のヒト Fasリガンド細胞外領域のうち、Ｎ末端アミノ酸38残基を欠損するペプチド（ND38）のＮ末端をコードする塩基配列、BstEIIサイト(GGTTACC）を含む。アンチセンスプライマー20は、配列表の配列番号15のヒト Fasリガンド細胞外領域DNA 配列中のApaIサイト（GGGCCC）より下流3'側に位置する塩基配列である。
得られたプライマーをそれぞれ100pmol 、実施例12（１）で得たプラスミドpBX-hFL1を50ng、dATP、dCTP、dGTP、dTTPをそれぞれ20nmol、2.5 ユニットのpfu DNA ポリメラーゼと添付のpfu バッファー10μｌとを含む 100μｌの溶液を調製し、実施例18（１）と同様にPCR を行った。得られたPCR 産物をBstEIIとApaIで二重消化し、アガロースゲル電気泳動に供した。約300 bpのDNA 断片を回収し、キアエックスキットを用いてDNA を精製した。（４）で得たプラスミドpM1069のBstEIIサイト、ApaIサイト間に上述の約300 bpのDNA 断片を挿入し、pM1073を得た。
（６）形質転換体の作製およびヒト Fasリガンドの発現
（３）、（４）、（５）で得たプラスミドpM1068，pM1069，pM1073を用い、ハナハンの方法（Hanahan,D.著、Techniques for Transformation of E. Coli, In:  DNA cloning, Vol,1, Glover, D.M.(ed), 109−136 頁、IRL 出版(IRL Press), 1985 年）により大腸菌JE5505株を形質転換し、組換え大腸菌JE5505(pM1068)，JE5505(pM1069)，JE5505(pM1073)を作製した。
得られた形質転換体それぞれを、50μg/mlのアンピシリン含有Ｌ−ブロース５mlにて一夜培養した。次いで50μg/mlアンピシリン含有M9CA培地25mlにこの培養液0.5ml を植菌し、37℃にて３ないし４時間培養した後、培養液のOD550 がおおよそ１になった時点で培地に終濃度10μg/mlの３β−インドールアクリル酸（和光純薬工業社）を添加し、さらに約24時間培養した。得られた培養混合物を遠心分離し、上清と菌体をそれぞれ回収した。
（７）形質転換体の菌体および培養上清を使用したウエスタンブロッティング
実施例18（５）と同様にヒト Fasリガンドのアミノ酸配列の一部（ＰＳＰＰＰＥＫＫＥＬＲＫＶＡＨ）を認識するウサギ抗血清を用いてウエスタンブロッティングを行った。
まず、（６）で得た形質転換体JE5505(pM1068)，JE5505(pM1069)およびJE5505(pM1073)の菌体（１mlの培養液相当）にRIPAバッファー（150mM NaCl, 1%NP−40、0.1% Sodium deoxycholate, 0.1% SDS, 0.2U/ml Aprotinin を含む50mM Tris-HCl(pH7.5)）１mlを加え、30分間撹拌した後、遠心し、その上清を回収した。得られた形質転換体由来の上清および（６）で得た形質転換体の培養上清10μｌを、それぞれ蒸留水５μｌと混合した。これらに；４％SDS 、80％グリセロール、0.04％BPB を含む溶液５μｌ；もしくは４％SDS 、80％グリセロール、８％DTT 、0.04％BPB を含む溶液５μｌを加え、それぞれ37℃で１時間処理した後、SDS-PAGEを行った。泳動終了後、PVDF膜（アトー社）に室温にて200mA 、60分の条件で転写した。スキムミルク（雪印乳業（株））を使用して４℃で一夜反応させ、ブロッキングを行ったのち、メンブレンをPBS で１回、0.1% Tween 20/PBS で２回洗浄した。
上述のウサギ抗血清を0.5% BSA/0.1% Tween 20/PBSで1,000 倍に希釈し、37℃で１時間反応させた。反応終了後、0.1% Tween 20/PBS で２回洗浄した。洗浄後さらに0.5% BSA/0.1% Tween 20/PBSで500 倍に希釈したペルオキシダーゼ標識抗ウサギイムノグロブリンズ抗体（Cat.番号P448、ダコ(DAKO)社）溶液に浸し、室温で１時間反応させた。メンブレンを0.1% Tween 20/PBS で５回洗浄し、表面の水を切り、ECL システム（アマーシャム社）で検出した。
図40に示したようにJE5505(pM1068)の形質転換体および培養上清中にヒト Fasリガンド細胞外領域に相当するバンドが、非還元条件下では約21kD付近と23kD付近に２本、還元条件下では約23kD付近に１本認められた。
また、図41に示したように、JE5505(pM1069)の形質転換体および培養上清  中に、ヒト Fasリガンド細胞外領域に相当する明瞭なバンドが、非還元条件下、還元条件下の両者において23kD付近に認められた。
（参考例１）gld(C3H gld/gld ）マウスからの Fasリガンドに対するcDNAのクローニング
gld(C3H gld/gld ）マウスの脾臓細胞を実施例14の方法で培養し、実施例１４の方法で１本鎖cDNAの合成およびPCR を行った。得られたPCR 産物を、XbaIで制限酵素処理後、１％アガロースゲルで分離し、約940bpDNAフラグメントを回収した。これを、pBluescript II KS(+)のXbaIサイトにサブクローニングし、その塩基配列を決定した。得られた塩基配列を、実施例14（１）で確認した配列と比較したところ、得られたPCR 産物の配列は、実施例14（１）で得られた配列の3'末端近くのＴ（配列番号32の塩基番号849 ）がＣに変異していることが明らかになった（配列表の配列番号100 ）。この１塩基の変異により、アミノ酸配列にも変異が生じていた。すなわち、gld マウスにおいては、マウス Fasリガンドの細胞外領域に位置する273 番目のアミノ酸がフェニルアラニンからロイシンに変異していた。
（参考例２）gld マウス由来の Fasリガンドの細胞障害活性
参考例１で得られた約940 bpのXbaIフラグメントを、動物細胞発現ベクターpEF-BOS のXbaI部位に挿入した。実施例（２）と同様の方法で、COS 細胞を形質転換した。形質転換したCOS 細胞をエフェクター細胞とし、実施例14（３）の方法で細胞障害活性を測定した。その結果、gld マウスより得られた FasリガンドcDNAで形質転換させたCOS 細胞は細胞障害活性を示さなかった（図26）。以上の結果より、自己免疫疾患のモデルであるgld マウスでは、 Fasリガンドによるアポトーシスの誘導が正常に起こらないことが確認された。
今回の結果と、オガサワラ(Ogasawara J.)等の報告から、自己免疫疾患の原因として、 Fas抗原の異常および Fasリガンドの異常の少なくとも２つがあることが示唆された。いずれの場合も、自己反応性のＴ細胞にアポトーシスを誘導することができず、自己反応性のＴ細胞が生体内より除去されなかったため、自己免疫疾患が生じることが予想された。
【産業上の利用可能性】
【００４２】
Fas 抗原に結合する物質が単離されれば、それを使用して、人為的に生体内で生じるアポトーシスを調節し、疾患の治療や、診断に使用する事ができる。Fas 抗原に結合して細胞にアポトーシスを誘導するような物質（Fas リガンド）は、生体にとって不必要な細胞を除去するために使用することが可能である。たとえば、先述したように、エイズウイルス感染細胞ではFas 抗原が発現されているので、エイズウイルス感染初期においては、Fas リガンドを使用してアポトーシスを人工的に誘導し、感染細胞を早期に除去する事により、エイズを治療する事が可能であろう。また、ある種の自己免疫疾患では、人為的にFas 抗原を介したアポトーシスを生じさせる事により、自己抗原反応性のＴ細胞の除去が可能になるであろう。また、モリモト H.(Morimoto H.)等は、癌細胞にFas 抗原を介したアポトーシスを誘導する事によって、アドリアマイシンやシスプラチンによる制癌効果が相乗的に増強されることを報告している（Cancer Res., 53 巻、2591-2596 頁、1993年）ので、Fas リガンドは癌治療にも使用することができるであろう。
一方、エイズウイルス感染後期の免疫能の低下や、劇症肝炎における肝機能低下は、免疫担当細胞あるいは肝細胞のアポトーシスにより組織の機能が著しく低下した結果と考えられる。このような状態においては、Fas リガンドの作用を抑制し、細胞のアポトーシスを防ぐことが必要になる。したがって、このような病態には、Fas リガンドの発現を抑制する物質やFas リガンドと拮抗的に作用する物質を使用した治療が必要である。
このように、生体内で生じているアポトーシスを人為的に調節するという原理に基づいた治療方法は、Fas 抗原に結合する物質が同定されて初めて可能になる方法である。
Fas 抗原と結合するポリペプチドを、治療や研究に使用するためには、当該ポリペプチドを高純度で、大量に生産することが必要になる。当該ポリペプチドをコードする遺伝子をクローニングすれば、当該ポリペプチドを遺伝子工学的に生産することが可能になり、当該蛋白質を治療薬の主成分として使用したり、抗体の作製に使用することが可能になる。また、遺伝子そのものは、遺伝子治療やアンチセンス医薬の開発に使用したり、トランスジェニックマウス等、アポトーシスが関与する疾患のモデル動物の作製に使用することができる。
【００４３】
ＳＥＱＵＥＮＣＥ  ＬＩＳＴＩＮＧ
<１１０>  Ｍｏｃｈｉｄａ  Ｐｈａｒｍａｃｅｕｔｉｃａｌ  Ｃｏ．，  Ｌｔｄ．
ＯＳＡＫＡ  ＢＩＯＳＣＩＥＮＣＥ  ＩＮＳＴＩＴＵＴＥ
<１２０>  Ａ  Ｆａｓ  Ｌｉｇａｎｄ，  Ａ  Ｆｒａｇｍｅｎｔ  ｔｈｅｒｅｏｆ  ａｎｄ  ＤＮＡ  Ｅｎｃｏｄｉｎｇ  ｔｈｅ  Ｓａｍｅ
<１３０>  MD0395D1
<１５０>  JP H05-305975
<１５１>  1993-11-10
<１５０>  JP H05-342526
<１５１>  1993-12-13
<１５０>  JP H06-74344
<１５１>  1994-03-18
<１５０>  JP H06-180955
<１５１>  1994-07-08
<１５０>  JP H06-239363
<１５１>  1994-09-07
<１５０>  JP H06-278378
<１５１>  1994-10-18
<１６０>  100
<２１０>  1
<２１１>  137
<２１２>  PRT
<２１３>  human
<４００>  1
Lys Val Ala His Leu Thr Gly Lys Ser Asn Ser Arg Ser Met Pro 
1               5                  10                  15 
Leu Glu Trp Glu Asp Thr Tyr Gly Ile Val Leu Leu Ser Gly Val 
20                  25                  30 
Lys Tyr Lys Lys Gly Gly Leu Val Ile Asn Glu Thr Gly Leu Tyr 
35                  40                  45 
Phe Val Tyr Ser Lys Val Tyr Phe Arg Gly Gln Ser Cys Asn Asn 
50                  55                  60 
Leu Pro Leu Ser His Lys Val Tyr Met Arg Asn Ser Lys Tyr Pro 
65                  70                  75 
Gln Asp Leu Val Met Met Glu Gly Lys Met Met Ser Tyr Cys Thr 
80                  85                  90 
Thr Gly Gln Met Trp Ala Arg Ser Ser Tyr Leu Gly Ala Val Phe 
95                 100                 105 
Asn Leu Thr Ser Ala Asp His Leu Tyr Val Asn Val Ser Glu Leu 
110                 115                 120 
Ser Leu Val Asn Phe Glu Glu Ser Gln Thr Phe Phe Gly Leu Tyr 
125                 130                 135 
Lys Leu 
137 
<２１０>  2
<２１１>  138
<２１２>  PRT
<２１３>  human
<４００>  2
Arg Lys Val Ala His Leu Thr Gly Lys Ser Asn Ser Arg Ser Met     
1               5                  10                  15 
Pro Leu Glu Trp Glu Asp Thr Tyr Gly Ile Val Leu Leu Ser Gly     
20                  25                  30 
Val Lys Tyr Lys Lys Gly Gly Leu Val Ile Asn Glu Thr Gly Leu     
35                  40                  45 
Tyr Phe Val Tyr Ser Lys Val Tyr Phe Arg Gly Gln Ser Cys Asn     
50                  55                  60 
Asn Leu Pro Leu Ser His Lys Val Tyr Met Arg Asn Ser Lys Tyr     
65                  70                  75 
Pro Gln Asp Leu Val Met Met Glu Gly Lys Met Met Ser Tyr Cys     
80                  85                  90 
Thr Thr Gly Gln Met Trp Ala Arg Ser Ser Tyr Leu Gly Ala Val     
95                 100                 105 
Phe Asn Leu Thr Ser Ala Asp His Leu Tyr Val Asn Val Ser Glu     
110                 115                 120 
Leu Ser Leu Val Asn Phe Glu Glu Ser Gln Thr Phe Phe Gly Leu 
125                 130                 135 
Tyr Lys Leu 
138 
<２１０>  3
<２１１>  179
<２１２>  PRT
<２１３>  human
<４００>  3
Gln Leu Phe His Leu Gln Lys Glu Leu Ala Glu Leu Arg Glu Ser 
1               5                  10                  15 
Thr Ser Gln Met His Thr Ala Ser Ser Leu Glu Lys Gln Ile Gly 
20                  25                  30 
His Pro Ser Pro Pro Pro Glu Lys Lys Glu Leu Arg Lys Val Ala 
35                  40                  45 
His Leu Thr Gly Lys Ser Asn Ser Arg Ser Met Pro Leu Glu Trp 
50                  55                  60 
Glu Asp Thr Tyr Gly Ile Val Leu Leu Ser Gly Val Lys Tyr Lys 
65                  70                  75 
Lys Gly Gly Leu Val Ile Asn Glu Thr Gly Leu Tyr Phe Val Tyr 
80                  85                  90 
Ser Lys Val Tyr Phe Arg Gly Gln Ser Cys Asn Asn Leu Pro Leu 
95                 100                 105 
Ser His Lys Val Tyr Met Arg Asn Ser Lys Tyr Pro Gln Asp Leu 
110                 115                 120 
Val Met Met Glu Gly Lys Met Met Ser Tyr Cys Thr Thr Gly Gln 
125                 130                 135 
Met Trp Ala Arg Ser Ser Tyr Leu Gly Ala Val Phe Asn Leu Thr 
140                 145                 150 
Ser Ala Asp His Leu Tyr Val Asn Val Ser Glu Leu Ser Leu Val 
155                 160                 165 
Asn Phe Glu Glu Ser Gln Thr Phe Phe Gly Leu Tyr Lys Leu 
170                 175             179 
<２１０>  4
<２１１>  281
<２１２>  PRT
<２１３>  human
<４００>  4
Met Gln Gln Pro Phe Asn Tyr Pro Tyr Pro Gln Ile Tyr Trp Val 
1               5                  10                  15 
Asp Ser Ser Ala Ser Ser Pro Trp Ala Pro Pro Gly Thr Val Leu 
20                  25                  30 
Pro Cys Pro Thr Ser Val Pro Arg Arg Pro Gly Gln Arg Arg Pro 
35                  40                  45 
Pro Pro Pro Pro Pro Pro Pro Pro Leu Pro Pro Pro Pro Pro Pro 
50                  55                  60 
Pro Pro Leu Pro Pro Leu Pro Leu Pro Pro Leu Lys Lys Arg Gly 
65                  70                  75 
Asn His Ser Thr Gly Leu Cys Leu Leu Val Met Phe Phe Met Val 
80                  85                  90 
Leu Val Ala Leu Val Gly Leu Gly Leu Gly Met Phe Gln Leu Phe 
95                 100                 105 
His Leu Gln Lys Glu Leu Ala Glu Leu Arg Glu Ser Thr Ser Gln 
110                 115                 120 
Met His Thr Ala Ser Ser Leu Glu Lys Gln Ile Gly His Pro Ser 
125                 130                 135 
Pro Pro Pro Glu Lys Lys Glu Leu Arg Lys Val Ala His Leu Thr 
140                 145                 150 
Gly Lys Ser Asn Ser Arg Ser Met Pro Leu Glu Trp Glu Asp Thr 
155                 160                 165 
Tyr Gly Ile Val Leu Leu Ser Gly Val Lys Tyr Lys Lys Gly Gly 
170                 175                 180 
Leu Val Ile Asn Glu Thr Gly Leu Tyr Phe Val Tyr Ser Lys Val 
185                 190                 195 
Tyr Phe Arg Gly Gln Ser Cys Asn Asn Leu Pro Leu Ser His Lys 
200                 205                 210 
Val Tyr Met Arg Asn Ser Lys Tyr Pro Gln Asp Leu Val Met Met 
215                 220                 225 
Glu Gly Lys Met Met Ser Tyr Cys Thr Thr Gly Gln Met Trp Ala 
230                 235                 240 
Arg Ser Ser Tyr Leu Gly Ala Val Phe Asn Leu Thr Ser Ala Asp 
245                 250                 255 
His Leu Tyr Val Asn Val Ser Glu Leu Ser Leu Val Asn Phe Glu 
260                 265                 270 
Glu Ser Gln Thr Phe Phe Gly Leu Tyr Lys Leu 
275                 280 281 
<２１０>  5
<２１１>  137
<２１２>  PRT
<２１３>  rat
<４００>  5
Ser Val Ala His Leu Thr Gly Asn Pro Arg Ser Arg Ser Ile Pro 
1               5                  10                  15 
Leu Glu Trp Glu Asp Thr Tyr Gly Thr Ala Leu Ile Ser Gly Val 
20                  25                  30 
Lys Tyr Lys Lys Gly Gly Leu Val Ile Asn Glu Ala Gly Leu Tyr 
35                  40                  45 
Phe Val Tyr Ser Lys Val Tyr Phe Arg Gly Gln Ser Cys Asn Ser 
50                  55                  60 
Gln Pro Leu Ser His Lys Val Tyr Met Arg Asn Phe Lys Tyr Pro 
65                  70                  75 
Gly Asp Leu Val Leu Met Glu Glu Lys Lys Leu Asn Tyr Cys Thr 
80                  85                  90 
Thr Gly Gln Ile Trp Ala His Ser Ser Tyr Leu Gly Ala Val Phe 
95                 100                 105 
Asn Leu Thr Val Ala Asp His Leu Tyr Val Asn Ile Ser Gln Leu 
110                 115                 120 
Ser Leu Ile Asn Phe Glu Glu Ser Lys Thr Phe Phe Gly Leu Tyr 
125                 130                 135 
Lys Leu 
137 
<２１０>  6
<２１１>  138
<２１２>  PRT
<２１３>  rat
<４００>  6
Arg Ser Val Ala His Leu Thr Gly Asn Pro Arg Ser Arg Ser Ile 
1               5                  10                  15 
Pro Leu Glu Trp Glu Asp Thr Tyr Gly Thr Ala Leu Ile Ser Gly 
20                  25                  30 
Val Lys Tyr Lys Lys Gly Gly Leu Val Ile Asn Glu Ala Gly Leu 
35                  40                  45 
Tyr Phe Val Tyr Ser Lys Val Tyr Phe Arg Gly Gln Ser Cys Asn 
50                  55                  60 
Ser Gln Pro Leu Ser His Lys Val Tyr Met Arg Asn Phe Lys Tyr 
65                  70                  75 
Pro Gly Asp Leu Val Leu Met Glu Glu Lys Lys Leu Asn Tyr Cys 
80                  85                  90 
Thr Thr Gly Gln Ile Trp Ala His Ser Ser Tyr Leu Gly Ala Val 
95                 100                 105 
Phe Asn Leu Thr Val Ala Asp His Leu Tyr Val Asn Ile Ser Gln 
110                 115                 120 
Leu Ser Leu Ile Asn Phe Glu Glu Ser Lys Thr Phe Phe Gly Leu 
125                 130                 135 
Tyr Lys Leu 
138
<２１０>  7
<２１１>  179
<２１２>  PRT
<２１３>  rat
<４００>  7
Gln Leu Phe His Leu Gln Lys Glu Leu Ala Glu Leu Arg Glu Phe 
1               5                  10                  15 
Thr Asn His Ser Leu Arg Val Ser Ser Phe Glu Lys Gln Ile Ala 
20                  25                  30 
Asn Pro Ser Thr Pro Ser Glu Thr Lys Lys Pro Arg Ser Val Ala 
35                  40                  45 
His Leu Thr Gly Asn Pro Arg Ser Arg Ser Ile Pro Leu Glu Trp 
50                  55                  60 
Glu Asp Thr Tyr Gly Thr Ala Leu Ile Ser Gly Val Lys Tyr Lys 
65                  70                  75 
Lys Gly Gly Leu Val Ile Asn Glu Ala Gly Leu Tyr Phe Val Tyr 
80                  85                  90 
Ser Lys Val Tyr Phe Arg Gly Gln Ser Cys Asn Ser Gln Pro Leu 
95                 100                 105 
Ser His Lys Val Tyr Met Arg Asn Phe Lys Tyr Pro Gly Asp Leu 
110                 115                 120 
Val Leu Met Glu Glu Lys Lys Leu Asn Tyr Cys Thr Thr Gly Gln 
125                 130                 135 
Ile Trp Ala His Ser Ser Tyr Leu Gly Ala Val Phe Asn Leu Thr 
140                 145                 145 
Val Ala Asp His Leu Tyr Val Asn Ile Ser Gln Leu Ser Leu Ile 
150                 155                 160 
Asn Phe Glu Glu Ser Lys Thr Phe Phe Gly Leu Tyr Lys Leu 
165                 170             179 
<２１０>  8
<２１１>  278
<２１２>  PRT
<２１３>  rat
<４００>  8
Met Gln Gln Pro Val Asn Tyr Pro Cys Pro Gln Ile Tyr Trp Val 
5                  10                  15 
Asp Ser Ser Ala Thr Ser Pro Trp Ala Pro Pro Gly Ser Val Phe 
20                  25                  30 
Ser Cys Pro Ser Ser Gly Pro Arg Gly Pro Gly Gln Arg Arg Pro 
35                  40                  45 
Pro Pro Pro Pro Pro Pro Pro Ser Pro Leu Pro Pro Pro Ser Gln 
50                  55                  60 
Pro Pro Pro Leu Pro Pro Leu Ser Pro Leu Lys Lys Lys Asp Asn 
65                  70                  75 
Ile Glu Leu Trp Leu Pro Val Ile Phe Phe Met Val Leu Val Ala 
80                  85                  90 
Leu Val Gly Met Gly Leu Gly Met Tyr Gln Leu Phe His Leu Gln 
95                 100                 105 
Lys Glu Leu Ala Glu Leu Arg Glu Phe Thr Asn His Ser Leu Arg 
110                 115                 120 
Val Ser Ser Phe Glu Lys Gln Ile Ala Asn Pro Ser Thr Pro Ser 
125                 130                 135 
Glu Thr Lys Lys Pro Arg Ser Val Ala His Leu Thr Gly Asn Pro 
140                 145                 150 
Arg Ser Arg Ser Ile Pro Leu Glu Trp Glu Asp Thr Tyr Gly Thr 
155                 160                 165 
Ala Leu Ile Ser Gly Val Lys Tyr Lys Lys Gly Gly Leu Val Ile 
170                 175                 180 
Asn Glu Ala Gly Leu Tyr Phe Val Tyr Ser Lys Val Tyr Phe Arg 
185                 190                 195 
Gly Gln Ser Cys Asn Ser Gln Pro Leu Ser His Lys Val Tyr Met 
200                 205                 210 
Arg Asn Phe Lys Tyr Pro Gly Asp Leu Val Leu Met Glu Glu Lys 
215                 220                 225 
Lys Leu Asn Tyr Cys Thr Thr Gly Gln Ile Trp Ala His Ser Ser 
230                 235                 240 
Tyr Leu Gly Ala Val Phe Asn Leu Thr Val Ala Asp His Leu Tyr 
245                 250                 255 
Val Asn Ile Ser Gln Leu Ser Leu Ile Asn Phe Glu Glu Ser Lys 
260                 265                 270 
Thr Phe Phe Gly Leu Tyr Lys Leu 
275         278 
<２１０>  9
<２１１>  137
<２１２>  PRT
<２１３>  mouse
<４００>  9
Ser Val Ala His Leu Thr Gly Asn Pro His Ser Arg Ser Ile Pro 
1               5                  10                  15 
Leu Glu Trp Glu Asp Thr Tyr Gly Thr Ala Leu Ile Ser Gly Val 
20                  25                  30 
Lys Tyr Lys Lys Gly Gly Leu Val Ile Asn Glu Thr Gly Leu Tyr 
35                  40                  45 
Phe Val Tyr Ser Lys Val Tyr Phe Arg Gly Gln Ser Cys Asn Asn 
50                  55                  60 
Gln Pro Leu Asn His Lys Val Tyr Met Arg Asn Ser Lys Tyr Pro 
65                  70                  75 
Glu Asp Leu Val Leu Met Glu Glu Lys Arg Leu Asn Tyr Cys Thr 
80                  85                  90 
Thr Gly Gln Ile Trp Ala His Ser Ser Tyr Leu Gly Ala Val Phe 
95                 100                 105 
Asn Leu Thr Ser Ala Asp His Leu Tyr Val Asn Ile Ser Gln Leu 
110                 115                 120 
Ser Leu Ile Asn Phe Glu Glu Ser Lys Thr Phe Phe Gly Leu Tyr 
125                 130                 135 
Lys Leu 
137 
<２１０>  10
<２１１>  138
<２１２>  PRT
<２１３>  mouse
<４００>  10
Arg Ser Val Ala His Leu Thr Gly Asn Pro His Ser Arg Ser Ile 
1               5                  10                  15 
Pro Leu Glu Trp Glu Asp Thr Tyr Gly Thr Ala Leu Ile Ser Gly 
20                  25                  30 
Val Lys Tyr Lys Lys Gly Gly Leu Val Ile Asn Glu Thr Gly Leu 
35                  40                  45 
Tyr Phe Val Tyr Ser Lys Val Tyr Phe Arg Gly Gln Ser Cys Asn 
50                  55                  60 
Asn Gln Pro Leu Asn His Lys Val Tyr Met Arg Asn Ser Lys Tyr 
65                  70                  75 
Pro Glu Asp Leu Val Leu Met Glu Glu Lys Arg Leu Asn Tyr Cys 
80                  85                  90 
Thr Thr Gly Gln Ile Trp Ala His Ser Ser Tyr Leu Gly Ala Val 
95                 100                 105 
Phe Asn Leu Thr Ser Ala Asp His Leu Tyr Val Asn Ile Ser Gln 
110                 115                 120 
Leu Ser Leu Ile Asn Phe Glu Glu Ser Lys Thr Phe Phe Gly Leu 
125                 130                 135 
Tyr Lys Leu 
138 
<２１０>  11
<２１１>  179
<２１２>  PRT
<２１３>  mouse
<４００>  11
Gln Leu Phe His Leu Gln Lys Glu Leu Ala Glu Leu Arg Glu Phe 
1               5                  10                  15 
Thr Asn Gln Ser Leu Lys Val Ser Ser Phe Glu Lys Gln Ile Ala 
20                  25                  30 
Asn Pro Ser Thr Pro Ser Glu Lys Lys Glu Pro Arg Ser Val Ala 
35                  40                  45 
His Leu Thr Gly Asn Pro His Ser Arg Ser Ile Pro Leu Glu Trp 
50                  55                  60 
Glu Asp Thr Tyr Gly Thr Ala Leu Ile Ser Gly Val Lys Tyr Lys 
65                  70                  75 
Lys Gly Gly Leu Val Ile Asn Glu Thr Gly Leu Tyr Phe Val Tyr 
80                  85                  90 
Ser Lys Val Tyr Phe Arg Gly Gln Ser Cys Asn Asn Gln Pro Leu 
95                 100                 105 
Asn His Lys Val Tyr Met Arg Asn Ser Lys Tyr Pro Glu Asp Leu 
110                 115                 120 
Val Leu Met Glu Glu Lys Arg Leu Asn Tyr Cys Thr Thr Gly Gln 
125                 130                 135 
Ile Trp Ala His Ser Ser Tyr Leu Gly Ala Val Phe Asn Leu Thr 
140                 145                 150 
Ser Ala Asp His Leu Tyr Val Asn Ile Ser Gln Leu Ser Leu Ile 
155                 160                 165 
Asn Phe Glu Glu Ser Lys Thr Phe Phe Gly Leu Tyr Lys Leu 
170                 175             179 
<２１０>  12
<２１１>  279
<２１２>  PRT
<２１３>  mouse
<４００>  12
Met Gln Gln Pro Met Asn Tyr Pro Cys Pro Gln Ile Phe Trp Val 
5                  10                  15 
Asp Ser Ser Ala Thr Ser Ser Trp Ala Pro Pro Gly Ser Val Phe 
20                  25                  30 
Pro Cys Pro Ser Cys Gly Pro Arg Gly Pro Asp Gln Arg Arg Pro 
35                  40                  45 
Pro Pro Pro Pro Pro Pro Val Ser Pro Leu Pro Pro Pro Ser Gln 
50                  55                  60 
Pro Leu Pro Leu Pro Pro Leu Thr Pro Leu Lys Lys Lys Asp His 
65                  70                  75 
Asn Thr Asn Leu Trp Leu Pro Val Val Phe Phe Met Val Leu Val 
80                  85                  90 
Ala Leu Val Gly Met Gly Leu Gly Met Tyr Gln Leu Phe His Leu 
95                 100                 105 
Gln Lys Glu Leu Ala Glu Leu Arg Glu Phe Thr Asn Gln Ser Leu 
110                 115                 120 
Lys Val Ser Ser Phe Glu Lys Gln Ile Ala Asn Pro Ser Thr Pro 
125                 130                 135 
Ser Glu Lys Lys Glu Pro Arg Ser Val Ala His Leu Thr Gly Asn 
140                 145                 150 
Pro His Ser Arg Ser Ile Pro Leu Glu Trp Glu Asp Thr Tyr Gly 
155                 160                 165 
Thr Ala Leu Ile Ser Gly Val Lys Tyr Lys Lys Gly Gly Leu Val 
170                 175                 180 
Ile Asn Glu Thr Gly Leu Tyr Phe Val Tyr Ser Lys Val Tyr Phe 
185                 190                 195 
Arg Gly Gln Ser Cys Asn Asn Gln Pro Leu Asn His Lys Val Tyr 
200                 205                 210 
Met Arg Asn Ser Lys Tyr Pro Glu Asp Leu Val Leu Met Glu Glu 
215                 220                 225 
Lys Arg Leu Asn Tyr Cys Thr Thr Gly Gln Ile Trp Ala His Ser 
230                 235                 240 
Ser Tyr Leu Gly Ala Val Phe Asn Leu Thr Ser Ala Asp His Leu 
245                 250                 255 
Tyr Val Asn Ile Ser Gln Leu Ser Leu Ile Asn Phe Glu Glu Ser 
260                 265                 270 
Lys Thr Phe Phe Gly Leu Tyr Lys Leu 
275             279 
<２１０>  13
<２１１>  411
<２１２>  DNA
<２１３>  human
<４００>  13
aaagtggccc  atttaacagg  caagtccaac  tcaaggtcca  tgcctctgga    50
atgggaagac  acctatggaa  ttgtcctgct  ttctggagtg  aagtataaga   100
agggtggcct  tgtgatcaat  gaaactgggc  tgtactttgt  atattccaaa   150
gtatacttcc  ggggtcaatc  ttgcaacaac  ctgcccctga  gccacaaggt   200
ctacatgagg  aactctaagt  atccccagga  tctggtgatg  atggagggga   250
agatgatgag  ctactgcact  actgggcaga  tgtgggcccg  cagcagctac   300
ctgggggcag  tgttcaatct  taccagtgct  gatcatttat  atgtcaacgt   350
atctgagctc  tctctggtca  attttgagga  atctcagacg  tttttcggct   400
tatataagct  c                                                411
<２１０>  14
<２１１>  414
<２１２>  DNA
<２１３>  human 
<４００>  14
aggaaagtgg  cccatttaac  aggcaagtcc  aactcaaggt  ccatgcctct    50
ggaatgggaa  gacacctatg  gaattgtcct  gctttctgga  gtgaagtata   100
agaagggtgg  ccttgtgatc  aatgaaactg  ggctgtactt  tgtatattcc   150
aaagtatact  tccggggtca  atcttgcaac  aacctgcccc  tgagccacaa   200
ggtctacatg  aggaactcta  agtatcccca  ggatctggtg  atgatggagg   250
ggaagatgat  gagctactgc  actactgggc  agatgtgggc  ccgcagcagc   300
tacctggggg  cagtgttcaa  tcttaccagt  gctgatcatt  tatatgtcaa   350
cgtatctgag  ctctctctgg  tcaattttga  ggaatctcag  acgtttttcg   400
gcttatataa  gctc                                             414
<２１０>  15
<２１１>  537
<２１２>  DNA
<２１３>  human
<４００>  15
cagctcttcc  acctacagaa  ggagctggca  gaactccgag  agtctaccag    50
ccagatgcac  acagcatcat  ctttggagaa  gcaaataggc  caccccagtc   100
caccccctga  aaaaaaggag  ctgaggaaag  tggcccattt  aacaggcaag   150
tccaactcaa  ggtccatgcc  tctggaatgg  gaagacacct  atggaattgt   200
cctgctttct  ggagtgaagt  ataagaaggg  tggccttgtg  atcaatgaaa   250
ctgggctgta  ctttgtatat  tccaaagtat  acttccgggg  tcaatcttgc   300
aacaacctgc  ccctgagcca  caaggtctac  atgaggaact  ctaagtatcc   350
ccaggatctg  gtgatgatgg  aggggaagat  gatgagctac  tgcactactg   400
ggcagatgtg  ggcccgcagc  agctacctgg  gggcagtgtt  caatcttacc   450
agtgctgatc  atttatatgt  caacgtatct  gagctctctc  tggtcaattt   500
tgaggaatct  cagacgtttt  tcggcttata  taagctc                  537
<２１０>  16
<２１１>  843
<２１２>  DNA
<２１３>  human
<４００>  16
atgcagcagc  ccttcaatta  cccatatccc  cagatctact  gggtggacag    50
cagtgccagc  tctccctggg  cccctccagg  cacagttctt  ccctgtccaa   100
cctctgtgcc  cagaaggcct  ggtcaaagga  ggccaccacc  accaccgcca   150
ccgccaccac  taccacctcc  gccgccgccg  ccaccactgc  ctccactacc   200
gctgccaccc  ctgaagaaga  gagggaacca  cagcacaggc  ctgtgtctcc   250
ttgtgatgtt  tttcatggtt  ctggttgcct  tggtaggatt  gggcctgggg   300
atgtttcagc  tcttccacct  acagaaggag  ctggcagaac  tccgagagtc   350
taccagccag  atgcacacag  catcatcttt  ggagaagcaa  ataggccacc   400
ccagtccacc  ccctgaaaaa  aaggagctga  ggaaagtggc  ccatttaaca   450
ggcaagtcca  actcaaggtc  catgcctctg  gaatgggaag  acacctatgg   500
aattgtcctg  ctttctggag  tgaagtataa  gaagggtggc  cttgtgatca   550
atgaaactgg  gctgtacttt  gtatattcca  aagtatactt  ccggggtcaa   600
tcttgcaaca  acctgcccct  gagccacaag  gtctacatga  ggaactctaa   650
gtatccccag  gatctggtga  tgatggaggg  gaagatgatg  agctactgca   700
ctactgggca  gatgtgggcc  cgcagcagct  acctgggggc  agtgttcaat   750
cttaccagtg  ctgatcattt  atatgtcaac  gtatctgagc  tctctctggt   800
caattttgag  gaatctcaga  cgtttttcgg  cttatataag  ctc          843
<２１０>  17
<２１１>  411
<２１２>  DNA
<２１３>  rat
<４００>  17
agtgtggccc  acttaacagg  gaacccccgc  tcaaggtcca  tccctctgga    50
atgggaagac  acatatggaa  ctgctttgat  ctctggagtg  aagtataaga   100
aaggcggcct  tgtgatcaat  gaggctgggt  tgtacttcgt  atattccaaa   150
gtatacttcc  ggggtcagtc  ttgcaacagc  cagcccctaa  gccacaaggt   200
ctatatgagg  aactttaagt  atcctgggga  tctggtgcta  atggaggaga   250
agaagttgaa  ttactgcact  actggccaga  tatgggccca  cagcagctac   300
ctaggggcag  tatttaatct  taccgttgct  gaccatttat  atgtcaacat   350
atctcaactc  tctctgatca  attttgagga  atctaagacc  ttttttggct   400
tatataagct  t                                                411
<２１０>  18
<２１１>  414
<２１２>  DNA
<２１３>  rat
<４００>  18
aggagtgtgg  cccacttaac  agggaacccc  cgctcaaggt  ccatccctct    50
ggaatgggaa  gacacatatg  gaactgcttt  gatctctgga  gtgaagtata   100
agaaaggcgg  ccttgtgatc  aatgaggctg  ggttgtactt  cgtatattcc   150
aaagtatact  tccggggtca  gtcttgcaac  agccagcccc  taagccacaa   200
ggtctatatg  aggaacttta  agtatcctgg  ggatctggtg  ctaatggagg   250
agaagaagtt  gaattactgc  actactggcc  agatatgggc  ccacagcagc   300
tacctagggg  cagtatttaa  tcttaccgtt  gctgaccatt  tatatgtcaa   350
catatctcaa  ctctctctga  tcaattttga  ggaatctaag  accttttttg   400
gcttatataa  gctt                                             414
<２１０>  19
<２１１>  537
<２１２>  DNA
<２１３>  rat
<４００>  19
caactctttc  atctacagaa  ggaactggca  gaactccgtg  agttcaccaa    50
ccacagcctt  agagtatcat  cttttgaaaa  gcaaatagcc  aaccccagca   100
caccctctga  aaccaaaaag  ccaaggagtg  tggcccactt  aacagggaac   150
ccccgctcaa  ggtccatccc  tctggaatgg  gaagacacat  atggaactgc   200
tttgatctct  ggagtgaagt  ataagaaagg  cggccttgtg  atcaatgagg   250
ctgggttgta  cttcgtatat  tccaaagtat  acttccgggg  tcagtcttgc   300
aacagccagc  ccctaagcca  caaggtctat  atgaggaact  ttaagtatcc   350
tggggatctg  gtgctaatgg  aggagaagaa  gttgaattac  tgcactactg   400
gccagatatg  ggcccacagc  agctacctag  gggcagtatt  taatcttacc   450
gttgctgacc  atttatatgt  caacatatct  caactctctc  tgatcaattt   500
tgaggaatct  aagacctttt  ttggcttata  taagctt                  537
<２１０>  20
<２１１>  834
<２１２>  DNA
<２１３>  rat
<４００>  20
atgcagcagc  ccgtgaatta  cccatgtccc  cagatctact  gggtagacag    50
cagtgccact  tctccttggg  ctcctccagg  gtcagttttt  tcttgtccat   100
cctctgggcc  tagagggcca  ggacaaagga  gaccaccgcc  tccaccacca   150
cctccatcac  cactaccacc  gccttcccaa  ccacccccgc  tgcctccact   200
aagccctcta  aagaagaagg  acaacataga  gctgtggcta  ccggtgatat   250
ttttcatggt  gctggtggct  ctggttggaa  tggggttagg  aatgtatcaa   300
ctctttcatc  tacagaagga  actggcagaa  ctccgtgagt  tcaccaacca   350
cagccttaga  gtatcatctt  ttgaaaagca  aatagccaac  cccagcacac   400
cctctgaaac  caaaaagcca  aggagtgtgg  cccacttaac  agggaacccc   450
cgctcaaggt  ccatccctct  ggaatgggaa  gacacatatg  gaactgcttt   500
gatctctgga  gtgaagtata  agaaaggcgg  ccttgtgatc  aatgaggctg   550
ggttgtactt  cgtatattcc  aaagtatact  tccggggtca  gtcttgcaac   600
agccagcccc  taagccacaa  ggtctatatg  aggaacttta  agtatcctgg   650
ggatctggtg  ctaatggagg  agaagaagtt  gaattactgc  actactggcc   700
agatatgggc  ccacagcagc  tacctagggg  cagtatttaa  tcttaccgtt   750
gctgaccatt  tatatgtcaa  catatctcaa  ctctctctga  tcaattttga   800
ggaatctaag  accttttttg  gcttatataa  gctt                     834
<２１０>  21
<２１１>  411
<２１２>  DNA
<２１３>  mouse
<４００>  21
agtgtggccc  atttaacagg  gaacccccac  tcaaggtcca  tccctctgga    50
atgggaagac  acatatggaa  ccgctctgat  ctctggagtg  aagtataaga   150
aaggtggcct  tgtgatcaac  gaaactgggt  tgtacttcgt  gtattccaaa   200
gtatacttcc  ggggtcagtc  ttgcaacaac  cagcccctaa  accacaaggt   250
ctatatgagg  aactctaagt  atcctgagga  tctggtgcta  atggaggaga   300
agaggttgaa  ctactgcact  actggacaga  tatgggccca  cagcagctac   350
ctgggggcag  tattcaatct  taccagtgct  gaccatttat  atgtcaacat   400
atctcaactc  tctctgatca  attttgagga  atctaagacc  tttttcggct   450
tgtataagct  t                                                411
<２１０>  22
<２１１>  414
<２１２>  DNA
<２１３>  mouse
<４００>  22
aggagtgtgg  cccatttaac  agggaacccc  cactcaaggt  ccatccctct    50
ggaatgggaa  gacacatatg  gaaccgctct  gatctctgga  gtgaagtata   100
agaaaggtgg  ccttgtgatc  aacgaaactg  ggttgtactt  cgtgtattcc   150
aaagtatact  tccggggtca  gtcttgcaac  aaccagcccc  taaaccacaa   200
ggtctatatg  aggaactcta  agtatcctga  ggatctggtg  ctaatggagg   250
agaagaggtt  gaactactgc  actactggac  agatatgggc  ccacagcagc   300
tacctggggg  cagtattcaa  tcttaccagt  gctgaccatt  tatatgtcaa   350
catatctcaa  ctctctctga  tcaattttga  ggaatctaag  acctttttcg   400
gcttgtataa  gctt                                             414
<２１０>  23
<２１１>  537
<２１２>  DNA
<２１３>  mouse
<４００>  23
cagctcttcc  acctgcagaa  ggaactggca  gaactccgtg  agttcaccaa    50
ccaaagcctt  aaagtatcat  cttttgaaaa  gcaaatagcc  aaccccagta   100
caccctctga  aaaaaaagag  ccgaggagtg  tggcccattt  aacagggaac   150
ccccactcaa  ggtccatccc  tctggaatgg  gaagacacat  atggaaccgc   200
tctgatctct  ggagtgaagt  ataagaaagg  tggccttgtg  atcaacgaaa   250
ctgggttgta  cttcgtgtat  tccaaagtat  acttccgggg  tcagtcttgc   300
aacaaccagc  ccctaaacca  caaggtctat  atgaggaact  ctaagtatcc   350
tgaggatctg  gtgctaatgg  aggagaagag  gttgaactac  tgcactactg   400
gacagatatg  ggcccacagc  agctacctgg  gggcagtatt  caatcttacc   450
agtgctgacc  atttatatgt  caacatatct  caactctctc  tgatcaattt   500
tgaggaatct  aagacctttt  tcggcttgta  taagctt                  537
<２１０>  24
<２１１>  837
<２１２>  DNA
<２１３>  mouse
<４００>  24
atgcagcagc  ccatgaatta  cccatgtccc  cagatcttct  gggtagacag    50
cagtgccact  tcatcttggg  ctcctccagg  gtcagttttt  ccctgtccat   100
cttgtgggcc  tagagggccg  gaccaaagga  gaccgccacc  tccaccacca   150
cctgtgtcac  cactaccacc  gccatcacaa  ccactcccac  tgccgccact   200
gacccctcta  aagaagaagg  accacaacac  aaatctgtgg  ctaccggtgg   250
tatttttcat  ggttctggtg  gctctggttg  gaatgggatt  aggaatgtat   300
cagctcttcc  acctgcagaa  ggaactggca  gaactccgtg  agttcaccaa   350
ccaaagcctt  aaagtatcat  cttttgaaaa  gcaaatagcc  aaccccagta   400
caccctctga  aaaaaaagag  ccgaggagtg  tggcccattt  aacagggaac   450
ccccactcaa  ggtccatccc  tctggaatgg  gaagacacat  atggaaccgc   500
tctgatctct  ggagtgaagt  ataagaaagg  tggccttgtg  atcaacgaaa   550
ctgggttgta  cttcgtgtat  tccaaagtat  acttccgggg  tcagtcttgc   600
aacaaccagc  ccctaaacca  caaggtctat  atgaggaact  ctaagtatcc   650
tgaggatctg  gtgctaatgg  aggagaagag  gttgaactac  tgcactactg   700
gacagatatg  ggcccacagc  agctacctgg  gggcagtatt  caatcttacc   750
agtgctgacc  atttatatgt  caacatatct  caactctctc  tgatcaattt   800
tgaggaatct  aagacctttt  tcggcttgta  taagctt                  837
<２１０>  25
<２１１>  1623
<２１２>  PRT
<２１３>  rat
<４００>  25
TCAGAGTCCT  10 
GTCCTTGACA CTTCAGTCTC CACAAGACTG AGAGGAGGAA ACCCTTTCCT GGGGCTGGGT  70 
GCC ATG CAG CAG CCC GTG AAT TAC CCA TGT CCC CAG ATC TAC TGG GTA   118 
Met Gln Gln Pro Val Asn Tyr Pro Cys Pro Gln Ile Tyr Trp Val 
1               5                  10                  15 
GAC AGC AGT GCC ACT TCT CCT TGG GCT CCT CCA GGG TCA GTT TTT TCT   166 
Asp Ser Ser Ala Thr Ser Pro Trp Ala Pro Pro Gly Ser Val Phe Ser 
20                  25                  30 
TGT CCA TCC TCT GGG CCT AGA GGG CCA GGA CAA AGG AGA CCA CCG CCT   214 
Cys Pro Ser Ser Gly Pro Arg Gly Pro Gly Gln Arg Arg Pro Pro Pro 
35                  40                  45 
CCA CCA CCA CCT CCA TCA CCA CTA CCA CCG CCT TCC CAA CCA CCC CCG   262 
Pro Pro Pro Pro Pro Ser Pro Leu Pro Pro Pro Ser Gln Pro Pro Pro 
50                  55                  60 
CTG CCT CCA CTA AGC CCT CTA AAG AAG AAG GAC AAC ATA GAG CTG TGG   310 
Leu Pro Pro Leu Ser Pro Leu Lys Lys Lys Asp Asn Ile Glu Leu Trp 
65                  70                  75 
CTA CCG GTG ATA TTT TTC ATG GTG CTG GTG GCT CTG GTT GGA ATG GGG   358 
Leu Pro Val Ile Phe Phe Met Val Leu Val Ala Leu Val Gly Met Gly 
80                  85                  90                  95 
TTA GGA ATG TAT CAA CTC TTT CAT CTA CAG AAG GAA CTG GCA GAA CTC   406 
Leu Gly Met Tyr Gln Leu Phe His Leu Gln Lys Glu Leu Ala Glu Leu 
100                 105                 110 
CGT GAG TTC ACC AAC CAC AGC CTT AGA GTA TCA TCT TTT GAA AAG CAA   454 
Arg Glu Phe Thr Asn His Ser Leu Arg Val Ser Ser Phe Glu Lys Gln 
115                 120                 125 
ATA GCC AAC CCC AGC ACA CCC TCT GAA ACC AAA AAG CCA AGG AGT GTG   502 
Ile Ala Asn Pro Ser Thr Pro Ser Glu Thr Lys Lys Pro Arg Ser Val 
130                 135                 140 
GCC CAC TTA ACA GGG AAC CCC CGC TCA AGG TCC ATC CCT CTG GAA TGG   550 
Ala His Leu Thr Gly Asn Pro Arg Ser Arg Ser Ile Pro Leu Glu Trp 
145                 150                 155 
GAA GAC ACA TAT GGA ACT GCT TTG ATC TCT GGA GTG AAG TAT AAG AAA   598 
Glu Asp Thr Tyr Gly Thr Ala Leu Ile Ser Gly Val Lys Tyr Lys Lys 
160                 165                 170                 175 
GGC GGC CTT GTG ATC AAT GAG GCT GGG TTG TAC TTC GTA TAT TCC AAA   646 
Gly Gly Leu Val Ile Asn Glu Ala Gly Leu Tyr Phe Val Tyr Ser Lys 
180                 185                 190 
GTA TAC TTC CGG GGT CAG TCT TGC AAC AGC CAG CCC CTA AGC CAC AAG   694 
Val Tyr Phe Arg Gly Gln Ser Cys Asn Ser Gln Pro Leu Ser His Lys 
195                 200                 205 
GTC TAT ATG AGG AAC TTT AAG TAT CCT GGG GAT CTG GTG CTA ATG GAG   742 
Val Tyr Met Arg Asn Phe Lys Tyr Pro Gly Asp Leu Val Leu Met Glu 
210                 215                 220 
GAG AAG AAG TTG AAT TAC TGC ACT ACT GGC CAG ATA TGG GCC CAC AGC   790 
Glu Lys Lys Leu Asn Tyr Cys Thr Thr Gly Gln Ile Trp Ala His Ser 
225                 230                 235 
AGC TAC CTA GGG GCA GTA TTT AAT CTT ACC GTT GCT GAC CAT TTA TAT   838 
Ser Tyr Leu Gly Ala Val Phe Asn Leu Thr Val Ala Asp His Leu Tyr 
240                 245                 250                 255 
GTC AAC ATA TCT CAA CTC TCT CTG ATC AAT TTT GAG GAA TCT AAG ACC   886 
Val Asn Ile Ser Gln Leu Ser Leu Ile Asn Phe Glu Glu Ser Lys Thr 
260                 265                 270 
TTT TTT GGC TTA TAT AAG CTT TAAAGGAAAA AGCATTTTAG AATGATCTAT      937 
Phe Phe Gly Leu Tyr Lys Leu 
275         278 
TATTCTTTAT CATGGATGCC AGGAATATTG TCTTCAATGA GAGTCTTCTT AAGACCAATT  997
GAGCCACAAA GACCACAAGG TCCAACAGGT CAGCTACCCT TCATTTTCTA GAGGTCCATG 1057
GAGTGGTCCT TAATGCCTGC ATCATGAGCC AGATGGGAAG AAGACTGTTC CTGAGGAACA 1117
TAAAGTTTTG GGCTGCTGTG TGGCAATGCA GAGGCAAAGA GAAGGAACTG TCTGATGTTA 1177
AATGGCCAAG AGCATTTTAG CCATTGAAGA AAAAAAAAAC CTTTAAACTC ACCTTCCAGG 1237
GTGGGTCTAC TTGCTACCTC ACAGGAGGCC GTCTTTTAGA CACATGGTTG TGGTATGACT 1297
ATACAAGGGT GAGAAAGGAT GCTAGGTTTC ATGGATAAGC TAGAGACTGA AAAAAGCCAG 1357
TGTCCCATTG GCATCATCTT TATTTTTAAC TGATGTTTTC TGAGCCCACC TTTGATGCTA 1417
ACAGAGAAAT AAGAGGGGTG TTTGAGGCAC AAGTCATTCT CTACATAGCA TGTGTACCTC 1477
CAGTGCAATG ATGTCTGTGT GTGTTTTTAT GTATGAGAGT AGAGCGATTC TAAAGAGTCA 1537
CATGAGTACA ACGCGTACAT TACGGAGTAC ATATTAGAAA CGTATGTGTT ACATTTGATG 1597
CTAGAATATC TGAATGTTTC TTGCTA                                      1623
<２１０>  26
<２１１>  426
<２１２>  PRT
<２１３>  human
<４００>  26
GATTTATTTC AGGC   14
AAG TCC AAC TCA AGG TCC ATG CCT CTG GAA TGG GAA GAC ACC TAT   59
Lys Ser Asn Ser Arg Ser Met Pro Leu Glu Trp Glu Asp Thr Tyr
5                  10                  15 
GGA ATT GTC CTG CTT TCT GGA GTG AAG TAT AAG AAG GGT GGC CTT  104
Gly Ile Val Leu Leu Ser Gly Val Lys Tyr Lys Lys Gly Gly Leu
20                  25                  30 
GTG ATC AAT GAA ACT GGG CTG TAC TTT GTA TAT TCC AAA GTA TAC  149
Val Ile Asn Glu Thr Gly Leu Tyr Phe Val Tyr Ser Lys Val Tyr
35                  40                  45 
TTC CGG GGT CAA TCT TGC AAC AAC CTG CCC CTG AGC CAC AAG GTC  194
Phe Arg Gly Gln Ser Cys Asn Asn Leu Pro Leu Ser His Lys Val
50                  55                  60 
TAC ATG AGG AAC TCT AAG TAT CCC CAG GAT CTG GTG ATG ATG GAG  239
Tyr Met Arg Asn Ser Lys Tyr Pro Gln Asp Leu Val Met Met Glu
65                  70                  75 
GGG AAG ATG ATG AGC TAC TGC ACT ACT GGG CAG ATG TGG GCC CGC  284
Gly Lys Met Met Ser Tyr Cys Thr Thr Gly Gln Met Trp Ala Arg
80                  85                  90 
AGC AGC TAC CTG GGG GCA GTG TTC AAT CTT ACC AGT GCT GAT CAT  329
Ser Ser Tyr Leu Gly Ala Val Phe Asn Leu Thr Ser Ala Asp His
95                 100                 105 
TTA TAT GTC AAC GTA TCT GAG CTC TCT CTG GTC AAT TTT GAG GAA  374
Leu Tyr Val Asn Val Ser Glu Leu Ser Leu Val Asn Phe Glu Glu
110                 115                 120 
TCT CAG ACG TTT TTC GGC TTA TAT AAG CTC TAA GAGAAGCACT       417
Ser Gln Thr Phe Phe Gly Leu Tyr Lys Leu 
125                 130 
TTGGGATTC                                                    426
<２１０>  27
<２１１>  2433
<２１２>  DNA
<２１３>  human
<４００>  27
AATTATAATG TATAAAAAAG CATGCAATTA TAATTCATAA AATTATAGCC CCACTGACCA   60
TTCTCCTGTA GCTGGGAGCA GTTCACACTA ACAGGGCTAT ACCCCCATGC TGACCTGCTC  120
TGCAGGATCC CAGGAAGGTG AGCATAGCCT ACTAACCTGT TTGGGTAGCA CAGCGACAGC  180
AACTGAGGCC TTGAAGGCTG TTATCAGAAA ATTGTGGGCG GAAACTTCCA GGGGTTTGCT  240
CTGAGCTTCT TGAGGCTTCT CAGCTTCAGC TGCAAAGTGA GTGGGTGTTT CTTTGAGAAG  300
CAGAATCAGA GAGAGAGAGA TAGAGAAAGA GAAAGACAGA GGTGTTTCCC TTAGCTATGG  360
AAACTCTATA AGAGAGATCC AGCTTGCCTC CTCTTGAGCA GTCAGCAACA GGGTCCCGTC  420
CTTGACACCT CAGCCTCTAC AGGACTGAGA AGAAGTAAAA CCGTTTGCTG GGGCTGGCCT  480
GACTCACCAG CTGCC ATG CAG CAG CCC TTC AAT TAC CCA TAT CCC CAG ATC   531
Met Gln Gln Pro Phe Asn Tyr Pro Tyr Pro Gln Ile  
1               5                  10
TAC TGG GTG GAC AGC AGT GCC AGC TCT CCC TGG GCC CCT CCA GGC ACA    579
Tyr Trp Val Asp Ser Ser Ala Ser Ser Pro Trp Ala Pro Pro Gly Thr 
15                 20                   25 
GTT CTT CCC TGT CCA ACC TCT GTG CCC AGA AGG CCT GGT CAA AGG AGG    627
Val Leu Pro Cys Pro Thr Ser Val Pro Arg Arg Pro Gly Gln Arg Arg 
30                  35                  40 
CCA CCA CCA CCA CCG CCA CCG CCA CCA CTA CCA CCT CCG CCG CCG CCG    675
Pro Pro Pro Pro Pro Pro Pro Pro Pro Leu Pro Pro Pro Pro Pro Pro 
45                  50                  55                  60 
CCA CCA CTG CCT CCA CTA CCG CTG CCA CCC CTG AAG AAG AGA GGG AAC    723
Pro Pro Leu Pro Pro Leu Pro Leu Pro Pro Leu Lys Lys Arg Gly Asn 
65                  70                  75 
CAC AGC ACA GGC CTG TGT CTC CTT GTG ATG TTT TTC ATG GTT CTG GTT    771
His Ser Thr Gly Leu Cys Leu Leu Val Met Phe Phe Met Val Leu Val 
80                  85                  90 
GCC TTG GTA GGA TTG GGC CTG GGG ATG TTT CAG CTC TTC CAC CTA CAG    819
Ala Leu Val Gly Leu Gly Leu Gly Met Phe Gln Leu Phe His Leu Gln 
95                 100                 105 
AAG GAG CTG GCA GAA CTC CGA GAG GTAAGCCTGC CGGCAGACTG CTGTGCCCTG   873
Lys Glu Leu Ala Glu Leu Arg Glu 
110                 115 
GAGGCACCAG GCATAAGGGG ATGGAGGGCC CACTGCCTGG C......... ..GATTCTGC  922
CTCTTTTGCT TAAAGAATTT TATTTTTATT ATACATCTTT TCTCTTTCTG TTTTACTAG   982
TCT ACC AGC CAG ATG CAC ACA GCA TCA TCT TTG GAG AAG CAA ATA G     1028
Ser Thr Ser Gln Met His Thr Ala Ser Ser Leu Glu Lys Gln Ile G 
120                 125                 130 
GTGAGTCTTT TTTCGCATGT ACATTGAGTT CCCAAAGATG ATCCTCAGCA CAGAACTATG 1088
TTAATGGAAT GCCTTAAATT CTGTCCCACA CTTTGGTTTC TGTACACTAT AAGAGGAATT 1148
C......... ....TTCCCA CCAAAATAAT AGTTGCTATT TCATTTTAAC ATATATTTTT 1195
CCTCTCTCTA TGATACAG                                               1213
GC CAC CCC AGT CCA CCC CCT GAA AAA AAG GAG CTG AGG AAA GTG GCC    1260
ly His Pro Ser Pro Pro Pro Glu Lys Lys Glu Leu Arg Lys Val Ala
135                 140                 145
CAT TTA ACA G GTCTGTATCT GGAAGGTACA GGTGAGAT.. ..........         1298
His Leu Thr G 
150 
...CTGCAGG TGAGAAGATG GACCAGATGG TCCCTAAGAT CCTTCCCAAC TTTAGAACTT 1355
TAGAGTTCCT TGGATTTGGC TTTTTCCTTC AGGAAAGGAC TTCAAAGCCT AGCAGATTTG 1415
GTGCTAGTTC TGAAGATAGT AAAATCTTTG TTCCAGAGAG CAAATATTTT CTCAATAATT 1475
TCTTACTGCA ATGGATTACG GGTATATACT ATTGTTCCAA TTGTGTGGAT GACAAAATAG 1535
GACAACGTTG TTGAGGAAAT TCTGTGATGG ATCAAGTTCT GACCCCTCAG CCAGTTCTAT 1595
ACCAGCTGTC ATTCTGGGTG AAACATTTGT TGAAGGAAGG GCCCACAGTT TTGCCTTAGA 1655
AACTTAGTTT GTTGGATGCA TGACTATTCC TTGCTGAAAG CTCCTTTTGG ATTTATTTCA 1715
G GC AAG TCC AAC TCA AGG TCC ATG CCT CTG GAA TGG GAA GAC ACC TAT  1763
ly Lys Ser Asn Ser Arg Ser Met Pro Leu Glu Trp Glu Asp Thr Tyr
155                 160                 165
GGA ATT GTC CTG CTT TCT GGA GTG AAG TAT AAG AAG GGT GGC CTT GTG   1811
Gly Ile Val Leu Leu Ser Gly Val Lys Tyr Lys Lys Gly Gly Leu Val 
170                 175                 180 
ATC AAT GAA ACT GGG CTG TAC TTT GTA TAT TCC AAA GTA TAC TTC CGG   1859
Ile Asn Glu Thr Gly Leu Tyr Phe Val Tyr Ser Lys Val Tyr Phe Arg 
185                 190                 195 
GGT CAA TCT TGC AAC AAC CTG CCC CTG AGC CAC AAG GTC TAC ATG AGG   1907
Gly Gln Ser Cys Asn Asn Leu Pro Leu Ser His Lys Val Tyr Met Arg 
200                 205                 210 
AAC TCT AAG TAT CCC CAG GAT CTG GTG ATG ATG GAG GGG AAG ATG ATG   1955
Asn Ser Lys Tyr Pro Gln Asp Leu Val Met Met Glu Gly Lys Met Met 
215                 220                 225                 230 
AGC TAC TGC ACT ACT GGG CAG ATG TGG GCC CGC AGC AGC TAC CTG GGG   2003
Ser Tyr Cys Thr Thr Gly Gln Met Trp Ala Arg Ser Ser Tyr Leu Gly 
235                 240                 245 
GCA GTG TTC AAT CTT ACC AGT GCT GAT CAT TTA TAT GTC AAC GTA TCT   2051
Ala Val Phe Asn Leu Thr Ser Ala Asp His Leu Tyr Val Asn Val Ser 
250                 255                 260 
GAG CTC TCT CTG GTC AAT TTT GAG GAA TCT CAG ACG TTT TTC GGC TTA   2099
Glu Leu Ser Leu Val Asn Phe Glu Glu Ser Gln Thr Phe Phe Gly Leu 
265                 270                 275 
TAT AAG CTC TAA GAGAAGCACT TTGGGATTCT TTCCATTATG ATTCTTTGTT       2151
Tyr Lys Leu 
281 
ACAGGCACCG AGAATGTTGT ATTCAGTGAG GGTCTTCTTA CATGCATTTG AGGTCAAGTA 2211
AGAAGACATG AACCAAGTGG ACCTTGAGAC CACAGGGTTC AAAATGTCTG TAGCTCCTCA 2271
ACTCACCTAA TGTTTATGAG CCAGACAAAT GGAGGAATAT GACGGAAGAA CATAGAACTC 2231
TGGGCTGCCA TGTGAAGAGG GAGAAGCATG AAAAAGCAGC TACCAGGTGT TCTACACTCA 2391
TCTTAGTGCC TGAGAGTATT TAGGCAGATT GAAAAGGACA CC                    2433
<２１０>  28
<２１１>  1707
<２１２>  DNA
<２１３>  mouse
<４００>  28
CTGCGGAAAC TTTATAAAGA AAACTTAGCT TCTCTGGAGC AGTCAGCGTC AGAGTTCTGT   60
CCTTGACACC TGAGTCTCCT CCACAAGGCT GTGAGAAGGA AACCCTTTCC TGGGGCTGGG  120
TGCC ATG CAG CAG CCC ATG AAT TAC CCA TGT CCC CAG ATC TTC TGG GTA   169
Met Gln Gln Pro Met Asn Tyr Pro Cys Pro Gln Ile Phe Trp Val  
1               5                  10                  15
GAC AGC AGT GCC ACT TCA TCT TGG GCT CCT CCA GGG TCA GTT TTT CCC    217
Asp Ser Ser Ala Thr Ser Ser Trp Ala Pro Pro Gly Ser Val Phe Pro 
20                  25                  30 
TGT CCA TCT TGT GGG CCT AGA GGG CCG GAC CAA AGG AGA CCG CCA CCT    265
Cys Pro Ser Cys Gly Pro Arg Gly Pro Asp Gln Arg Arg Pro Pro Pro 
35                  40                  45 
CCA CCA CCA CCT GTG TCA CCA CTA CCA CCG CCA TCA CAA CCA CTC CCA    313
Pro Pro Pro Pro Val Ser Pro Leu Pro Pro Pro Ser Gln Pro Leu Pro 
50                  55                  60 
CTG CCG CCA CTG ACC CCT CTA AAG AAG AAG GAC CAC AAC ACA AAT CTG    361
Leu Pro Pro Leu Thr Pro Leu Lys Lys Lys Asp His Asn Thr Asn Leu 
65                  70                  75 
TGG CTA CCG GTG GTA TTT TTC ATG GTT CTG GTG GCT CTG GTT GGA ATG    409
Trp Leu Pro Val Val Phe Phe Met Val Leu Val Ala Leu Val Gly Met 
80                  85                  90                  95 
GGA TTA GGA ATG TAT CAG CTC TTC CAC CTG CAG AAG GAA CTG GCA GAA    457
Gly Leu Gly Met Tyr Gln Leu Phe His Leu Gln Lys Glu Leu Ala Glu 
100                 105                 110 
CTC CGT GAG TTC ACC AAC CAA AGC CTT AAA GTA TCA TCT TTT GAA AAG    505
Leu Arg Glu Phe Thr Asn Gln Ser Leu Lys Val Ser Ser Phe Glu Lys 
115                 120                 125 
CAA ATA GCC AAC CCC AGT ACA CCC TCT GAA AAA AAA GAG CCG AGG AGT    553
Gln Ile Ala Asn Pro Ser Thr Pro Ser Glu Lys Lys Glu Pro Arg Ser 
130                 135                 140 
GTG GCC CAT TTA ACA GGG AAC CCC CAC TCA AGG TCC ATC CCT CTG GAA    601
Val Ala His Leu Thr Gly Asn Pro His Ser Arg Ser Ile Pro Leu Glu 
145                 150                 155 
TGG GAA GAC ACA TAT GGA ACC GCT CTG ATC TCT GGA GTG AAG TAT AAG    649
Trp Glu Asp Thr Tyr Gly Thr Ala Leu Ile Ser Gly Val Lys Tyr Lys 
160                 165                 170                 175 
AAA GGT GGC CTT GTG ATC AAC GAA ACT GGG TTG TAC TTC GTG TAT TCC    697
Lys Gly Gly Leu Val Ile Asn Glu Thr Gly Leu Tyr Phe Val Tyr Ser 
180                 185                 190 
AAA GTA TAC TTC CGG GGT CAG TCT TGC AAC AAC CAG CCC CTA AAC CAC    745
Lys Val Tyr Phe Arg Gly Gln Ser Cys Asn Asn Gln Pro Leu Asn His 
195                 200                 205 
AAG GTC TAT ATG AGG AAC TCT AAG TAT CCT GAG GAT CTG GTG CTA ATG    793
Lys Val Tyr Met Arg Asn Ser Lys Tyr Pro Glu Asp Leu Val Leu Met 
210                 215                 220 
GAG GAG AAG AGG TTG AAC TAC TGC ACT ACT GGA CAG ATA TGG GCC CAC    841
Glu Glu Lys Arg Leu Asn Tyr Cys Thr Thr Gly Gln Ile Trp Ala His 
225                 230                 235 
AGC AGC TAC CTG GGG GCA GTA TTC AAT CTT ACC AGT GCT GAC CAT TTA    889
Ser Ser Tyr Leu Gly Ala Val Phe Asn Leu Thr Ser Ala Asp His Leu 
240                 245                 250                 255 
TAT GTC AAC ATA TCT CAA CTC TCT CTG ATC AAT TTT GAG GAA TCT AAG    937
Tyr Val Asn Ile Ser Gln Leu Ser Leu Ile Asn Phe Glu Glu Ser Lys 
260                 265                 270 
ACC TTT TTC GGC TTG TAT AAG CTT TAA AAGAAAAAGC ATTTTAAAAT          984
Thr Phe Phe Gly Leu Tyr Lys Leu 
275            279
GATCTACTAT TCTTTATCAT GGGCACCAGG AATATTGTCT TGAATGAGAG TCTTCTTAAG 1044
ACCTATTGAG ATTAATTAAG ACTACATGAG CCACAAAGAC CTCATGACCG CAAGGTCCAA 1104
CAGGTCAGCT ATCCTTCATT TTCTCGAGGT CCATGGAGTG GTCCTTAATG CCTGCATCAT 1164
GAGCCAGATG GAAGGAGGTC TGTGACTGAG GGACATAAAG CTTTGGGCTG CTGTGTGACA 1224
ATGCAGAGGC ACAGAGAAAG AACTGTCTGA TGTTAAATGG CCAAGAGAAT TTTAACCATT 1284
GAAG----AA GACACCTTTA CACTCA-CTT CCAGGGTGGG TCTACTTACT ACCTCACAG- 1338
AGGCCGTTTT TGAGACATA- -GTTGTGGTA TGAATATACA AGGGTGAGAA AGGAGGCT-C 1395
ATTTGACTGA TAAGCTAGAG ACTGAAAAAA AGACAGTGTC TCATTGGCAC CATCTTTACT 1455
GTTACCTAAT GTTTTCTGAG CCGACCTTTG ATCCTAACGG AGAAGTAAGA GGGATGTTTG 1515
AGGCACAAAT CATTCTCTAC ATAGCATGCA TACCTCCAGT GCAATGATGT CTGTGTGT-- 1573
TTGTATGTAT GAGAGCAAAC AGATTCTAAG GAGTCATATA AATAAAATAT GTACATTATG 1633
GAGTACATAT TAGAAACC-- --TGTTACAT TTGATGCTAG A-TATCTGAA TGTTTCTTGG 1688
CAATAAACTC TAATAGTCT                                              1707
<２１０>  29
<２１１>  924
<２１２>  DNA
<２１３>  human
<４００>  29
gaatcccaaa  gtgcttctct  tagagcttat  ataagccgaa  aaacgtctga    50
gattcctcaa  aattgaccag  agagagctca  gatacgttga  catataaatg   100
atcagcactg  gtaagattga  acactgcccc  caggtagctg  ctgcgggccc   150
acatctgccc  agtagtgcag  tagctcatca  tcttcccctc  catcatcacc   200
agatcctggg  gatacttaga  gttcctcatg  tagaccttgt  ggctcagggg   250
caggttgttg  caagattgac  cccggaagta  tactttggaa  tatacaaagt   300
acagcccagt  ttcattgatc  acaaggccac  ccttcttata  cttcactcca   350
gaaagcagga  caattccata  ggtgtcttcc  cattccagag  gcatggacct   400
tgagttggac  ttgcctgtta  aatgggccac  tttcctcagc  tccttttttt   450
cagggggtgg  actggggtgg  cctatttgct  tctccaaaga  tgatgctgtg   500
tgcatctggc  tggtagactc  tcggagttct  gccagctcct  tctgtaggtg   550
gaagagctga  aacatcccca  ggcccaatcc  taccaaggca  accagaacca   600
tgaaaaacat  cacaaggaga  cacaggcctg  tgctgtggtt  ccctctcttc   650
ttcaggggtg  gcagcggtag  tggaggcagt  ggtggcggcg  gcggcggagg   700
tggtagtggt  ggcggtggcg  gtggtggtgg  tggcctcctt  tgaccaggcc   750
ttctgggcac  agaggttgga  cagggaagaa  ctgtgcctgg  aggggcccag   800
ggagagctgg  cactgctgtc  cacccagtag  atctggggat  atgggtaatt   850
gaagggctgc  tgcatggcag  ctggtgagtc  aggccagccc  cagcaaacgg   900
ttttacttct  tctcagtcct  gtag                                 924
<２１０>  30
<２１１>  924
<２１２>  DNA
<２１３>  human
<４００>  30
gaaucccaaa  gugcuucucu  uagagcuuau  auaagccgaa  aaacgucuga    50
gauuccucaa  aauugaccag  agagagcuca  gauacguuga  cauauaaaug   100
aucagcacug  guaagauuga  acacugcccc  cagguagcug  cugcgggccc   150
acaucugccc  aguagugcag  uagcucauca  ucuuccccuc  caucaucacc   200
agauccuggg  gauacuuaga  guuccucaug  uagaccuugu  ggcucagggg   250
cagguuguug  caagauugac  cccggaagua  uacuuuggaa  uauacaaagu   300
acagcccagu  uucauugauc  acaaggccac  ccuucuuaua  cuucacucca   350
gaaagcagga  caauuccaua  ggugucuucc  cauuccagag  gcauggaccu   400
ugaguuggac  uugccuguua  aaugggccac  uuuccucagc  uccuuuuuuu   450
cagggggugg  acuggggugg  ccuauuugcu  ucuccaaaga  ugaugcugug   500
ugcaucuggc  ugguagacuc  ucggaguucu  gccagcuccu  ucuguaggug   550
gaagagcuga  aacaucccca  ggcccaaucc  uaccaaggca  accagaacca   600
Ugaaaaacau  cacaaggaga  cacaggccug  ugcugugguu  cccucucuuc   650
Uucaggggug  gcagcgguag  uggaggcagu  gguggcggcg  gcggcggagg   700
Ugguaguggu  ggcgguggcg  gugguggugg  uggccuccuu  ugaccaggcc   750
Uucugggcac  agagguugga  cagggaagaa  cugugccugg  aggggcccag   800
Ggagagcugg  cacugcuguc  cacccaguag  aucuggggau  auggguaauu   850
Gaagggcugc  ugcauggcag  cuggugaguc  aggccagccc  cagcaaacgg   900
Uuuuacuucu  ucucaguccu  guag                                 924
<２１０>  31
<２１１>  924
<２１２>  DNA
<２１３>  human
<４００>  31
ctacaggact    10
gagaagaagt  aaaaccgttt  gctggggctg  gcctgactca  ccagctgcca    60
tgcagcagcc  cttcaattac  ccatatcccc  agatctactg  ggtggacagc   110
agtgccagct  ctccctgggc  ccctccaggc  acagttcttc  cctgtccaac   160
ctctgtgccc  agaaggcctg  gtcaaaggag  gccaccacca  ccaccgccac   210
cgccaccact  accacctccg  ccgccgccgc  caccactgcc  tccactaccg   260
ctgccacccc  tgaagaagag  agggaaccac  agcacaggcc  tgtgtctcct   310
tgtgatgttt  ttcatggttc  tggttgcctt  ggtaggattg  ggcctgggga   360
tgtttcagct  cttccaccta  cagaaggagc  tggcagaact  ccgagagtct   410
accagccaga  tgcacacagc  atcatctttg  gagaagcaaa  taggccaccc   460
cagtccaccc  cctgaaaaaa  aggagctgag  gaaagtggcc  catttaacag   510
gcaagtccaa  ctcaaggtcc  atgcctctgg  aatgggaaga  cacctatgga   560
attgtcctgc  tttctggagt  gaagtataag  aagggtggcc  ttgtgatcaa   610
tgaaactggg  ctgtactttg  tatattccaa  agtatacttc  cggggtcaat   660
cttgcaacaa  cctgcccctg  agccacaagg  tctacatgag  gaactctaag   710
tatccccagg  atctggtgat  gatggagggg  aagatgatga  gctactgcac   760
tactgggcag  atgtgggccc  gcagcagcta  cctgggggca  gtgttcaatc   810
ttaccagtgc  tgatcattta  tatgtcaacg  tatctgagct  ctctctggtc   860
aattttgagg  aatctcagac  gtttttcggc  ttatataagc  tctaagagaa   910
gcactttggg  attc                                             924
<２１０>  32
<２１１>  927
<２１２>  DNA
<２１３>  mouse
<４００>  32
ga  gaaggaaacc  ctttcctggg  gctgggtgcc    32
atgcagcagc  ccatgaatta  cccatgtccc  cagatcttct  gggtagacag    82
cagtgccact  tcatcttggg  ctcctccagg  gtcagttttt  ccctgtccat   132
cttgtgggcc  tagagggccg  gaccaaagga  gaccgccacc  tccaccacca   182
cctgtgtcac  cactaccacc  gccatcacaa  ccactcccac  tgccgccact   232
gacccctcta  aagaagaagg  accacaacac  aaatctgtgg  ctaccggtgg   282
tatttttcat  ggttctggtg  gctctggttg  gaatgggatt  aggaatgtat   332
cagctcttcc  acctgcagaa  ggaactggca  gaactccgtg  agttcaccaa   382
ccaaagcctt  aaagtatcat  cttttgaaaa  gcaaatagcc  aaccccagta   432
caccctctga  aaaaaaagag  ccgaggagtg  tggcccattt  aacagggaac   482
ccccactcaa  ggtccatccc  tctggaatgg  gaagacacat  atggaaccgc   532
tctgatctct  ggagtgaagt  ataagaaagg  tggccttgtg  atcaacgaaa   582
ctgggttgta  cttcgtgtat  tccaaagtat  acttccgggg  tcagtcttgc   632
aacaaccagc  ccctaaacca  caaggtctat  atgaggaact  ctaagtatcc   682
tgaggatctg  gtgctaatgg  aggagaagag  gttgaactac  tgcactactg   732
gacagatatg  ggcccacagc  agctacctgg  gggcagtatt  caatcttacc   782
agtgctgacc  atttatatgt  caacatatct  caactctctc  tgatcaattt   832
tgaggaatct  aagacctttt  tcggcttgta  taagctttaa  aagaaaaagc   882
attttaaaat  gatctactat  tctttatcat  gggcaccagg  aatat        927
<２１０>  33
<２１１>  20
<２１２>  DNA
<２１３>  mouse
<４００>  33
gattttcaaccactcagtcg  20
<２１０>  34
<２１１>  37
<２１２>  DNA
<２１３>  mouse
<４００>  34
atgcggccgctggatcctttgtatgaaattgagtaat   37
<２１０>  35
<２１１>  24
<２１２>  DNA
<２１３>  human
<４００>  35
atgcccaagtgactgacatcaact  24
<２１０>  36
<２１１>  50
<２１２>  DNA
<２１３>  human 
<４００>  36
gcgcggatccaggaagtgggaaaggattaccttcctctttgcacttggtg  50
<２１０>  37
<２１１>  10
<２１２>  DNA
<２１３>  eukaryotes
<４００>  37
ccagccatgg   10
<２１０>  38
<２１１>  20
<２１２>  DNA
<２１３>  rat
<４００>  38
aagaccacaaggtccaacag  20
<２１０>  39
<２１１>  20
<２１２>  DNA
<２１３>  rat
<４００>  39
ggtgagaaaggatgctaggt  20
<２１０>  40
<２１１>  20
<２１２>  DNA
<２１３>  rat
<４００>  40
catggataagctagagactg   20 
<２１０>  41
<２１１>  20
<２１２>  DNA
<２１３>  rat
<４００>  41
gtacaacgcgtacattacgg  20
<２１０>  42
<２１１>  925
<２１２>  DNA
<２１３>  rat
<４００>  42
aggaggaa  accctttcct  ggggctgggt    28
gccatgcagc  agcccgtgaa  ttacccatgt  ccccagatct  actgggtaga    78
cagcagtgcc  acttctcctt  gggctcctcc  agggtcagtt  ttttcttgtc   128
catcctctgg  gcctagaggg  ccaggacaaa  ggagaccacc  gcctccacca   178
ccacctccat  caccactacc  accgccttcc  caaccacccc  cgctgcctcc   228
actaagccct  ctaaagaaga  aggacaacat  agagctgtgg  ctaccggtga   278
tatttttcat  ggtgctggtg  gctctggttg  gaatggggtt  aggaatgtat   328
caactctttc  atctacagaa  ggaactggca  gaactccgtg  agttcaccaa   378
ccacagcctt  agagtatcat  cttttgaaaa  gcaaatagcc  aaccccagca   428
caccctctga  aaccaaaaag  ccaaggagtg  tggcccactt  aacagggaac   478
ccccgctcaa  ggtccatccc  tctggaatgg  gaagacacat  atggaactgc   528
tttgatctct  ggagtgaagt  ataagaaagg  cggccttgtg  atcaatgagg   578
ctgggttgta  cttcgtatat  tccaaagtat  acttccgggg  tcagtcttgc   628
aacagccagc  ccctaagcca  caaggtctat  atgaggaact  ttaagtatcc   678
tggggatctg  gtgctaatgg  aggagaagaa  gttgaattac  tgcactactg   728
gccagatatg  ggcccacagc  agctacctag  gggcagtatt  taatcttacc   778
gttgctgacc  atttatatgt  caacatatct  caactctctc  tgatcaattt   828
tgaggaatct  aagacctttt  ttggcttata  taagctttaa  aggaaaaagc   878
attttagaat  gatctattat  tctttatcat  ggatgccagg  aatattg      925
<２１０>  43
<２１１>  20
<２１２>  DNA
<２１３>  rat
<４００>  43
agaactccgtgagttcacca  20
<２１０>  44
<２１１>  20
<２１２>  DNA
<２１３>  rat
<４００>  44
caatattcctggcatccatg  20
<２１０>  45
<２１１>  568
<２１２>  DNA
<２１３>  rat
<４００>  45
agaactc     7
cgtgagttca  ccaaccacag  ccttagagta  tcatcttttg  aaaagcaaat    57
agccaacccc  agcacaccct  ctgaaaccaa  aaagccaagg  agtgtggccc   107
acttaacagg  gaacccccgc  tcaaggtcca  tccctctgga  atgggaagac   157
acatatggaa  ctgctttgat  ctctggagtg  aagtataaga  aaggcggcct   207
tgtgatcaat  gaggctgggt  tgtacttcgt  atattccaaa  gtatacttcc   257
ggggtcagtc  ttgcaacagc  cagcccctaa  gccacaaggt  ctatatgagg   307
aactttaagt  atcctgggga  tctggtgcta  atggaggaga  agaagttgaa   357
ttactgcact  actggccaga  tatgggccca  cagcagctac  ctaggggcag   407
tatttaatct  taccgttgct  gaccatttat  atgtcaacat  atctcaactc   457
tctctgatca  attttgagga  atctaagacc  ttttttggct  tatataagct   507
ttaaaggaaa  aagcatttta  gaatgatcta  ttattcttta  tcatggatgc   557
caggaatatt  g                                                568
<２１０>  46
<２１１>  191
<２１２>  DNA
<２１３>  rat
<４００>  46
aggaggaa  accctttcct  ggggctgggt    28
gccatgcagc  agcccgtgaa  ttacccatgt  ccccagatct  actgggtaga    78
cagcagtgcc  acttctcctt  gggctcctcc  agggtcagtt  ttttcttgtc   128
catcctctgg  gcctagaggg  ccaggacaaa  ggagaccacc  gcctccacca   178
ccacctccat  cac                                              191
<２１０>  47
<２１１>  444
<２１２>  DNA
<２１３>  rat
<４００>  47
cgctcaa  ggtccatccc  tctggaatgg    27
gaagacacat  atggaactgc  tttgatctct  ggagtgaagt  ataagaaagg    77
cggccttgtg  atcaatgagg  ctgggttgta  cttcgtatat  tccaaagtat   127
acttccgggg  tcagtcttgc  aacagccagc  ccctaagcca  caaggtctat   177
atgaggaact  ttaagtatcc  tggggatctg  gtgctaatgg  aggagaagaa   227
gttgaattac  tgcactactg  gccagatatg  ggcccacagc  agctacctag   277
gggcagtatt  taatcttacc  gttgctgacc  atttatatgt  caacatatct   327
caactctctc  tgatcaattt  tgaggaatct  aagacctttt  ttggcttata   377
taagctttaa  aggaaaaagc  attttagaat  gatctattat  tctttatcat   427
ggatgccagg  aatattg                                          444
<２１０>  48
<２１１>  28
<２１２>  DNA
<２１３>  human
<４００>  48
gctctagactacaggactgagaagaagt  28
<２１０>  49
<２１１>  28
<２１２>  DNA
<２１３>  human
<４００>  49
gctctagaacattctcggtgcctgtaac  28
<２１０>  50
<２１１>  28
<２１２>  DNA
<２１３>  mouse
<４００>  50
gctctagagagaaggaaaccctttcctg  28
<２１０>  51
<２１１>  28
<２１２>  DNA
<２１３>  mouse
<４００>  51
gctctagaatattcctggtgcccatgat  28
<２１０>  52
<２１１>  11
<２１２>  PRT
<２１３>  human
<４００>  52
Leu Val Met Met Glu Gly Lys Met Met Ser Tyr 
1               5                      11 
<２１０>  53
<２１１>  20
<２１２>  PRT
<２１３>  human
<４００>  53
Lys Ser Asn Ser Arg Ser Met Pro Leu Glu Trp Glu Asp Thr Tyr 
1               5                  10                  15 
Gly Ile Val Leu Leu 
20 
<２１０>  54
<２１１>  16
<２１２>  PRT
<２１３>  human
<４００>  54
Ser Lys Tyr Pro Gln Asp Leu Val Met Met Glu Gly Lys Met Met Ser 
1               5                  10                  15  16 
<２１０>  55
<２１１>  13
<２１２>  PRT
<２１３>  human
<４００>  55
Leu Ser Leu Val Asn Phe Glu Glu Ser Gln Thr Phe Phe 
1               5                  10          13 
<２１０>  56
<２１１>  24
<２１２>  DNA
<２１３>  human
<４００>  56
cacctgcagaaggagctggcagaa  24
<２１０>  57
<２１１>  33
<２１２>  DNA
<２１３>  human
<４００>  57
aataagcttggtaccctattagagcttatataa  33 
<２１０>  58
<２１１>  27
<２１２>  DNA
<２１３>  human
<４００>  58
tgcgaattcaccatgctgggcatctgg  27 
<２１０>  59
<２１１>  36
<２１２>  DNA
<２１３>  human
<４００>  59
aacctgcaggtggaagagctgagcaacagacgtaag  36
<２１０>  60
<２１１>  15
<２１２>  PRT
<２１３>  human
<４００>  60
Pro Ser Pro Pro Pro Glu Lys Lys Glu Leu Arg Lys Val Ala His 
1               5                  10                  15 
<２１０>  61
<２１１>  22
<２１２>  DNA
<２１３>  human
<４００>  61
taaaaccgtttgctggggctgg  22
<２１０>  62
<２１１>  22
<２１２>  DNA
<２１３>  human
<４００>  62
ccagccccagcaaacggtttta  22
<２１０>  63
<２１１>  20
<２１２>  DNA
<２１３>  human
<４００>  63
accagctgccatgcagcagc  20
<２１０>  64
<２１１>  20
<２１２>  DNA
<２１３>  human
<４００>  64
gctgctgcatggcagctggt  20
<２１０>  65
<２１１>  22
<２１２>  DNA
<２１３>  human
<４００>  65
ctgtgcccagaaggcctggtca  22
<２１０>  66
<２１１>  22
<２１２>  DNA
<２１３>  human
<４００>  66
tgaccaggccttctgggcacag  22
<２１０>  67
<２１１>  18
<２１２>  DNA
<２１３>  human
<４００>  67
cttggtaggattgggcct  18
<２１０>  68
<２１１>  18
<２１２>  DNA
<２１３>  human
<４００>  68
aggcccaatcctaccaag  18
<２１０>  69
<２１１>  22
<２１２>  DNA
<２１３>  human
<４００>  69
agctgaggaaagtggcccattt  22
<２１０>  70
<２１１>  22
<２１２>  DNA
<２１３>  human
<４００>  70
aaatgggccactttcctcagct  22
<２１０>  71
<２１１>  20
<２１２>  DNA
<２１３>  human
<４００>  71
ccccaggatctggtgatgat  20
<２１０>  72
<２１１>  20
<２１２>  DNA
<２１３>  human
<４００>  72
atcatcaccagatcctgggg  20
<２１０>  73
<２１１>  20
<２１２>  DNA
<２１３>  human
<４００>  73
agagaagcactttgggattc  20
<２１０>  74
<２１１>  20
<２１２>  DNA
<２１３>  human
<４００>  74
gaatcccaaagtgcttctct  20
<２１０>  75
<２１１>  5
<２１２>  PRT
<２１３>  human
<４００>  75
Lys Glu Leu Arg Lys
1               5 
<２１０>  76
<２１１>  141
<２１２>  PRT
<２１３>  human
<４００>  76
Lys Glu Leu Arg Lys Val Ala His Leu Thr Gly Lys Ser Asn Ser 
1               5                  10                  15 
Arg Ser Met Pro Leu Glu Trp Glu Asp Thr Tyr Gly Ile Val Leu 
20                  25                   30
Leu Ser Gly Val Lys Tyr Lys Lys Gly Gly Leu Val Ile Asn Glu 
35                  40                  45 
Thr Gly Leu Tyr Phe Val Tyr Ser Lys Val Tyr Phe Arg Gly Gln 
50                  55                  60 
Ser Cys Asn Asn Leu Pro Leu Ser His Lys Val Tyr Met Arg Asn 
65                  70                  75 
Ser Lys Tyr Pro Gln Asp Leu Val Met Met Glu Gly Lys Met Met 
80                  85                  90 
Ser Tyr Cys Thr Thr Gly Gln Met Trp Ala Arg Ser Ser Tyr Leu 
95                 100                 105 
Gly Ala Val Phe Asn Leu Thr Ser Ala Asp His Leu Tyr Val Asn 
110                 115                 120 
Val Ser Glu Leu Ser Leu Val Asn Phe Glu Glu Ser Gln Thr Phe 
125                 130                 135 
Phe Gly Leu Tyr Lys Leu 
140 141 
<２１０>  77
<２１１>  139
<２１２>  PRT
<２１３>  human
<４００>  77
Leu Arg Lys Val Ala His Leu Thr Gly Lys Ser Asn Ser Arg Ser 
1               5                  10                  15 
Met Pro Leu Glu Trp Glu Asp Thr Tyr Gly Ile Val Leu Leu Ser 
20                  25                  30 
Gly Val Lys Tyr Lys Lys Gly Gly Leu Val Ile Asn Glu Thr Gly 
35                  40                  45 
Leu Tyr Phe Val Tyr Ser Lys Val Tyr Phe Arg Gly Gln Ser Cys 
50                  55                  60 
Asn Asn Leu Pro Leu Ser His Lys Val Tyr Met Arg Asn Ser Lys 
65                  70                  75 
Tyr Pro Gln Asp Leu Val Met Met Glu Gly Lys Met Met Ser Tyr 
80                  85                  90 
Cys Thr Thr Gly Gln Met Trp Ala Arg Ser Ser Tyr Leu Gly Ala 
95                 100                 105 
Val Phe Asn Leu Thr Ser Ala Asp His Leu Tyr Val Asn Val Ser 
110                 115                 120 
Glu Leu Ser Leu Val Asn Phe Glu Glu Ser Gln Thr Phe Phe Gly 
125                 130                 135 
Leu Tyr Lys Leu 
139 
<２１０>  78
<２１１>  138
<２１２>  PRT
<２１３>  human
<４００>  78
Arg Lys Val Ala His Leu Thr Gly Lys Ser Asn Ser Arg Ser Met 
1               5                  10                  15 
Pro Leu Glu Trp Glu Asp Thr Tyr Gly Ile Val Leu Leu Ser Gly 
20                  25                  30 
Val Lys Tyr Lys Lys Gly Gly Leu Val Ile Asn Glu Thr Gly Leu 
35                  40                  45 
Tyr Phe Val Tyr Ser Lys Val Tyr Phe Arg Gly Gln Ser Cys Asn 
50                  55                  60 
Asn Leu Pro Leu Ser His Lys Val Tyr Met Arg Asn Ser Lys Tyr 
65                  70                  75 
Pro Gln Asp Leu Val Met Met Glu Gly Lys Met Met Ser Tyr Cys 
80                  85                  90 
Thr Thr Gly Gln Met Trp Ala Arg Ser Ser Tyr Leu Gly Ala Val 
95                 100                 105 
Phe Asn Leu Thr Ser Ala Asp His Leu Tyr Val Asn Val Ser Glu 
110                 115                 120 
Leu Ser Leu Val Asn Phe Glu Glu Ser Gln Thr Phe Phe Gly Leu 
125                 130                 135 
Tyr Lys Leu 
138 
<２１０>  79
<２１１>  137
<２１２>  PRT
<２１３>  human
<４００>  79
Lys Val Ala His Leu Thr Gly Lys Ser Asn Ser Arg Ser Met Pro 
1               5                  10                  15 
Leu Glu Trp Glu Asp Thr Tyr Gly Ile Val Leu Leu Ser Gly Val 
20                  25                  30 
Lys Tyr Lys Lys Gly Gly Leu Val Ile Asn Glu Thr Gly Leu Tyr 
35                  40                  45 
Phe Val Tyr Ser Lys Val Tyr Phe Arg Gly Gln Ser Cys Asn Asn 
50                  55                  60 
Leu Pro Leu Ser His Lys Val Tyr Met Arg Asn Ser Lys Tyr Pro 
65                  70                  75 
Gln Asp Leu Val Met Met Glu Gly Lys Met Met Ser Tyr Cys Thr 
80                  85                  90 
Thr Gly Gln Met Trp Ala Arg Ser Ser Tyr Leu Gly Ala Val Phe 
95                 100                 105 
Asn Leu Thr Ser Ala Asp His Leu Tyr Val Asn Val Ser Glu Leu 
110                 115                 120 
Ser Leu Val Asn Phe Glu Glu Ser Gln Thr Phe Phe Gly Leu Tyr 
125                 130                 135 
Lys Leu 
137 
<２１０>  80
<２１１>  136
<２１２>  PRT
<２１３>  human
<４００>  80
Val Ala His Leu Thr Gly Lys Ser Asn Ser Arg Ser Met Pro Leu 
1               5                  10                  15 
Glu Trp Glu Asp Thr Tyr Gly Ile Val Leu Leu Ser Gly Val Lys 
20                  25                  30 
Tyr Lys Lys Gly Gly Leu Val Ile Asn Glu Thr Gly Leu Tyr Phe 
35                  40                  45 
Val Tyr Ser Lys Val Tyr Phe Arg Gly Gln Ser Cys Asn Asn Leu 
50                  55                  60 
Pro Leu Ser His Lys Val Tyr Met Arg Asn Ser Lys Tyr Pro Gln 
65                  70                  75 
Asp Leu Val Met Met Glu Gly Lys Met Met Ser Tyr Cys Thr Thr 
80                  85                  90 
Gly Gln Met Trp Ala Arg Ser Ser Tyr Leu Gly Ala Val Phe Asn 
95                 100                 105 
Leu Thr Ser Ala Asp His Leu Tyr Val Asn Val Ser Glu Leu Ser 
110                 115                 120 
Leu Val Asn Phe Glu Glu Ser Gln Thr Phe Phe Gly Leu Tyr Lys 
125                 130                 135 
Leu 
136 
<２１０>  81
<２１１>  178
<２１２>  PRT
<２１３>  human
<４００>  81
Gln Leu Phe His Leu Gln Lys Glu Leu Ala Glu Leu Arg Glu Ser 
1               5                  10                  15 
Thr Ser Gln Met His Thr Ala Ser Ser Leu Glu Lys Gln Ile Gly 
20                  25                  30 
His Pro Ser Pro Pro Pro Glu Lys Lys Glu Leu Arg Lys Val Ala 
35                  40                  45 
His Leu Thr Gly Lys Ser Asn Ser Arg Ser Met Pro Leu Glu Trp 
50                  55                  60 
Glu Asp Thr Tyr Gly Ile Val Leu Leu Ser Gly Val Lys Tyr Lys 
65                  70                  75 
Lys Gly Gly Leu Val Ile Asn Glu Thr Gly Leu Tyr Phe Val Tyr 
80                  85                  90 
Ser Lys Val Tyr Phe Arg Gly Gln Ser Cys Asn Asn Leu Pro Leu 
95                 100                 105 
Ser His Lys Val Tyr Met Arg Asn Ser Lys Tyr Pro Gln Asp Leu 
110                 115                 120 
Val Met Met Glu Gly Lys Met Met Ser Tyr Cys Thr Thr Gly Gln 
125                 130                 135 
Met Trp Ala Arg Ser Ser Tyr Leu Gly Ala Val Phe Asn Leu Thr 
140                 145                 150 
Ser Ala Asp His Leu Tyr Val Asn Val Ser Glu Leu Ser Leu Val 
155                 160                 165 
Asn Phe Glu Glu Ser Gln Thr Phe Phe Gly Leu Tyr Lys 
170                 175         178 
<２１０>  82
<２１１>  45
<２１２>  DNA
<２１３>  human
<４００>  82
cttctgcaggtggaagagctgagcgacactagtcagaaccagagg  45 
<２１０>  83
<２１１>  45
<２１２>  DNA
<２１３>  human
<４００>  83
aattcaccatgctgggcatctggaccctcctacctctggttctga  45 
<２１０>  84
<２１１>  45
<２１２>  DNA
<２１３>  human
<４００>  84
ctagtcagaaccagaggtaggagggtccagatgcccagcatggtg  45 
<２１０>  85
<２１１>  30
<２１２>  DNA
<２１３>  human
<４００>  85
ctgactagtgtcgctaaggagctgaggaaa  30
<２１０>  86
<２１１>  20
<２１２>  DNA
<２１３>  human
<４００>  86
taagccgaaaaacgtctgag  20
<２１０>  87
<２１１>  30
<２１２>  DNA
<２１３>  human
<４００>  87
ctgactagtgtcgctctgaggaaagtggcc  30
<２１０>  88
<２１１>  30
<２１２>  DNA
<２１３>  human
<４００>  88
ctgactagtgtcgctaggaaagtggcccat  30
<２１０>  89
<２１１>  30
<２１２>  DNA
<２１３>  human
<４００>  89
ctgactagtgtcgctaaagtggcccattta  30
<２１０>  90
<２１１>  30
<２１２>  DNA
<２１３>human
<４００>  90
ctgactagtgtcgctgtggcccatttaaca  30
<２１０>  91
<２１１>  27
<２１２>  DNA
<２１３>  human
<４００>  91
cttggtaccctattacttatataagcc  27 
<２１０>  92
<２１１>  20
<２１２>  DNA
<２１３>  human
<４００>  92  
gagctactgcactactgggc  20
<２１０>  93
<２１１>  39
<２１２>  DNA
<２１３>  human
<４００>  93
cgcggatccggtaccttttttggtaaccggggtaaacag  39 
<２１０>  94
<２１１>  20
<２１２>  DNA
<２１３>  human
<４００>  94
cgcaagttcacgtaaaaagc  20
<２１０>  95
<２１１>  46
<２１２>  DNA
<２１３>  human
<４００>  95
ttgaagcttaaaaaagggtataaaataaaatgcagctcttccacct  46
<２１０>  96
<２１１>  29
<２１２>  DNA
<２１３>  human
<４００>  96
aaggtcgactattagagcttatataagcc  29 
<２１０>  97
<２１１>  30
<２１２>  DNA
<２１３>  human
<４００>  97
gggggttaccaaagcccagctcttccacct  30
<２１０>  98
<２１１>  25
<２１２>  DNA
<２１３>  human
<４００>  98
cccggttaccaaagccaaggagctg  25 
<２１０>  99
<２１１>  20
<２１２>  DNA
<２１３>  human
<４００>  99
taagccgaaaaacgtctgag  20
<２１０>  100
<２１１>  927
<２１２>  DNA
<２１３>  mouse
<４００>  100
ga  gaaggaaacc  ctttcctggg  gctgggtgcc    32
atgcagcagc  ccatgaatta  cccatgtccc  cagatcttct  gggtagacag    82
cagtgccact  tcatcttggg  ctcctccagg  gtcagttttt  ccctgtccat   132
cttgtgggcc  tagagggccg  gaccaaagga  gaccgccacc  tccaccacca   182
cctgtgtcac  cactaccacc  gccatcacaa  ccactcccac  tgccgccact   232
gacccctcta  aagaagaagg  accacaacac  aaatctgtgg  ctaccggtgg   282
tatttttcat  ggttctggtg  gctctggttg  gaatgggatt  aggaatgtat   332
cagctcttcc  acctgcagaa  ggaactggca  gaactccgtg  agttcaccaa   382
ccaaagcctt  aaagtatcat  cttttgaaaa  gcaaatagcc  aaccccagta   432
caccctctga  aaaaaaagag  ccgaggagtg  tggcccattt  aacagggaac   482
ccccactcaa  ggtccatccc  tctggaatgg  gaagacacat  atggaaccgc   532
tctgatctct  ggagtgaagt  ataagaaagg  tggccttgtg  atcaacgaaa   582
ctgggttgta  cttcgtgtat  tccaaagtat  acttccgggg  tcagtcttgc   632
aacaaccagc  ccctaaacca  caaggtctat  atgaggaact  ctaagtatcc   682
tgaggatctg  gtgctaatgg  aggagaagag  gttgaactac  tgcactactg   732
gacagatatg  ggcccacagc  agctacctgg  gggcagtatt  caatcttacc   782
agtgctgacc  atttatatgt  caacatatct  caactctctc  tgatcaattt   832
tgaggaatct  aagacccttt  tcggcttgta  taagctttaa  aagaaaaagc   882
attttaaaat  gatctactat  tctttatcat  gggcaccagg  aatat        927
【図面の簡単な説明】
【００４４】
【図１】図１は、それぞれd10S、d10S-2、及びpTN24-15で形質転換させたCOS-7 細胞のフローサイトメトリーの解析結果、ａ，ｂ，ｃを示す図である。
【図２】図２は、クローンpTN24-15中の塩基配列および推定されるアミノ酸配を示す図である。
【図３】図３は、クローンpTN24-15中の塩基配列および推定されるアミノ酸配を示す図である。
【図４】図４は、d10S、d10S-2、d10S-16 のノーザンハイブリダイゼションの結果を示す図である。
【図５】図５は、ラット脾細胞と胸腺細胞とを用いたノーザンハイブリダイゼーションの結果を示す図である。
【図６】図６は、ラット各組織のノーザンハイブリダイゼーションの結果を示す図である。
【図７】図７は、d10S-12 及びpTN24-15で形質転換したCOS-7 細胞の免疫沈降の結果を示す図である。
【図８】図８は、W4、WR19L を標的細胞としたときのd10S細胞の細胞障害活性を示す図である。
【図９】図９は、W4、WR19L を標的細胞としたときのpTN24-15で形質転換したCOS-7 細胞、pCEV4 で形質転換したCOS-7 細胞の細胞障害活性を示す図である。
【図１０】図10は、W4、WR19L を標的細胞としたときのpTN24-15で形質転換したCOS-7 細胞、pCEV4 で形質転換したCOS-7 細胞の細胞障害活性を示す図である。
【図１１】図11は、W4細胞に対するd10S細胞及びpTN24-15で形質転換したCOS-7 細胞の細胞障害作用のmFas-Fc による阻害を示す図である。
【図１２】図12は、pTN24-15で形質転換したCOS-7 細胞をエフェクター細胞とし、W4細胞を標的細胞としたときの、標的細胞における染色体DNA の変化を示すゲル電気泳動を示す図である。
【図１３】図13は、精製したFas リガンドの10-20%グラジエントSDS-ポリアクリルアミドゲル電気泳動の結果を示す図である。
【図１４】図14は、W4及びWR19L 細胞を標的細胞としたときの精製Fas リガンドの細胞障害活性を示す図である。
【図１５】図15は、プラスミドpBL-hFL4H 中の塩基配列及び推定されるアミノ酸配列を示す図である。
【図１６】図16は、ヒトFas リガンド染色体遺伝子の塩基配列を示す図である。
【図１７】図17は、ヒトFas リガンド染色体遺伝子の塩基配列を示す図である。
【図１８】図18は、ヒトFas リガンド染色体遺伝子の塩基配列を示す図である。
【図１９】図19は、クローンpBX-hFL1中の塩基配列を示す図である。
【図２０】図20は、クローンpBX-hFL1中の塩基配列を示す図である。
【図２１】図21は、pEX-hFL1で形質転換させたCOS 細胞およびpEF-MFLW4Fで形質転換させたCOS 細胞をエフェクター細胞とし、WR19L およびWC8Aを標的細胞とした時の特異的細胞溶解率を示す図である。
【図２２】図22は、hFas-Fc およびmFas-Fc による、pEX-hFL1で形質転換させたCOS 細胞のWC8A細胞に対する細胞障害活性の阻害を示す図である。
【図２３】図23は、クローンpBL-MFLW4 中の塩基配列を示す図である。
【図２４】図24は、クローンpBL-MFLW4 中の塩基配列を示す図である。
【図２５】図25は、pEF-MFLW4Fで形質転換させたCOS 細胞をエフェクター細胞とし、WR19L およびW4を標的細胞とした時の細胞障害活性を示す図である。
【図２６】図26は、gld マウスより単離したFas リガンドcDNAを含むプラスミドで形質転換させたCOS 細胞をエフェクター細胞とし、WR19L およびW4を標的細胞とした時の細胞障害活性を示す図である。
【図２７】図27は、微生物の形態を表す図面代用写真であって、抗血清19-3とヒトFas リガンド発現細胞を用いたウエスタンブロッティングの結果を示す図面代用写真である。
【図２８】図28は、微生物の形態を表す図面代用写真であって、モノクローナル抗体F864-5-1とヒトFas リガンド発現細胞を用いたウエスタンブロッティングの結果を示す図面代用写真である。
【図２９】図29は、モノクローナル抗体F883-1-1のペプチドとの反応性を示す図である。
【図３０】図30は、モノクローナル抗体F883-1-1のアポトーシス抑制活性を示す図である。
【図３１】図31は、モノクローナル抗体F897-1-2のペプチド＜３＞との反応性を示す図である。
【図３２】図32は、モノクローナル抗体F897-1-2のアポトーシス抑制活性を示す図である。
【図３３】図33は、WC8 およびW4を標的細胞とした時の形質転換体COS-1/pM1070の培養上清の細胞障害活性を示す図である。
【図３４】図34は、WC8 およびW4を標的細胞とした時の、形質転換体COS-1/pEX-hFL1の培養上清の細胞障害活性を示す図である。
【図３５】図35は、微生物の形態を示す図面代用写真であり、非還元条件下における、形質転換体COS-1/pM1070の培養上清のウエスタンブロッティングの結果を示す。
【図３６】図36は、微生物の形態を示す図面代用写真であり、非還元条件下における形質転換体COS-1/pEX-hFL1の培養上清のウエスタンブロッティングの結果を示す。
【図３７】図37は、アンチセンスオリゴヌクレオチドＡ41のアポトーシス抑制活性を示す図である。
【図３８】図38は、アンチセンスオリゴヌクレオチドＡ69，Ａ184 ，Ａ355 ，Ａ505 ，Ａ733 ，Ａ924 のアポトーシス抑制活性を示す図である。
【図３９】図39は、各培養上清中のポリペプチドND38、ND40、ND41、ND42、ND43およびCD179 の細胞障害活性を示す図である。
【図４０】図40は、微生物の形態を示す図面代用写真であって、形質転換体JE5505(pM1068)の菌体および培養上清のウェスタンブロッティングの結果を示す。
【図４１】図41は、微生物の形態を示す図面代用写真であって、形質転換体JE5505(pM1069)の菌体および培養上清のウェスタンブロッティングの結果を示す。
【図１】
2004290198.tif 000002
【図２】
2004290198.tif 000003
【図３】
2004290198.tif 000004
【図４】
2004290198.tif 000005
【図５】
2004290198.tif 000006
【図６】
2004290198.tif 000007
【図７】
2004290198.tif 000008
【図８】
2004290198.tif 000009
【図９】
2004290198.tif 000010
【図１０】
2004290198.tif 000011
【図１１】
2004290198.tif 000012
【図１２】
2004290198.tif 000013
【図１３】
2004290198.tif 000014
【図１４】
2004290198.tif 000015
【図１５】
2004290198.tif 000016
【図１６】
2004290198.tif 000017
【図１７】
2004290198.tif 000018
【図１８】
2004290198.tif 000019
【図１９】
2004290198.tif 000020
【図２０】
2004290198.tif 000021
【図２１】
2004290198.tif 000022
【図２２】
2004290198.tif 000023
【図２３】
2004290198.tif 000024
【図２４】
2004290198.tif 000025
【図２５】
2004290198.tif 000026
【図２６】
2004290198.tif 000027
【図２７】
2004290198.tif 000028
【図２８】
2004290198.tif 000029
【図２９】
2004290198.tif 000030
【図３０】
2004290198.tif 000031
【図３１】
2004290198.tif 000032
【図３２】
2004290198.tif 000033
【図３３】
2004290198.tif 000034
【図３４】
2004290198.tif 000035
【図３５】
2004290198.tif 000036
【図３６】
2004290198.tif 000037
【図３７】
2004290198.tif 000038
【図３８】
2004290198.tif 000039
【図３９】
2004290198.tif 000040
【図４０】
2004290198.tif 000041
【図４１】
2004290198.tif 000042